(57)【要約】  本発明の実施形態においては、第1のユーザ機器が、参照時刻、第1のタイミングアドバンス、およびデータフレーム構成を取得し、第1のタイミングアドバンスは、第1のユーザ機器がデータフレーム構成内のものである第1の受信サブフレームを受信するためのタイミングアドバンスを表し、第1の受信サブフレームは第2のユーザ機器によって送信されるものであり、また第1のユーザ機器は、参照時刻、第1のタイミングアドバンス、およびデータフレーム構成に従って、第1の受信サブフレームを受信する時刻を決定する。したがって、第1のUEが第2のUEによって送信される第1の受信サブフレームを受信する時刻が第1のタイミングアドバンスを用いて調整され、そのため、第1のUEはデータフレームのより正確なタイミングを有し、シンボル間の干渉を回避することができる。
2016529833.tif 000002
【特許請求の範囲】
【請求項１】
デバイスツーデバイス通信のための方法であって、
第1のユーザ機器が、参照時刻、第1のタイミングアドバンス、およびデータフレーム構成を取得するステップであって、前記第1のタイミングアドバンスは、前記第1のユーザ機器が前記データフレーム構成内のものである第1の受信サブフレームを受信するためのタイミングアドバンスを表し、前記第1の受信サブフレームは第2のユーザ機器によって送信されるものである、取得するステップと、
前記第1のユーザ機器が、前記参照時刻、前記第1のタイミングアドバンス、および前記データフレーム構成に従って、前記第1の受信サブフレームを受信する時刻を決定するステップと
を含む、方法。
【請求項２】
前記第1のユーザ機器の第1のサービング基地局が前記第2のユーザ機器の第2のサービング基地局と同じであり、
前記第1のタイミングアドバンスは、前記第1のユーザ機器と前記第1のサービング基地局との間の第1のタイミングオフセット、前記第2のユーザ機器と前記第2のサービング基地局との間の第2のタイミングオフセット、および前記第1のユーザ機器と前記第2のユーザ機器との間の第3のタイミングオフセットの各タイミングオフセットのうちの少なくとも1つに従って決定される、請求項1に記載の方法。
【請求項３】
前記参照時刻は、前記第1のサービング基地局がデータフレームを送信する時刻、前記第2のサービング基地局がデータフレームを送信する時刻、前記第1のユーザ機器が前記第1のサービング基地局によって送信されたデータフレームを受信する時刻、および前記第2のユーザ機器が前記第2のサービング基地局によって送信されたデータフレームを受信する時刻の各種の時刻のうちの少なくとも1つに従って決定される、
請求項2に記載の方法。
【請求項４】
前記第1のユーザ機器が、前記参照時刻、前記第1のタイミングアドバンス、および前記データフレーム構成に従って、前記第1の受信サブフレームを受信する時刻を決定する前記ステップは、
前記第1の受信サブフレームを受信する時刻tを、
t＝t0−t1＋tsubframe
であり、式中、t0は、前記参照時刻であり、前記第1のユーザ機器が前記第1のサービング基地局によって送信されたデータフレームを受信する時刻であり、t1は、前記第1のタイミングアドバンスであり、前記第1のタイミングオフセット、前記第2のタイミングオフセット、または前記第3のタイミングオフセットのうちの1つであり、tsubframeは、前記第1の受信サブフレームと、前記データフレーム構成内のものである第1のサブフレームとの間の遅延を表すものとして決定するステップ、または
前記第1の受信サブフレームを受信する時刻tを、
t＝t0−t1／2＋tsubframe
であり、式中、t0は、前記参照時刻であり、前記第1のユーザ機器が前記第1のサービング基地局によって送信されたデータフレームを受信する時刻であり、t1は、前記第1のタイミングオフセット、前記第2のタイミングオフセット、または前記第3のタイミングオフセットのうちの1つであり、t1／2は、前記第1のタイミングアドバンスであり、tsubframeは、前記第1の受信サブフレームと、前記データフレーム構成内のものである第1のサブフレームとの間の遅延を表すものとして決定するステップ
を含む、請求項2または3に記載の方法。
【請求項５】
前記第1のユーザ機器の第1のサービング基地局が前記第2のユーザ機器の第2のサービング基地局と異なり、
前記第1のタイミングアドバンスは、前記第1のユーザ機器と前記第1のサービング基地局との間の第1のタイミングオフセット、前記第2のユーザ機器と前記第2のサービング基地局との間の第2のタイミングオフセット、前記第1のユーザ機器と前記第2のユーザ機器との間の第3のタイミングオフセット、および前記第1のサービング基地局と前記第2のサービング基地局との間の第4のタイミングオフセットの各タイミングオフセットのうちの少なくとも1つに従って決定される、請求項1に記載の方法。
【請求項６】
前記参照時刻は、前記第1のサービング基地局がデータフレームを送信する時刻、前記第2のサービング基地局がデータフレームを送信する時刻、前記第1のユーザ機器が前記第1のサービング基地局によって送信されたデータフレームを受信する時刻、前記第1のユーザ機器が前記第2のサービング基地局によって送信されたデータフレームを受信する時刻、前記第2のユーザ機器が前記第1のサービング基地局によって送信されたデータフレームを受信する時刻、および前記第2のユーザ機器が前記第2のサービング基地局によって送信されたデータフレームを受信する時刻の各種の時刻のうちの少なくとも1つに従って決定される、
請求項5に記載の方法。
【請求項７】
前記第1のユーザ機器が、前記参照時刻、前記第1のタイミングアドバンス、および前記データフレーム構成に従って、前記第1の受信サブフレームを受信する時刻を決定する前記ステップは、
前記第1の受信サブフレームを受信する時刻Tを、
t＝t0−（t1＋t4）＋tsubframe
であり、式中、t0は、前記参照時刻であり、前記第1のユーザ機器が前記第1のサービング基地局によって送信されたデータフレームを受信する時刻であり、（t1＋t4）は、前記第1のタイミングアドバンスであり、t1は、前記第1のタイミングオフセット、前記第2のタイミングオフセット、または前記第3のタイミングオフセットのうちの1つであり、t4は、前記第4のタイミングオフセットであり、tsubframeは、前記第1の受信サブフレームと、前記データフレーム構成内のものである第1のサブフレームとの間の遅延を表すものとして決定するステップ、または
前記第1の受信サブフレームを受信する時刻tを、
t＝t0−（t1／2＋t4）＋tsubframe
であり、式中、t0は、前記参照時刻であり、前記第1のユーザ機器が前記第1のサービング基地局によって送信されたデータフレームを受信する時刻であり、（t1／2＋t4）は、前記第1のタイミングアドバンスであり、t1は、前記第1のタイミングオフセット、前記第2のタイミングオフセット、または前記第3のタイミングオフセットのうちの1つであり、t4は、前記第4のタイミングオフセットであり、tsubframeは、前記第1の受信サブフレームと、前記データフレーム構成内のものである第1のサブフレームとの間の遅延を表すものとして決定するステップ
を含む、請求項5または6に記載の方法。
【請求項８】
前記第1のユーザ機器が、前記第1のタイミングアドバンスを取得する前記ステップは、
前記第1のユーザ機器が、前記第1のユーザ機器の第1のサービング基地局によって送付された前記第1のタイミングアドバンスを受信するステップ、または
前記第1のユーザ機器が、前記第1のユーザ機器の前記第1のサービング基地局によって送付され、前記第1のタイミングアドバンスを決定するのに使用される少なくとも1つのタイミングオフセットを受信し、前記少なくとも1つのタイミングオフセットに従って前記第1のタイミングアドバンスを決定するステップ
を含む、請求項1から7のいずれか一項に記載の方法。
【請求項９】
前記データフレーム構成は、送信から受信までの少なくとも1つのガード期間および受信から送信までの少なくとも1つのガード期間を含む、請求項1から8のいずれか一項に記載の方法。
【請求項１０】
前記データフレーム構成は、前記第1のユーザ機器の第1のサービング基地局によって前記第1のユーザ機器へ送付され、または前記データフレーム構成は、前記第1のユーザ機器および前記第2のユーザ機器による事前折衝を通じて決定される、請求項1から9のいずれか一項に記載の方法。
【請求項１１】
前記第1のユーザ機器が、前記参照時刻、第2のタイミングアドバンス、および前記データフレーム構成に従って、前記データフレーム構成内のものである第1の送信サブフレームを送信する時刻を決定するステップであって、前記第2のタイミングアドバンスは、前記第1のユーザ機器が前記第1の送信サブフレームを送信するためのタイミングアドバンスを表すものである、決定するステップ
をさらに含む、請求項1から10のいずれか一項に記載の方法。
【請求項１２】
前記第2のタイミングアドバンスは、前記第1のユーザ機器と前記第1のユーザ機器の第1のサービング基地局との間の第1のタイミングオフセットである、請求項11に記載の方法。
【請求項１３】
デバイスツーデバイス通信のための方法であって、
デバイスツーデバイス（D2D）通信を行うユーザ機器がデータフレーム構成内のものである第1の受信サブフレームを受信する時刻、前記ユーザ機器が前記データフレーム構成内のものである第1の送信サブフレームを送信する時刻、および前記データフレーム構成に従って、第1の時刻および第2の時刻を決定するステップと、
前記第1の時刻および前記第2の時刻に従って第1のサブフレームと第2のサブフレームとの間にガード期間を設定するステップと
を含み、前記第1のサブフレームおよび前記第2のサブフレームは前記データフレーム構成において連続して隣り合っており、前記第1のサブフレームが受信サブフレームであり、前記第2のサブフレームが送信サブフレームである場合には、前記第1の時刻は前記ユーザ機器が前記第1のサブフレームを受信するときの終了時刻を表し、前記第2の時刻は前記ユーザ機器が前記第2のサブフレームを送信するときの開始時刻を表し、または前記第1のサブフレームが送信サブフレームであり、前記第2のサブフレームが受信サブフレームである場合には、前記第1の時刻は前記ユーザ機器が前記第1のサブフレームを送信するときの終了時刻を表し、前記第2の時刻は前記ユーザ機器が前記第2のサブフレームを受信するときの開始時刻を表す、方法。
【請求項１４】
前記第1の時刻および前記第2の時刻に従って第1のサブフレームと第2のサブフレームとの間にガード期間を設定する前記ステップは、
前記第1の時刻と前記第2の時刻との差が第1の閾値より大きい場合に、前記データフレーム構成において、前記第1のサブフレームと前記第2のサブフレームとの間にガード期間が含まれないことを設定するステップ、または
前記第1の時刻と前記第2の時刻との差が第1の閾値以下である場合に、前記データフレーム構成において、前記第1のサブフレームと前記第2のサブフレームとの間に少なくとも1つのガード期間が含まれることを設定するステップ
を含む、請求項13に記載の方法。
【請求項１５】
ネットワーク側のデバイスまたは前記ユーザ機器によって実行される、請求項13または14に記載の方法。
【請求項１６】
第1のユーザ機器であって、
参照時刻、第1のタイミングアドバンス、およびデータフレーム構成を取得する取得部であって、前記第1のタイミングアドバンスは、前記第1のユーザ機器が前記データフレーム構成内のものである第1の受信サブフレームを受信するためのタイミングアドバンスを表し、前記第1の受信サブフレームは第2のユーザ機器によって送信されるものである、取得部と、
前記取得部によって取得される前記参照時刻、前記第1のタイミングアドバンス、および前記データフレーム構成に従って、前記第1の受信サブフレームを受信する時刻を決定する決定部と
を含む、第1のユーザ機器。
【請求項１７】
前記第1のユーザ機器の第1のサービング基地局が前記第2のユーザ機器の第2のサービング基地局と同じであり、前記取得部によって取得される前記第1のタイミングアドバンスは、
前記第1のユーザ機器と前記第1のサービング基地局との間の第1のタイミングオフセット、前記第2のユーザ機器と前記第2のサービング基地局との間の第2のタイミングオフセット、および前記第1のユーザ機器と前記第2のユーザ機器との間の第3のタイミングオフセット
の各タイミングオフセットのうちの少なくとも1つに従って決定される、請求項16に記載の第1のユーザ機器。
【請求項１８】
前記取得部によって取得される前記参照時刻は、前記第1のサービング基地局がデータフレームを送信する時刻、前記第2のサービング基地局がデータフレームを送信する時刻、前記第1のユーザ機器が前記第1のサービング基地局によって送信されたデータフレームを受信する時刻、および前記第2のユーザ機器が前記第2のサービング基地局によって送信されたデータフレームを受信する時刻の各種の時刻のうちの少なくとも1つに従って決定される、請求項17に記載の第1のユーザ機器。
【請求項１９】
前記決定部は具体的には、前記第1のユーザ機器が前記第1の受信サブフレームを受信する時刻tを、
t＝t0−t1＋tsubframe
であり、式中、t0は、前記参照時刻であり、前記第1のユーザ機器が前記第1のサービング基地局によって送信されたデータフレームを受信する時刻であり、t1は、前記第1のタイミングアドバンスであり、前記第1のタイミングオフセット、前記第2のタイミングオフセット、または前記第3のタイミングオフセットのうちの1つであり、tsubframeは、前記第1の受信サブフレームと、前記データフレーム構成内のものである第1のサブフレームとの間の遅延を表すものとして決定し、または
前記決定部は具体的には、前記第1のユーザ機器が前記第1の受信サブフレームを受信する時刻tを、
t＝t0−t1／2＋tsubframe
であり、式中、t0は、前記参照時刻であり、前記第1のユーザ機器が前記第1のサービング基地局によって送信されたデータフレームを受信する時刻であり、t1は、前記第1のタイミングオフセット、前記第2のタイミングオフセット、または前記第3のタイミングオフセットのうちの1つであり、t1／2は、前記第1のタイミングアドバンスであり、tsubframeは、前記第1の受信サブフレームと、前記データフレーム構成内のものである第1のサブフレームとの間の遅延を表すものとして決定する、
請求項17または18に記載の第1のユーザ機器。
【請求項２０】
前記第1のユーザ機器の第1のサービング基地局が前記第2のユーザ機器の第2のサービング基地局と異なり、前記取得部によって取得される前記第1のタイミングアドバンスは、
前記第1のユーザ機器と前記第1のサービング基地局との間の第1のタイミングオフセット、前記第2のユーザ機器と前記第2のサービング基地局との間の第2のタイミングオフセット、前記第1のユーザ機器と前記第2のユーザ機器との間の第3のタイミングオフセット、および前記第1のサービング基地局と前記第2のサービング基地局との間の第4のタイミングオフセットの各タイミングオフセットのうちの少なくとも1つに従って決定される、請求項16に記載の第1のユーザ機器。
【請求項２１】
前記第1のユーザ機器の前記第1のサービング基地局は前記第2のユーザ機器の前記第2のサービング基地局と異なり、前記取得部によって取得される前記参照時刻は、
前記第1のサービング基地局がデータフレームを送信する時刻、前記第2のサービング基地局がデータフレームを送信する時刻、前記第1のユーザ機器が前記第1のサービング基地局によって送信されたデータフレームを受信する時刻、前記第1のユーザ機器が前記第2のサービング基地局によって送信されたデータフレームを受信する時刻、前記第2のユーザ機器が前記第1のサービング基地局によって送信されたデータフレームを受信する時刻、および前記第2のユーザ機器が前記第2のサービング基地局によって送信されたデータフレームを受信する時刻
の各種の時刻のうちの少なくとも1つに従って決定される、請求項20に記載の第1のユーザ機器。
【請求項２２】
前記決定部は具体的には、前記第1のユーザ機器が前記第1の受信サブフレームを受信する時刻tを、
t＝t0−（t1＋t4）＋tsubframe
であり、式中、t0は、前記参照時刻であり、前記第1のユーザ機器が前記第1のサービング基地局によって送信されたデータフレームを受信する時刻であり、（t1＋t4）は、前記第1のタイミングアドバンスであり、t1は、前記第1のタイミングオフセット、前記第2のタイミングオフセット、または前記第3のタイミングオフセットのうちの1つであり、t4は、前記第4のタイミングオフセットであり、tsubframeは、前記第1の受信サブフレームと、前記データフレーム構成内のものである第1のサブフレームとの間の遅延を表すものとして決定し、または
前記決定部は具体的には、前記第1の受信サブフレームを受信する時刻tを、
t＝t0−（t1／2＋t4）＋tsubframe
であり、式中、t0は、前記参照時刻であり、前記第1のユーザ機器が前記第1のサービング基地局によって送信されたデータフレームを受信する時刻であり、（t1／2＋t4）は、前記第1のタイミングアドバンスであり、t1は、前記第1のタイミングオフセット、前記第2のタイミングオフセット、または前記第3のタイミングオフセットのうちの1つであり、t4は、前記第4のタイミングオフセットであり、tsubframeは、前記第1の受信サブフレームと、前記データフレーム構成内のものである第1のサブフレームとの間の遅延を表すものとして決定する、
請求項21に記載の第1のユーザ機器。
【請求項２３】
前記取得部は具体的には、前記第1のユーザ機器の第1のサービング基地局によって送付された前記第1のタイミングアドバンスを受信し、または
前記取得部は具体的には、前記第1のユーザ機器の前記第1のサービング基地局によって送付され、前記第1のタイミングアドバンスを決定するのに使用される少なくとも1つのタイミングオフセットを受信し、前記少なくとも1つのタイミングオフセットに従って前記第1のタイミングアドバンスを決定する、
請求項16から22のいずれか一項に記載の第1のユーザ機器。
【請求項２４】
前記取得部によって取得される前記データフレーム構成は、送信から受信までの少なくとも1つのガード期間および受信から送信までの少なくとも1つのガード期間を含む、請求項16から23のいずれか一項に記載の第1のユーザ機器。
【請求項２５】
前記取得部によって取得される前記データフレーム構成は、前記第1のユーザ機器の第1のサービング基地局によって前記第1のユーザ機器へ送付され、または前記データフレーム構成は、前記第1のユーザ機器および前記第2のユーザ機器による事前折衝を通じて決定される、請求項16から24のいずれか一項に記載の第1のユーザ機器。
【請求項２６】
前記決定部はさらに、前記参照時刻、第2のタイミングアドバンス、および前記データフレーム構成に従って、前記データフレーム構成内のものである第1の送信サブフレームを送信する時刻を決定し、前記第2のタイミングアドバンスは、前記第1のユーザ機器が前記第1の送信サブフレームを送信するためのタイミングアドバンスを表すものである、
請求項16から25のいずれか一項に記載の第1のユーザ機器。
【請求項２７】
デバイスツーデバイス（D2D）通信を行うユーザ機器がデータフレーム構成内のものである第1の受信サブフレームを受信する時刻、前記ユーザ機器が前記データフレーム構成内のものである第1の送信サブフレームを送信する時刻、および前記データフレーム構成に従って、第1の時刻および第2の時刻を決定する決定部と、
前記決定部によって決定される前記第1の時刻および前記第2の時刻に従って第1のサブフレームと第2のサブフレームとの間にガード期間を設定する設定部と
を含み、前記第1のサブフレームおよび前記第2のサブフレームは前記データフレーム構成において連続して隣り合っており、前記第1のサブフレームが受信サブフレームであり、前記第2のサブフレームが送信サブフレームである場合には、前記第1の時刻は前記ユーザ機器が前記第1のサブフレームを受信するときの終了時刻を表し、前記第2の時刻は前記ユーザ機器が前記第2のサブフレームを送信するときの開始時刻を表し、または前記第1のサブフレームが送信サブフレームであり、前記第2のサブフレームが受信サブフレームである場合には、前記第1の時刻は前記ユーザ機器が前記第1のサブフレームを送信するときの終了時刻を表し、前記第2の時刻は前記ユーザ機器が前記第2のサブフレームを受信するときの開始時刻を表す、デバイス。
【請求項２８】
前記設定部は具体的には、前記第1の時刻と前記第2の時刻との差が第1の閾値より大きい場合に、前記データフレーム構成において、前記第1のサブフレームと前記第2のサブフレームとの間にガード期間が含まれないことを設定し、または
前記設定部は具体的には、前記第1の時刻と前記第2の時刻との差が第1の閾値以下である場合に、前記データフレーム構成において、前記第1のサブフレームと前記第2のサブフレームとの間に少なくとも1つのガード期間が含まれることを設定する、
請求項27に記載のデバイス。
【請求項２９】
ネットワーク側のデバイスまたは前記ユーザ機器である、請求項27または28に記載のデバイス。
【発明の詳細な説明】
【技術分野】
【０００１】
本発明の実施形態は通信技術の分野に関し、詳細には、D2D（Device to Device、デバイスツーデバイス）通信のための方法および装置に関する。
【背景技術】
【０００２】
基地局とユーザ機器との間の伝送遅延のために、基地局がダウンリンク情報を送信する時刻とUE（英語の正式名：User Equipment、中国語の正式名：ユーザ機器）が基地局によって送信されたがダウンリンク情報を受信する時刻との間にラグが生じ、またUEがアップリンク情報を送信する時刻と基地局がUEによって送信されたアップリンク情報を受信する時刻との間にもラグが生じる。したがって、シンボル間の干渉を引き起こすことを回避するように、物理層の設計において、データフレームのタイミング（すなわち、UEがデータフレームを受信し、または送信するためのタイミング）、データフレーム構成などが設計される必要がある。
【０００３】
例えば、LTE  TDD（英語の正式名：Time Division Duplex、中国語の正式名：時分割複信）システムにおいて、データフレームは特殊なサブフレームを含み、この特殊なサブフレームはGP（英語の正式名：Guard Period、中国語の正式名：ガード期間）を含み、ガード期間はダウンリンク・データ・フレームとアップリンク・データ・フレームとの間に設定される。UEは、基地局によって送信されるTA（英語の正式名：Timing Advance、中国語の正式名：タイミングアドバンス）に従って、アップリンク情報を先行して送信し、これはデータフレームにおいて設定されたGPを用いて実施される。このようにして、UEのアップリンク情報が基地局に到達する時刻を揃えることができ、基地局とユーザ機器との間には、アップリンクデータとダウンリンクデータの切り換えに使用されるガード期間が存在する。
【０００４】
しかし、先行技術の設計解決策は、D2D（英語の正式名：Device to Device、中国語の正式名：デバイスツーデバイス）通信に直接適用することができない。D2D通信は、システムの制御下でのUE間の直接通信を可能にする技術である。そうした通信シナリオでは、基地局とUEとの間にタイミングオフセットが存在するのみならず、UE間にもタイミングオフセットが存在する。D2D通信サービス、例えば、LTEシステムにおけるUE間の近接サービス（英語の正式名：Device to Device Proximity Service、英語の略称：D2D  ProSe）サービスにおいては、タイミングオフセットとデータフレームのタイミングとの間にオフセットが存在し、それによってシンボル間の干渉を生じる。
【発明の概要】
【課題を解決するための手段】
【０００５】
本発明の実施形態は、シンボル間の干渉を回避することのできるデバイスツーデバイス通信のための方法および装置を提供する。
【０００６】
第1の態様によれば、デバイスツーデバイス通信のための方法が提供される。本方法は、第1のユーザ機器が、参照時刻、第1のタイミングアドバンス、およびデータフレーム構成を取得するステップであって、第1のタイミングアドバンスは、第1のユーザ機器がデータフレーム構成内のものである第1の受信サブフレームを受信するためのタイミングアドバンスを表し、第1の受信サブフレームは第2のユーザ機器によって送信されるものである、取得するステップと、第1のユーザ機器が、参照時刻、第1のタイミングアドバンス、およびデータフレーム構成に従って、第1の受信サブフレームを受信する時刻を決定するステップと、を含む。
【０００７】
第1の態様に関連して、別の可能な実施態様においては、第1のユーザ機器の第1のサービング基地局が第2のユーザ機器の第2のサービング基地局と同じであり、第1のタイミングアドバンスは、第1のユーザ機器と第1のサービング基地局との間の第1のタイミングオフセット、第2のユーザ機器と第2のサービング基地局との間の第2のタイミングオフセット、および第1のユーザ機器と第2のユーザ機器との間の第3のタイミングオフセットの各タイミングオフセットのうちの少なくとも1つに従って決定される。
【０００８】
第1の態様および第1の態様の前述の実施態様における任意の実施態様に関連して、別の実施態様においては、参照時刻は、以下の種類の時刻のうちの少なくとも1つに従って決定される。参照時刻は、第1のサービング基地局がデータフレームを送信する時刻、第2のサービング基地局がデータフレームを送信する時刻、第1のユーザ機器が第1のサービング基地局によって送信されたデータフレームを受信する時刻、および第2のユーザ機器が第2のサービング基地局によって送信されたデータフレームを受信する時刻の各種の時刻のうちの少なくとも1つに従って決定される。
【０００９】
第1の態様および第1の態様の前述の実施態様における任意の実施態様に関連して、別の実施態様においては、第1のユーザ機器が、参照時刻、第1のタイミングアドバンス、およびデータフレーム構成に従って、第1の受信サブフレームを受信する時刻を決定するステップは、第1のユーザ機器が第1の受信サブフレームを受信する時刻tを、
t＝t0−t1＋tsubframe
であり、式中、t0は、参照時刻であり、第1のユーザ機器が第1のサービング基地局によって送信されたデータフレームを受信する時刻であり、t1は、第1のタイミングアドバンスであり、第1のタイミングオフセット、第2のタイミングオフセット、または第3のタイミングオフセットのうちの1つであり、tsubframeは、第1の受信サブフレームと、データフレーム構成内のものである第1のサブフレームとの間の遅延を表すものとして決定するステップ、または
第1のユーザ機器が第1の受信サブフレームを受信する時刻tを、
t＝t0−t1／2＋tsubframe
であり、式中、t0は、参照時刻であり、第1のユーザ機器が第1のサービング基地局によって送信されたデータフレームを受信する時刻であり、t1は、第1のタイミングオフセット、第2のタイミングオフセット、または第3のタイミングオフセットのうちの1つであり、t1／2は、第1のタイミングアドバンスであり、tsubframeは、第1の受信サブフレームと、データフレーム構成内のものである第1のサブフレームとの間の遅延を表すものとして決定するステップ、を含む。
【００１０】
第1の態様および第1の態様の前述の実施態様における任意の実施態様に関連して、別の実施態様においては、第1のユーザ機器の第1のサービング基地局が第2のユーザ機器の第2のサービング基地局と異なり、
第1のタイミングアドバンスは、第1のユーザ機器と第1のサービング基地局との間の第1のタイミングオフセット、第2のユーザ機器と第2のサービング基地局との間の第2のタイミングオフセット、第1のユーザ機器と第2のユーザ機器との間の第3のタイミングオフセット、および第1のサービング基地局と第2のサービング基地局との間の第4のタイミングオフセットの各タイミングオフセットのうちの少なくとも1つに従って決定される。
【００１１】
第1の態様および第1の態様の前述の実施態様における任意の実施態様に関連して、別の実施態様においては、参照時刻は、第1のサービング基地局がデータフレームを送信する時刻、第2のサービング基地局がデータフレームを送信する時刻、第1のユーザ機器が第1のサービング基地局によって送信されたデータフレームを受信する時刻、第1のユーザ機器が第2のサービング基地局によって送信されたデータフレームを受信する時刻、第2のユーザ機器が第1のサービング基地局によって送信されたデータフレームを受信する時刻、および第2のユーザ機器が第2のサービング基地局によって送信されたデータフレームを受信する時刻の各種の時刻のうちの少なくとも1つに従って決定される。
【００１２】
第1の態様および第1の態様の前述の実施態様における任意の実施態様に関連して、別の実施態様においては、第1のユーザ機器が、参照時刻、第1のタイミングアドバンス、およびデータフレーム構成に従って、第1のユーザ機器が第1の受信サブフレームを受信する時刻を決定するステップは、
第1のユーザ機器が第1の受信サブフレームを受信する時刻Tを、
t＝t0−（t1＋t4）＋tsubframe
であり、式中、t0は、参照時刻であり、第1のユーザ機器が第1のサービング基地局によって送信されたデータフレームを受信する時刻であり、（t1＋t4）は、第1のタイミングアドバンスであり、t1は、第1のタイミングオフセット、第2のタイミングオフセット、または第3のタイミングオフセットのうちの1つであり、t4は、第4のタイミングオフセットであり、tsubframeは、第1の受信サブフレームと、データフレーム構成内のものである第1のサブフレームとの間の遅延を表すものとして決定するステップ、または
第1のユーザ機器が第1の受信サブフレームを受信する時刻tを、
t＝t0−（t1／2＋t4）＋tsubframe
であり、式中、t0は、参照時刻であり、第1のユーザ機器が第1のサービング基地局によって送信されたデータフレームを受信する時刻であり、（t1／2＋t4）は、第1のタイミングアドバンスであり、t1は、第1のタイミングオフセット、第2のタイミングオフセット、または第3のタイミングオフセットのうちの1つであり、t4は、第4のタイミングオフセットであり、tsubframeは、第1の受信サブフレームと、データフレーム構成内のものである第1のサブフレームとの間の遅延を表すものとして決定するステップ、を含む。
【００１３】
第1の態様および第1の態様の前述の実施態様のうちの任意の実施態様に関連して、別の実施態様においては、第1のユーザ機器は第1のユーザ機器の第1のサービング基地局によって送付された第1のタイミングアドバンスを受信し、または第1のユーザ機器は、第1のユーザ機器の第1のサービング基地局によって送付され、第1のタイミングアドバンスを決定するのに使用される少なくとも1つのタイミングオフセットを受信し、少なくとも1つのタイミングオフセットに従って第1のタイミングアドバンスを決定する。
【００１４】
第1の態様および第1の態様の前述の実施態様における任意の実施態様に関連して、別の実施態様においては、データフレーム構成は、送信から受信までの少なくとも1つのガード期間および受信から送信までの少なくとも1つのガード期間を含む。
【００１５】
第1の態様および第1の態様の前述の実施態様における任意の実施態様に関連して、別の実施態様においては、データフレーム構成は、第1のユーザ機器の第1のサービング基地局によって第1のユーザ機器へ送付され、またはデータフレーム構成は、第1のユーザ機器および第2のユーザ機器による事前折衝を通じて決定される。
【００１６】
第1の態様および第1の態様の前述の実施態様における任意の実施態様に関連して、別の実施態様においては、第1のユーザ機器は、参照時刻、第2のタイミングアドバンス、およびデータフレーム構成に従って、データフレーム構成内のものである第1の送信サブフレームを送信する時刻を決定し、第2のタイミングアドバンスは、第1のユーザ機器が第1の送信サブフレームを送信するためのタイミングアドバンスを表す。
【００１７】
第1の態様および第1の態様の前述の実施態様における任意の実施態様に関連して、別の実施態様においては、第2のタイミングアドバンスは、第1のユーザ機器と第1のサービング基地局との間の第1のタイミングオフセットである。
【００１８】
第2の態様によれば、デバイスツーデバイス通信のための方法が提供される。本方法は、デバイスツーデバイス（D2D）通信を行うユーザ機器がデータフレーム構成内のものである第1の受信サブフレームを受信する時刻、ユーザ機器がデータフレーム構成内のものである第1の送信サブフレームを送信する時刻、およびデータフレーム構成に従って、第1の時刻および第2の時刻を決定するステップと、第1の時刻および第2の時刻に従って第1のサブフレームと第2のサブフレームとの間にガード期間を設定するステップと、を含み、第1のサブフレームおよび第2のサブフレームはデータフレーム構成において連続して隣り合っており、第1のサブフレームが受信サブフレームであり、第2のサブフレームが送信サブフレームである場合には、第1の時刻はユーザ機器が第1のサブフレームを受信するときの終了時刻を表し、第2の時刻はユーザ機器が第2のサブフレームを送信するときの開始時刻を表し、または第1のサブフレームが送信サブフレームであり、第2のサブフレームが受信サブフレームである場合には、第1の時刻はユーザ機器が第1のサブフレームを送信するときの終了時刻を表し、第2の時刻はユーザ機器が第2のサブフレームを受信するときの開始時刻を表す。
【００１９】
第2の態様に関連して、別の可能な実施態様においては、第1の時刻および第2の時刻に従って第1のサブフレームと第2のサブフレームとの間にガード期間を設定するステップは、第1の時刻と第2の時刻との差が第1の閾値より大きい場合に、データ構成において、第1のサブフレームと第2のサブフレームとの間にガード期間が含まれないことを設定するステップ、または第1の時刻と第2の時刻との差が第1の閾値以下である場合に、データ構成において、第1のサブフレームと第2のサブフレームとの間に少なくとも1つのガード期間が含まれることを設定するステップ、を含む。
【００２０】
第2の態様および第2の態様の前述の実施態様における任意の実施態様に関連して、別の実施態様においては、本方法は、ネットワーク側のデバイスまたはユーザ機器によって実行される。
【００２１】
第3の態様によれば、第1のユーザ機器が提供される。第1のユーザ機器は、参照時刻、第1のタイミングアドバンス、およびデータフレーム構成を取得する取得部であって、第1のタイミングアドバンスは、第1のユーザ機器がデータフレーム構成内のものである第1の受信サブフレームを受信するためのタイミングアドバンスを表し、第1の受信サブフレームは第2のユーザ機器によって送信されるものである、取得部と、取得部によって取得される参照時刻、第1のタイミングアドバンス、およびデータフレーム構成に従って、第1の受信サブフレームを受信する時刻を決定する決定部と、を含む。
【００２２】
第3の態様に関連して、別の可能な実施態様においては、第1のユーザ機器の第1のサービング基地局が第2のユーザ機器の第2のサービング基地局と同じであり、取得部によって取得される第1のタイミングアドバンスは、第1のユーザ機器と第1の基地局との間の第1のタイミングオフセット、第2のユーザ機器と第2の基地局との間の第2のタイミングオフセット、および第1のユーザ機器と第2のユーザ機器との間の第3のタイミングオフセットの各タイミングオフセットのうちの少なくとも1つに従って決定される。
【００２３】
第3の態様および第3の態様の前述の実施態様における任意の実施態様に関連して、別の実施態様においては、取得部によって取得される参照時刻は、第1のサービング基地局がデータフレームを送信する時刻、第2のサービング基地局がデータフレームを送信する時刻、第1のユーザ機器が第1のサービング基地局によって送信されたデータフレームを受信する時刻、および第2のユーザ機器が第2のサービング基地局によって送信されたデータフレームを受信する時刻の各種の時刻のうちの少なくとも1つに従って決定される。
【００２４】
第3の態様および第3の態様の前述の実施態様における任意の実施態様に関連して、別の実施態様においては、決定部は具体的には、第1のユーザ機器が第1の受信サブフレームを受信する時刻tを、
t＝t0−t1＋tsubframe
であり、式中、t0は、参照時刻であり、第1のユーザ機器が第1のサービング基地局によって送信されたデータフレームを受信する時刻であり、t1は、第1のタイミングアドバンスであり、第1のタイミングオフセット、第2のタイミングオフセット、または第3のタイミングオフセットのうちの1つであり、tsubframeは、第1の受信サブフレームと、データフレーム構成内のものである第1のサブフレームとの間の遅延を表すものとして決定し、または
決定部は具体的には、第1のユーザ機器が第1の受信サブフレームを受信する時刻tを、
t＝t0−t1／2＋tsubframe
であり、式中、t0は、参照時刻であり、第1のユーザ機器が第1のサービング基地局によって送信されたデータフレームを受信する時刻であり、t1は、第1のタイミングオフセット、第2のタイミングオフセット、または第3のタイミングオフセットのうちの1つであり、t1／2は、第1のタイミングアドバンスであり、tsubframeは、第1の受信サブフレームと、データフレーム構成内のものである第1のサブフレームとの間の遅延を表すものとして決定する。
【００２５】
第3の態様および第3の態様の前述の実施態様における任意の実施態様に関連して、別の実施態様においては、第1のユーザ機器の第1のサービング基地局が第2のユーザ機器の第2のサービング基地局と異なり、取得部によって取得される第1のタイミングアドバンスは、第1のユーザ機器と第1のサービング基地局との間の第1のタイミングオフセット、第2のユーザ機器と第2のサービング基地局との間の第2のタイミングオフセット、第1のユーザ機器と第2のユーザ機器との間の第3のタイミングオフセット、および第1のサービング基地局と第2のサービング基地局との間の第4のタイミングオフセットの各タイミングオフセットのうちの少なくとも1つに従って決定される。
【００２６】
第3の態様および第3の態様の前述の実施態様における任意の実施態様に関連して、別の実施態様においては、第1のユーザ機器の第1のサービング基地局が第2のユーザ機器の第2のサービング基地局と異なり、取得部によって取得される参照時刻は、第1のサービング基地局がデータフレームを送信する時刻、第2のサービング基地局がデータフレームを送信する時刻、第1のユーザ機器が第1のサービング基地局によって送信されたデータフレームを受信する時刻、第1のユーザ機器が第2のサービング基地局によって送信されたデータフレームを受信する時刻、第2のユーザ機器が第1のサービング基地局によって送信されたデータフレームを受信する時刻、および第2のユーザ機器が第2のサービング基地局によって送信されたデータフレームを受信する時刻の各種の時刻のうちの少なくとも1つに従って決定される。
【００２７】
第3の態様および第3の態様の前述の実施態様における任意の実施態様に関連して、別の実施態様においては、決定部は具体的には、第1のユーザ機器が第1の受信サブフレームを受信する時刻tを、
t＝t0−（t1＋t4）＋tsubframe
であり、式中、t0は、参照時刻であり、第1のユーザ機器が第1のサービング基地局によって送信されたデータフレームを受信する時刻であり、（t1＋t4）は、第1のタイミングアドバンスであり、t1は、第1のタイミングオフセット、第2のタイミングオフセット、または第3のタイミングオフセットのうちの1つであり、t4は、第4のタイミングオフセットであり、tsubframeは、第1の受信サブフレームと、データフレーム構成内のものである第1のサブフレームとの間の遅延を表すものとして決定し、または
決定部は具体的には、第1の受信サブフレームを受信する時刻tを、
t＝t0−（t1／2＋t4）＋tsubframe
であり、式中、t0は、参照時刻であり、第1のユーザ機器が第1のサービング基地局によって送信されたデータフレームを受信する時刻であり、（t1／2＋t4）は、第1のタイミングアドバンスであり、t1は、第1のタイミングオフセット、第2のタイミングオフセット、または第3のタイミングオフセットのうちの1つであり、t4は、第4のタイミングオフセットであり、tsubframeは、第1の受信サブフレームと、データフレーム構成内のものである第1のサブフレームとの間の遅延を表すものとして決定する。
【００２８】
第3の態様および第3の態様の前述の実施態様における任意の実施態様に関連して、別の実施態様においては、取得部は具体的には、第1のユーザ機器の第1のサービング基地局によって送付された第1のタイミングアドバンスを受信し、または取得部は具体的には、第1のユーザ機器の第1のサービング基地局によって送付され、第1のタイミングアドバンスを決定するのに使用される少なくとも1つのタイミングオフセットを受信し、少なくとも1つのタイミングオフセットに従って第1のタイミングアドバンスを決定する。
【００２９】
第3の態様および第3の態様の前述の実施態様における任意の実施態様に関連して、別の実施態様においては、取得部によって取得されるデータフレーム構成は、送信から受信までの少なくとも1つのガード期間および受信から送信までの少なくとも1つのガード期間を含む。
【００３０】
第3の態様および第3の態様の前述の実施態様における任意の実施態様に関連して、別の実施態様においては、取得部によって取得されるデータフレーム構成は、第1のユーザ機器の第1のサービング基地局によって第1のユーザ機器へ送付され、またはデータフレーム構成は、第1のユーザ機器および第2のユーザ機器による事前折衝を通じて決定される。
【００３１】
第3の態様および第3の態様の前述の実施態様における任意の実施態様に関連して、別の実施態様においては、決定部はさらに、参照時刻、第2のタイミングアドバンス、およびデータフレーム構成に従って、データフレーム構成内のものである第1の送信サブフレームを送信する時刻を決定し、第2のタイミングアドバンスは、第1のユーザ機器が第1の送信サブフレームを送信するためのタイミングアドバンスを表す。
【００３２】
第4の態様によれば、デバイスが提供される。本デバイスは、デバイスツーデバイス（D2D）通信を行うユーザ機器がデータフレーム構成内のものである第1の受信サブフレームを受信する時刻、ユーザ機器がデータフレーム構成内のものである第1の送信サブフレームを送信する時刻、およびデータフレーム構成に従って、第1の時刻および第2の時刻を決定する決定部と、決定部によって決定される第1の時刻および第2の時刻に従って第1のサブフレームと第2のサブフレームとの間にガード期間を設定する設定部と、を含み、第1のサブフレームおよび第2のサブフレームはデータフレーム構成において連続して隣り合っており、第1のサブフレームが受信サブフレームであり、第2のサブフレームが送信サブフレームである場合には、第1の時刻はユーザ機器が第1のサブフレームを受信するときの終了時刻を表し、第2の時刻はユーザ機器が第2のサブフレームを送信するときの開始時刻を表し、または第1のサブフレームが送信サブフレームであり、第2のサブフレームが受信サブフレームである場合には、第1の時刻はユーザ機器が第1のサブフレームを送信するときの終了時刻を表し、第2の時刻はユーザ機器が第2のサブフレームを受信するときの開始時刻を表す。
【００３３】
第4の態様に関連して、別の可能な実施態様においては、設定部は具体的には、第1の時刻と第2の時刻との差が第1の閾値より大きい場合に、データ構成において、第1のサブフレームと第2のサブフレームとの間にガード期間が含まれないことを設定し、または設定部は具体的には、第1の時刻と第2の時刻との差が第1の閾値以下である場合に、データ構成において、第1のサブフレームと第2のサブフレームとの間に少なくとも1つのガード期間が含まれることを設定する。
【００３４】
第4の態様および第4の態様の前述の実施態様における任意の実施態様に関連して、別の実施態様においては、本デバイスは、ネットワーク側のデバイスまたはユーザ機器である。
【００３５】
本発明の各実施形態で提供される方法およびデバイスは、シンボル間の干渉を回避することができる。
【００３６】
本発明の実施形態における技術的解決策をより明確に説明するために、以下で、これらの実施形態を説明するのに必要な添付の図面について簡単に述べる。明らかに、以下の説明の添付の図面は、単に、本発明のいくつかの実施形態を示すにすぎず、当業者は、これら添付の図面から難なく他の図面をさらに導出することができる。
【図面の簡単な説明】
【００３７】
【図１】本発明の一実施形態に適用可能なD2D通信ネットワークのシナリオの概略図である。
【図２】本発明の一実施形態に適用可能なD2D通信ネットワークの別のシナリオの概略図である。
【図３】本発明の一実施形態によるデバイスツーデバイス通信のための方法の流れ図である。
【図４】本発明の一実施形態によるデータフレーム構成の概略図である。
【図５】本発明の別の実施形態によるデータフレーム構成の概略図である。
【図６】本発明の別の実施形態によるデータフレーム構成の概略図である。
【図７】本発明の別の実施形態によるデータフレーム構成の概略図である。
【図８】本発明の一実施形態によるデバイスツーデバイス通信のための方法の流れ図である。
【図９】本発明の一実施形態によるデータフレーム構成の概略図である。
【図１０】本発明の一実施形態による第1のユーザ機器の構造ブロック図である。
【図１１】本発明の一実施形態によるデバイスの構造ブロック図である。
【図１２】本発明の別の実施形態による第1のユーザ機器の構造ブロック図である。
【図１３】本発明の別の実施形態によるデバイスの構造ブロック図である。
【発明を実施するための形態】
【００３８】
以下で、本発明の実施形態における添付の図面に関連して、本発明の実施形態における技術的解決策を明確に、十分に説明する。明らかに、説明される実施形態は本発明の実施形態の全部ではなく一部にすぎない。本発明の実施形態に基づいて当業者によって難なく得られる他のすべての実施形態は、本発明の保護範囲内に含まれるものとする。
【００３９】
本発明の実施形態における技術的解決策は様々な通信システム、例えば、GSM(登録商標)（英語の正式名：Global System for Mobile Communications、中国語の正式名：モバイル通信用グローバルシステム）、CDMA（英語の正式名：Code Division Multiple Access、中国語の正式名：符号分割多元接続）、WCDMA(登録商標)（英語の正式名：Wideband Code Division Multiple Access、中国語の正式名：広帯域符号分割多元接続）、GPRS（英語の正式名：General Packet Radio Service、中国語の正式名：汎用パケット無線サービス）、LTE（英語の正式名：Long Term Evolution、中国語の正式名：ロング・ターム・エボルーション）、LTE  FDD（英語の正式名：Frequency Division Duplex、中国語の正式名：周波数分割複信）、LTE  TDD（英語の正式名：Time Division Duplex、中国語の正式名：時分割複信）、およびUMTS（英語の正式名：Universal Mobile Telecommunications System、中国語の正式名：ユニバーサル移動電話システム）に適用可能であることを理解すべきである。
【００４０】
本発明の実施形態においては、ユーザ機器（UE）を、端末（Terminal）、MS（英語の正式名：Mobile Station、中国語の正式名：移動局）、移動端末（Mobile Terminal）などと呼ぶことがある。ユーザ機器は、RAN（英語の正式名：Radio Access Network、中国語の正式名：無線アクセスネットワーク）を介して1つまたは複数のコアネットワークと通信することができる。例えば、ユーザ機器は、携帯電話（もしくは「セルラー」電話と呼ばれる）、移動端末を有するコンピュータ、またはMTC（英語の正式名：Machine Type Communication、中国語の正式名：マシン・タイプ・コミュニケーション）端末とすることができる。例えば、ユーザ機器は、携帯型モバイル装置、ポケットサイズのモバイル装置、ハンドヘルド型モバイル装置、コンピュータ内蔵型モバイル装置、または車載式モバイル装置とすることもでき、無線アクセスネットワークとオーディオおよび／またはデータをやりとりする。
【００４１】
本発明の実施形態においては、例えば、基地局は、GSMまたはCDMAにおけるBTS（英語の正式名：Base Transceiver Station、中国語の正式名：基地局）とすることもでき、またWCDMAにおけるNB（英語の正式名：NodeB、中国語の正式名：基地局）とすることもでき、さらに、LTEにおけるeNodeB（英語の正式名：Evolved NodeB、中国語の正式名：進化型NodeB）とすることもでき、これについて本発明では限定されない。
【００４２】
基地局コントローラは、GSMまたはCDMAにおけるBSCとすることもでき、WCDMAにおけるRNCとすることもでき、さらに、LTEでeNodeBにおいて組み合わせることもできる。
【００４３】
図1および図2は、本発明の実施形態に適用可能なD2D通信ネットワークのシナリオの概略図である。図1には1台の基地局と2台のUE、すなわち、UE102およびUE103が記載されている。基地局101はUE102およびUE103のサービング基地局である。UE102およびUE103はD2D通信を行うことができ、このことは単に説明上の都合にすぎない。図1のネットワークシステムは、本発明を実施することができるシナリオであり、単に、本発明の実施形態をより明確に説明するために示されているにすぎず、本発明の実施形態の適用範囲を限定するためのものではないことに留意すべきである。例えば、本発明の実施形態は、例として、図2に示されている別のシナリオに適用可能とすることもできる。図2では、UE203のサービング基地局は基地局202であり、UE204のサービング基地局は基地局201であり、UE203とUE204とはD2D通信を行うことができる。
【００４４】
本発明の実施形態においては図1または図2のデバイスの台数が制限されないことを理解すべきである。例えば、より多くの台数のUEが含まれていてもよい。本発明の実施形態においては基地局のタイプが制限されず、基地局は、マクロ基地局とすることもでき、マイクロ基地局とすることもでき、さらにはピコセル基地局、フェムト基地局、中継局などとすることもできることをさらに理解すべきである。
【００４５】
図1に示すように、基地局とUEとの間の伝送遅延のために、UE102がアップリンク情報を送信する時刻と基地局101がUE102によって送信されたアップリンク情報を受信する時刻との間にはラグtが生じる。しかし、D2D通信では、基地局とUEとの間に伝送遅延が存在するのみならず、UE間にも伝送遅延が存在する。D2D通信を行う2台のUEが異なるサービングセルに属する場合には、基地局間にもタイミングオフセットが存在する。図2に示すように、タイミングオフセットt4が基地局201と基地局202との間に存在する。
【００４６】
本発明の実施形態は、シンボル間の干渉が回避されるように、D2D通信のための方法および装置を提供する。
【００４７】
図3は、本発明の一実施形態によるデバイスツーデバイス通信のための方法の流れ図である。図3の方法はUEによって実行される。
【００４８】
301：第1のUEが、参照時刻、第1のタイミングアドバンス、およびデータフレーム構成を取得する。第1のタイミングアドバンスは、第1のUEがデータフレーム構成内のものである第1の受信サブフレームを受信するためのタイミングアドバンスを表し、第1の受信サブフレームは第2のユーザ機器によって送信される。
【００４９】
302：第1のUEは、参照時刻、第1のタイミングアドバンス、およびデータフレーム構成に従って、第1の受信サブフレームを受信する時刻を決定する。
【００５０】
本発明の本実施形態においては、第1のUEが、参照時刻、第1のタイミングアドバンス、およびデータフレーム構成に従って、データフレーム構成内のものである第1の受信サブフレームを受信する時刻を決定し、第1の受信サブフレームは第2のUEによって送信され、第1のタイミングアドバンスは、第1のUEがデータフレーム構成内のものである第1の受信サブフレームを受信するためのタイミングアドバンスを表す。したがって、第1のUEが第2のUEによって送信される第1の受信サブフレームを受信する時刻が第1のタイミングアドバンスを用いて調整され、そのため、第1のUEはデータフレームのより正確なタイミングを有し、シンボル間の干渉を回避することができる。
【００５１】
任意選択で、一実施形態として、図1のシナリオに示すように、第1のUEの第1のサービング基地局が第2のUEの第2のサービング基地局と同じである場合には、第1のタイミングアドバンスは、1のUEと第1のサービング基地局との間の第1のタイミングオフセット、第2のUEと第2のサービング基地局との間の第2のタイミングオフセット、および第1のUEと第2のUEとの間の第3のタイミングオフセットの各タイミングオフセットのうちの少なくとも1つに従って決定することもできる。例えば、第1のタイミングアドバンスは、第1のタイミングオフセットとすることもでき、複数のタイミングオフセットの組み合わせとすることもできる。
【００５２】
任意選択で、参照時刻は、第1のサービング基地局がデータフレームを送信する時刻、第1のUEが第1のサービング基地局によって送信されたデータフレームを受信する時刻、および第2のUEが第1のサービング基地局によって送信されたデータフレームを受信する時刻の各種の時刻のうちの少なくとも1つに従って決定することもできる。
【００５３】
あるいは、図2のシナリオに示すように、第1のサービング基地局が第2のサービング基地局と異なる場合には、第1のタイミングアドバンスは、第1のUEと第1のサービング基地局との間の第1のタイミングオフセット、第2のUEと第2のサービング基地局との間の第2のタイミングオフセット、第1のUEと第2のUEとの間の第3のタイミングオフセット、および第1のサービング基地局と第2のサービング基地局との間の第4のタイミングオフセットの各タイミングオフセットのうちの少なくとも1つに従って決定することもできる。
【００５４】
任意選択で、参照時刻は、第1のサービング基地局がデータフレームを送信する時刻、第2のサービング基地局がデータフレームを送信する時刻、第1のUEが第1のサービング基地局によって送信されたデータフレームを受信する時刻、第1のUEが第2のサービング基地局によって送信されたデータフレームを受信する時刻、第2のUEが第1のサービング基地局によって送信されたデータフレームを受信する時刻、および第2のUEが第2のサービング基地局によって送信されたデータフレームを受信する時刻の各種の時刻のうちの少なくとも1つに従って決定することもできる。
【００５５】
具体的には、ステップ302で、第1の受信サブフレームを受信する時刻tは、
t＝t0−t1＋tsubframe  （1）
であり、式中、t0は、参照時刻であり、第1のサービング基地局が第1のUEへダウンリンク・データ・フレームを送信する時刻であり、t1は、第1のタイミングアドバンスであり、第1のタイミングオフセット、第2のタイミングオフセット、または第3のタイミングオフセットのうちの1つであり、tsubframeは、第1の受信サブフレームと、データフレーム構成内のものである第1のサブフレームとの間の遅延を表すものとして決定することができる。
【００５６】
あるいは、ステップ302で、第1の受信サブフレームを受信する時刻tは、
t＝t0−t1／2＋tsubframe  （2）
であり、式中、t0は、参照時刻であり、第1のサービング基地局が第1のUEへダウンリンク・データ・フレームを送信する時刻であり、t1は、第1のタイミングオフセット、第2のタイミングオフセット、または第3のタイミングオフセットのうちの1つであり、t1／2は、第1のタイミングアドバンスであり、tsubframeは、第1の受信サブフレームと、データフレーム構成内のものである第1のサブフレームとの間の遅延を表すものとして決定することができる。
【００５７】
あるいは、ステップ302で、第1の受信サブフレームを受信する時刻tは、
t＝t0−（t1−t2−t3）＋tsubframe  （3）
であり、式中、t0は、参照時刻であり、第1のサービング基地局が第1のUEへダウンリンク・データ・フレームを送信する時刻であり、（t1−t2−t3）は、第1のタイミングアドバンスであり、t1は、第1のタイミングオフセットであり、t2は、第2のタイミングオフセットであり、t3は、第3のタイミングオフセットであり、tsubframeは、第1の受信サブフレームと、データフレーム構成内のものである第1のサブフレームとの間の遅延を表すものとして決定することもできる。
【００５８】
図2のシナリオに示すように、ステップ302で、第1の受信サブフレームを受信する時刻tは、
t＝t0−（t1＋t4）＋tsubframe  （4）
であり、式中、t0は、参照時刻であり、第1のサービング基地局が第1のUEへダウンリンク・データ・フレームを送信する時刻であり、（t1＋t4）は、第1のタイミングアドバンスであり、t1は、第1のタイミングオフセット、第2のタイミングオフセット、または第3のタイミングオフセットのうちの1つであり、t4は、第4のタイミングオフセットであり、tsubframeは、第1の受信サブフレームと、データフレーム構成内のものである第1のサブフレームとの間の遅延を表すものとして決定することもできる。
【００５９】
あるいは、第1の受信サブフレームを受信する時刻tは、
t＝t0−（t1／2＋t4）＋tsubframe  （5）
であり、式中、t0は、参照時刻であり、第1のサービング基地局が第1のUEへダウンリンク・データ・フレームを送信する時刻であり、（t1／2＋t4）は、第1のタイミングアドバンスであり、t1は、第1のタイミングオフセット、第2のタイミングオフセット、または第3のタイミングオフセットのうちの1つであり、t4は、第4のタイミングオフセットであり、tsubframeは、第1の受信サブフレームと、データフレーム構成内のものである第1のサブフレームとの間の遅延を表すものとして決定することもできる。
【００６０】
第1のUEが第1の受信サブフレームを受信する時刻tを決定するのに用いる前述の式（1）から式（5）において、参照時刻の選択および第1のタイミングアドバンスの例は単なる例示にすぎず、本発明の範囲を限定するためのものではないことを理解すべきである。
【００６１】
タイミングオフセットを用いて決定されることは、ここではタイミングオフセットと完全に等しいことを意味するものではないことに留意すべきである。例えば、第1のタイミングアドバンスは第1のタイミングオフセットを用いて決定され、第1のタイミングオフセットはTA1であるものと仮定する。その場合、第1のタイミングアドバンスはTA1とすることもでき、TA1／2とすることもでき、以下同様である。別の例として、第1のタイミングアドバンスは第1のタイミングオフセットおよび第2のタイミングオフセットの組み合わせを用いて決定され、第1のタイミングオフセットはTA1であり、第2のタイミングオフセットはTA2であるものと仮定する。その場合、第1のタイミングアドバンスは、（TA1＋TA2）／2などとすることができる。実際のネットワークにおいては、タイミングオフセットは伝送遅延に関連している。通常の場合には、タイミングオフセットは伝送遅延の2倍の長さであるとみなすことができる。例えば、UEと基地局との間のタイミングオフセットは、UEと基地局との間の伝送遅延の2倍の長さとすることができる。
【００６２】
前述の解決策を用いることにより、第1のタイミングアドバンスはタイミングオフセットを用いて決定され、第1のUEが第2のUEによって送信された第1の受信サブフレームを受信する時刻は調整され、そのため、第1のUEはデータフレームのより正確なタイミングを有し、シンボル間の干渉を回避することができる。
【００６３】
任意選択で、第1のタイミングアドバンスの決定が第1のUEのサービング基地局によって行われてもよい。すなわち、ステップ301で、第1のUEは第1のUEのサービング基地局から第1のタイミングアドバンスを取得することができる。当然ながら、第1のUEは、第1のUEのサービング基地局から、第1のタイミングアドバンスを決定するのに使用される少なくとも1つのタイミングオフセットを受信することもでき、第1のUEは、その少なくとも1つのタイミングオフセットに従って第1のタイミングアドバンスを決定する。このことは本発明の本実施形態では限定されないことを理解すべきである。
【００６４】
任意選択で、別の実施形態として、第1のUEは、参照時刻、第2のタイミングアドバンス、およびデータフレーム構成に従って、第1のUEがデータフレーム構成内のものである第1の送信サブフレームを送信する時刻を決定し、第2のタイミングアドバンスは、第1のUEが第1の送信サブフレームを送信するためのタイミングアドバンスを表す。任意選択で、第2のタイミングアドバンスの値を、第1のUEと第1のUEのサービング基地局との間の第1のタイミングオフセットとすることもできる。
【００６５】
任意選択で、別の実施形態として、ステップ301で、第1のUEは、ネットワーク側のデバイス（例えば、第1のサービング基地局）からデータフレーム構成を取得することもできる。すなわち、データフレーム構成はネットワーク側のデバイスによって第1のUEへ送付される。あるいは、第1のUEは、使用されるべきデータフレーム構成に関して第2のUEと事前折衝することもできる。例えば、第1のUEと第2のUEの一方のUEがデータフレーム構成を決定し、そのデータフレーム構成を他方のUEへ送信する。
【００６６】
任意選択で、別の実施形態として、データフレーム構成は、送信から受信までの少なくとも1つのGPおよび受信から送信までの少なくとも1つのGPを含む場合もあり、あるいは、データフレーム構成は、送信から受信までのただ1つのGPを含む場合もあり、あるいは、データフレーム構成は、GPを含まない場合もあり、以下同様である。本発明の本実施形態で使用されるデータフレーム構成の形態は限定されないことを理解すべきである。
【００６７】
具体的には、図4に示すように、D2D通信における第1のUEのデータフレーム構成は10個の伝送サブフレームを含む。10個の伝送サブフレームは、順次に、4個の送信サブフレームT、1個の送信から受信への変換サブフレームT’、4個の受信サブフレームR、および1個の受信から送信への変換サブフレームR’を含むを順次に含む。送信から受信への変換サブフレームT’は、順次に、送信部分、GP（送信から受信までのGPともいう）、および受信部分を含む。受信から送信への変換サブフレームR’は、順次に、受信部分、GP（受信から送信までのGPともいう）、および送信部分を含む。変換サブフレームは別の形態とすることもできる。図5に示すように、変換サブフレームT’は、順次に、送信部分およびGP（送信から受信までのGPともいう）を含み、変換サブフレームR’は、順次に、受信部分およびGP（受信から送信までのGPともいう）を含む。それに対応して、第2のUEについて、第2のUEのデータフレーム構成は、順次に、4個の受信サブフレームR、1個の受信から送信への変換サブフレームR’、4個の送信サブフレームT、および1個の送信から受信への変換サブフレームT’を含む。
【００６８】
当然ながら、第1のUEのデータフレーム構成は、順次に、4個の受信サブフレームR、1個の受信から送信への変換サブフレームR’、4個の送信サブフレームT、および1個の送信から受信への変換サブフレームT’を含むこともでき、第2のUEのデータフレーム構成は、順次に、4個の送信サブフレームT、1個の送信から受信への変換サブフレームT’、4個の受信サブフレームR、および1個の受信から送信への変換サブフレームR’を含むこともできる。
【００６９】
このことは本発明の本実施形態では限定されないことを理解すべきである。データフレーム構成内のものである送信サブフレーム、受信サブフレーム、および変換サブフレーム（すなわちGP）の数量および位置（順序）は本発明の本実施形態では限定されないことにもさらに留意すべきである。例えば、データフレーム構成は、例として図6に示すことができる。
【００７０】
任意選択で、第1の時刻および第2の時刻を、デバイスツーデバイス（D2D）通信を行うUEがデータフレーム構成内のものである第1の受信サブフレームを受信する時刻、UEがデータフレーム構成内のものである第1の送信サブフレームを送信する時刻、およびデータフレーム構成に従って決定することもでき、ガード期間が、第1の時刻および第2の時刻に従って、第1のサブフレームと第2のサブフレームとの間に設定される。第1のサブフレームおよび第2のサブフレームはデータフレーム構成において連続して隣り合っており、第1のサブフレームが受信サブフレームであり、第2のサブフレームが送信サブフレームである場合には、第1の時刻はUEが第1のサブフレームを受信するときの終了時刻（「停止時刻」ともいう）を表し、第2の時刻はUEが第2のサブフレームを送信するときの開始時刻を表し、または第1のサブフレームが送信サブフレームであり、第2のサブフレームが受信サブフレームである場合には、第1の時刻はUEが第1のサブフレームを送信するときの終了時刻を表し、第2の時刻はUEが第2のサブフレームを受信するときの開始時刻を表す。
【００７１】
言い換えると、GPを、受信のタイミングアドバンス、送信のタイミングアドバンス、およびデータフレーム構成に従って設定することもできる。例えば、GPは、第1のタイミングアドバンス、第2のタイミングアドバンス、およびデータフレーム構成に従って設定される。
【００７２】
具体的には、第1の時刻と第2の時刻との差が第1の閾値より大きい場合に、データ構成において、第1のサブフレームと第2のサブフレームとの間にガード期間が含まれないことが設定され、または、第1の時刻と第2の時刻との差が第1の閾値以下である場合に、データ構成において、第1のサブフレームと第2のサブフレームとの間に少なくとも1つのガード期間が含まれることが設定される。
【００７３】
任意選択で、データフレーム構成内のGPは、ネットワーク側のデバイス（例えば、第1のサービング基地局）によって設定することもできる。当然ながら、データフレーム構成内のGPは、第1のUEと第2のUEによる事前折衝を通じて設定することもできる。このことは本発明の本実施形態では限定されないことを理解すべきである。同様に、参照時刻の選択も、ネットワーク側のデバイスによって第1のUEへ送付することもでき、また、第1のUEと第2のUEによる事前折衝を通じて決定することもできる。
【００７４】
したがって、データフレーム構成においてGPを設定すべきかどうかは、データフレーム構成内の2つの連続して隣り合うサブフレームに従って、すなわち、受信サブフレームの受信終了時刻および送信サブフレームの送信開始時刻、または送信サブフレームの送信終了時刻および受信サブフレームの受信開始時刻に従って決定される。このようにして、シンボル間の干渉が回避され、リソースを有効に利用することができる。
【００７５】
本発明の本実施形態を、以下で具体例に関連して詳細に説明する。
【００７６】
D2D通信を行う2台のUEはUE1およびUE2である。UE1およびUE2はどちらも、参照時刻、データフレーム構成、および第1のタイミングアドバンス（受信のタイミングアドバンス）を取得し、任意選択で、第2のタイミングアドバンス（送信のタイミングアドバンス）をさらに取得する。データフレームのタイミングを決定するのに使用される情報を取得するやり方については、前述の説明を参照することができ、ここではこれ以上詳細を繰り返さない。D2D通信のデータフレーム構成について、一例として図7を用いると、UE1のデータフレーム構成は10個の伝送サブフレームを含み、これら10個の伝送サブフレームは、順次に、4個の送信サブフレームT、1個の送信から受信への変換サブフレームT’、4個の受信サブフレームR、および1個の受信から送信への変換サブフレームR’を含み、それに対応して、UE2のデータフレーム構成は、順次に、4個の受信サブフレームR、1個の受信から送信への変換サブフレームR’、4個の送信サブフレームT、および1個の送信から受信への変換サブフレームT’を含む。
【００７７】
参照時刻はT0であり、UE1の受信のタイミングアドバンスと送信のタイミングアドバンスはどちらもΔt11であり、任意選択で、Δt11はタイミングオフセットを用いて決定することもできるものと仮定する。例えば、Δt11は、UE1とUE1のサービング基地局との間のタイミングオフセットとすることもできる。UE2の送信のタイミングアドバンスはΔt21であり、UE2の受信のタイミングアドバンスは（Δt21−Δt22）である。任意選択で、UE2のサービング基地局がUE2へΔt21およびΔt22を送信することもでき、その場合UE2は受信のタイミングアドバンスを決定し、また当然ながら、Δt21および（Δt21−Δt22）をUE2へ直接送信することもできる。任意選択で、Δt21およびΔt22を、タイミングオフセットに従って決定することもできる。具体的には、タイミングオフセットに従ってタイミングアドバンスを決定するやり方については、前述の説明を参照することができ、ここではこれ以上詳細を繰り返さない。
【００７８】
UE1について、UE1がデータフレーム構成内のものである第1の送信サブフレームをUE2へ送信する時刻は、ts1＝T0−Δt11である。データフレーム構成内の第1の受信サブフレームとデータフレーム構成内の第1のサブフレームとの間の遅延はΔt’であり、Δt’は5サブフレームの遅延である。UE1がUE2によって送信された第1の受信サブフレームを受信する時刻は、tr1＝T0−Δt11＋Δt’である。UE2について、UE2が、UE1によって送信される、データフレーム構成内のものである第1の送信サブフレームを受信する時刻は、tr2＝T0−（Δt21−Δt22）である。UE2がデータフレーム構成内のものである第1の受信サブフレームをUE1へ送信する時刻は、ts2＝T0−Δt21＋Δt’である。したがって、データフレームのタイミングがタイミングアドバンスに従って調整され、そのため、UEはD2D通信を行うときにサブフレームを正しく送受信することができ、シンボル間の干渉を回避することができる。
【００７９】
前述の例は単に当業者が本発明の実施形態をより良く理解するのを助けるためのものにすぎず、本発明の範囲を限定するためのものではないことに留意すべきである。タイミングアドバンスの値は正であっても負であってよく、本発明の実施形態においては限定されない。
【００８０】
図8は、本発明の一実施形態によるデバイスツーデバイス通信のための方法の流れ図である。
【００８１】
801：デバイスツーデバイス（D2D）通信を行うUEがデータフレーム構成内のものである第1の受信サブフレームを受信する時刻、UEがデータフレーム構成内のものである第1の送信サブフレームを送信する時刻、およびデータフレーム構成に従って、第1の時刻および第2の時刻を決定する。
【００８２】
802：第1の時刻および第2の時刻に従って第1のサブフレームと第2のサブフレームとの間にガード期間を設定する。第1のサブフレームおよび第2のサブフレームはデータフレーム構成において連続して隣り合っており、第1のサブフレームが受信サブフレームであり、第2のサブフレームが送信サブフレームである場合には、第1の時刻はUEが第1のサブフレームを受信するという終了時刻（「停止時刻」ともいう）を表し、第2の時刻はUEが第2のサブフレームを送信するときの開始時刻を表し、または第1のサブフレームが送信サブフレームであり、第2のサブフレームが受信サブフレームである場合には、第1の時刻はUEが第1のサブフレームを送信するときの終了時刻を表し、第2の時刻はUEが第2のサブフレームを受信するときの開始時刻を表す。
【００８３】
本発明の本実施形態においては、データフレーム構成においてGPを設定すべきかどうかは、データフレーム構成内の2つの連続して隣り合うサブフレームに従って、すなわち、受信サブフレームの受信終了時刻および送信サブフレームの送信開始時刻、または送信サブフレームの送信終了時刻および受信サブフレームの受信開始時刻に従って決定される。このようにして、シンボル間の干渉が回避され、リソースを有効に利用することができる。
【００８４】
ステップ801で、第1のサブフレームが受信サブフレームであり、第2のサブフレームが送信サブフレームである場合には、第1の受信サブフレームは、第1のサブフレームと同じである場合も異なる場合もあり、データフレーム構成において、第1の受信サブフレームと第1のサブフレームとの間には特定のサブフレーム遅延が生じる。したがって、第1のサブフレームを受信するための終了時刻は、第1の受信サブフレームの受信時刻およびサブフレーム遅延に従って決定することができることに留意すべきである。同様に、第2のサブフレームを送信するための開始時刻も、第1の送信サブフレームの送信時刻およびサブフレーム遅延に従って決定することができる。
【００８５】
それに対応して、第2のサブフレームが受信サブフレームであり、第1のサブフレームが送信サブフレームである場合には、第1の受信サブフレームは、第2のサブフレームと同じである場合も異なる場合もあり、データフレーム構成において、第1の受信サブフレームと第2のサブフレームとの間には特定のサブフレーム遅延が生じ、したがって、第2のサブフレームを受信するための開始時刻は、第1の受信サブフレームの受信時刻およびサブフレーム遅延に従って決定することができる。同様に、第1のサブフレームを送信するための終了時刻も、第1の送信サブフレームの送信時刻およびサブフレーム遅延に従って決定することができる。
【００８６】
任意選択で、一実施形態として、ステップ802で、第1の時刻と第2の時刻との差が第1の閾値より大きい場合には、データ構成において、第1のフレームと第2のサブフレームとの間にガード期間が含まれないことが設定され、または、第1の時刻と第2の時刻との差が第1の閾値以下である場合には、データ構成において、第1のサブフレームと第2のサブフレームとの間に少なくとも1つのガード期間が含まれることが設定される。
【００８７】
任意選択で、別の実施形態として、図8の方法は、ネットワーク側のデバイスまたはユーザ機器によって実行することもできる。データフレーム構成内のGPは、ネットワーク側のデバイス（例えば、第1のUEの第1のサービング基地局）によって設定することができる。当然ながら、データフレーム構成内のGPは、第1のUEと第2のUEによる事前折衝を通じて設定することもできる。このことは本発明の本実施形態では限定されないことを理解すべきである。
【００８８】
本発明の本実施形態を、以下で図9の例に関連して詳細に説明する。
【００８９】
D2D通信のデータフレーム構成は、順次に、5個の送信サブフレームおよび5個の受信サブフレームを含むものと仮定する。
【００９０】
UE1について、図9に示すデータフレーム構成は、順次に、TTTRRRRRTTを含む。それに対応して、UE2について、図9に示すデータフレーム構成は、順次に、RRRTTTTTRRを含む。UE2から見ると、受信から送信への変換（すなわち、第1のサブフレームは受信サブフレームであり第2のサブフレームは送信サブフレームである）について、図9では、t’1はUE2の受信の終了時刻であり、t’’1はUE2の送信の開始時刻であり、Δt1はt’1とt’’1との差である。送信から受信への変換（すなわち、第2のサブフレームは受信サブフレームであり第1のサブフレームは送信サブフレームである）について、図9では、t’2はUE2の受信の開始時刻であり、t’’2はUE2の送信の終了時刻であり、Δt2はt’2とt’’2との差である。受信から送信への変換時間および送信から受信への変換時間がどちらも20μSであると仮定すると、tx1＝20μSおよびtx2＝20μSと設定することができる。得られたΔt1が0．5msである、すなわち、受信から送信までの差Δt1が受信から送信までの変換時間tx1よりもはるかに大きい場合、受信から送信までの変換時間は設定される必要がない。送信から受信までの変換のプロセスについては、UE2の受信の開始時刻t’2は、UE2の送信の終了時刻t’’2よりもずっと早い。すなわち、Δt2≦tx2であり、Δt2は負の値である。この場合には、少なくとも0．5ms＋20μsのガード期間が必要とされる。すなわち、送信の終了時刻t’’2が受信の開始時刻t’2よりも早くなり、終了時刻t’’2と開始時刻t’2との間の間隔が変換時間より大きくなるように保護区間を提供するために8個のOFDM（Orthogonal Frequency Division Multiplexing、直交周波数分割多重）シンボルが必要とされる。
【００９１】
例として、Δt1＞tx1であり、Δt2≦tx2であるときには、D2D通信では、UE1のデータフレーム構成の形態をTTTTTRRRRR’とすることができ、Δt1＞tx1であり、Δt2≦tx2であるときには、UE1のデータフレーム構成の形態をTTTTTRRRRR’とすることができる。Δt1≦tx1であり、Δt2≦tx2であるときには、データフレーム構成は送信から受信までのガード期間および受信から送信までのガード期間を提供する必要があり、UE1のデータフレーム構成の形態をTTTTT’RRRRR’とすることができる。Δt1＞tx1であり、Δt2＞tx2であるときには、UE1のデータフレーム構成の形態をTTTTTRRRRRとすることができる。すなわち、データフレーム構成においてガード期間を設定する必要がない。このようにして、リソースの無駄を低減することができる。
【００９２】
tx1はtx2と同じであっても異なっていてもよく、Δt1の値およびΔt2の値は正であっても負であってもよく、これらは、本発明の本実施形態において限定されないことを理解すべきである。前述の例は単なる例示にすぎず、本発明の範囲を限定するためのものではないことにさらに留意すべきである。
【００９３】
前述の解決策を用いることにより、データフレーム構成においてガード期間が適正に設定され、それによって、リソース利用が有効に改善される。
【００９４】
図10は、本発明の一実施形態による第1のUEの構造ブロック図である。第1のUE1000は、取得部1001と決定部1002とを含む。
【００９５】
取得部1001は、参照時刻、第1のタイミングアドバンス、およびデータフレーム構成を取得する。第1のタイミングアドバンスは、第1のUEがデータフレーム構成内のものである第1の受信サブフレームを受信するためのタイミングアドバンスを表し、第1の受信サブフレームは第2のUEによって送信される。
【００９６】
決定部1002は、取得部1001によって取得される参照時刻、第1のタイミングアドバンス、およびデータフレーム構成に従って、第1の受信サブフレームを受信する時刻を決定する。
【００９７】
本発明の本実施形態においては、第1のUEが、参照時刻、第1のタイミングアドバンス、およびデータフレーム構成に従って、データフレーム構成内のものである第1の受信サブフレームを受信する時刻を決定し、第1の受信サブフレームは第2のUEによって送信され、第1のタイミングアドバンスは、第1のUEがデータフレーム構成内のものである第1の受信サブフレームを受信するためのタイミングアドバンスを表す。したがって、第1のUEが第2のUEによって送信される第1の受信サブフレームを受信する時刻は第1のタイミングアドバンスを用いて調整され、そのため、第1のUEはデータフレームのより正確なタイミングを有し、シンボル間の干渉を回避することができる。
【００９８】
第1のUE1000は、図1から図7の方法の、第1のUEが関与するステップを実施することができ、反復を回避するために、これ以上詳細を繰り返さない。
【００９９】
任意選択で、一実施形態として、図1のシナリオに示すように、第1のUEの第1のサービング基地局が第2のUEの第2のサービング基地局と同じである場合には、取得部1001によって取得される第1のタイミングアドバンスは、第1のUEと第1のサービング基地局との間の第1のタイミングオフセット、第2のUEと第2のサービング基地局との間の第2のタイミングオフセット、および第1のUEと第2のUEとの間の第3のタイミングオフセットの各タイミングオフセットのうちの少なくとも1つに従って決定することもできる。例えば、取得部1001によって取得される第1のタイミングアドバンスは、第1のタイミングオフセットとすることもでき、複数のタイミングオフセットの組み合わせとすることもできる。
【０１００】
任意選択で、取得部1001によって取得される参照時刻は、第1のサービング基地局がデータフレームを送信する時刻、第1のUEが第1のサービング基地局によって送信されたデータフレームを受信する時刻、および第2のUEが第1のサービング基地局によって送信されたデータフレームを受信する時刻の各種の時刻のうちの少なくとも1つに従って決定することもできる。
【０１０１】
あるいは、図2のシナリオに示すように、第1のUEの第1のサービング基地局が第2のUEの第2のサービング基地局と異なる場合には、取得部1001によって取得される第1のタイミングアドバンスは、第1のUEと第1のサービング基地局との間の第1のタイミングオフセット、第2のUEと第2のサービング基地局との間の第2のタイミングオフセット、第1のUEと第2のUEとの間の第3のタイミングオフセット、および第1のサービング基地局と第2のサービング基地局との間の第4のタイミングオフセットの各種の時刻のうちの少なくとも1つに従って決定することもできる。
【０１０２】
任意選択で、取得部1001によって取得される参照時刻は、第1のサービング基地局がデータフレームを送信する時刻、第2のサービング基地局がデータフレームを送信する時刻、第1のUEが第1のサービング基地局によって送信されたデータフレームを受信する時刻、第1のUEが第2のサービング基地局によって送信されたデータフレームを受信する時刻、第2のUEが第1のサービング基地局によって送信されたデータフレームを受信する時刻、および第2のUEが第2のサービング基地局によって送信されたデータフレームを受信する時刻の各種の時刻のうちの少なくとも1つに従って決定することもできる。
【０１０３】
具体的には、決定部1002は具体的には、第1の受信サブフレームを受信する時刻tを、t＝t0−t1＋tsubframe、であり、式中、t0は、参照時刻であり、第1のサービング基地局が第1のUEへダウンリンク・データ・フレームを送信する時刻であり、t1は、第1のタイミングアドバンスであり、第1のタイミングオフセット、第2のタイミングオフセット、または第3のタイミングオフセットのうちの1つであり、tsubframeは、第1の受信サブフレームと、データフレーム構成内のものである第1のサブフレームとの間の遅延を表すものとして決定することができる。
【０１０４】
あるいは、決定部1002は具体的には、第1の受信サブフレームを受信する時刻tを、t＝t0−t1／2＋tsubframe、であり、式中、t0は、参照時刻であり、第1のサービング基地局が第1のUEへダウンリンク・データ・フレームを送信する時刻であり、t1は、第1のタイミングオフセット、第2のタイミングオフセット、または第3のタイミングオフセットのうちの1つであり、t1／2は、第1のタイミングアドバンスであり、tsubframeは、第1の受信サブフレームと、データフレーム構成内のものである第1のサブフレームとの間の遅延を表すものとして決定することもできる。
【０１０５】
あるいは、決定部1002は具体的には、第1の受信サブフレームを受信する時刻tを、t＝t0−（t1−t2−t3）＋tsubframe、であり、式中、t0は、参照時刻であり、第1のサービング基地局が第1のUEへダウンリンク・データ・フレームを送信する時刻であり、（t1−t2−t3）は、第1のタイミングアドバンスであり、t1は、第1のタイミングオフセットであり、t2は、第2のタイミングオフセットであり、t3は、第3のタイミングオフセットであり、tsubframeは、第1の受信サブフレームと、データフレーム構成内のものである第1のサブフレームとの間の遅延を表すものとして決定することもできる。
【０１０６】
図2に示すシナリオでは、決定部1002は具体的には、第1の受信サブフレームを受信する時刻tを、t＝t0−（t1＋t4）＋tsubframe、であり、式中、t0は、参照時刻であり、第1のサービング基地局が第1のUEへダウンリンク・データ・フレームを送信する時刻であり、（t1＋t4）は、第1のタイミングアドバンスであり、t1は、第1のタイミングオフセット、第2のタイミングオフセット、または第3のタイミングオフセットのうちの1つであり、t4は、第4のタイミングオフセットであり、tsubframeは、第1の受信サブフレームと、データフレーム構成内のものである第1のサブフレームとの間の遅延を表すものとして決定することもできる。
【０１０７】
あるいは、決定部1002は具体的には、第1の受信サブフレームを受信する時刻tを、t＝t0−（t1／2＋t4）＋tsubframe、であり、式中、t0は、参照時刻であり、第1のサービング基地局が第1のUEへダウンリンク・データ・フレームを送信する時刻であり、（t1／2＋t4）は、第1のタイミングアドバンスであり、t1は、第1のタイミングオフセット、第2のタイミングオフセット、または第3のタイミングオフセットのうちの1つであり、t4は、第4のタイミングオフセットであり、tsubframeは、第1の受信サブフレームと、データフレーム構成内のものである第1のサブフレームとの間の遅延を表すものとして決定することもできる。
【０１０８】
第1のUEが第1の受信サブフレームを受信する時刻tを決定するのに用いる前述の式（1）から式（5）において、参照時刻の選択および第1のタイミングアドバンスの例は単なる例示にすぎず、本発明の範囲を限定するためのものではないことを理解すべきである。
【０１０９】
タイミングオフセットを用いて決定されることは、ここではタイミングオフセットと完全に等しいことを意味するものではないことに留意すべきである。例えば、第1のタイミングアドバンスは第1のタイミングオフセットを用いて決定され、第1のタイミングオフセットはTA1であるものと仮定する。その場合、第1のタイミングアドバンスはTA1とすることもでき、TA1／2とすることもでき、以下同様である。別の例として、第1のタイミングアドバンスは第1のタイミングオフセットおよび第2のタイミングオフセットの組み合わせを用いて決定され、第1のタイミングオフセットはTA1であり、第2のタイミングオフセットはTA2であるものと仮定する。その場合、第1のタイミングアドバンスは、（TA1＋TA2）／2などとすることができる。実際のネットワークにおいては、タイミングオフセットは伝送遅延に関連している。通常の場合には、タイミングオフセットは伝送遅延の2倍の長さであるとみなすことができる。例えば、UEと基地局との間のタイミングオフセットは、UEと基地局との間の伝送遅延の2倍の長さとすることができる。
【０１１０】
前述の解決策を用いることにより、第1のタイミングアドバンスはタイミングオフセットを用いて決定され、第1のUEが第2のUEによって送信された第1の受信サブフレームを受信する時刻は調整され、そのため、第1のUEはデータフレームのより正確なタイミングを有し、シンボル間の干渉を回避することができる。
【０１１１】
任意選択で、別の実施形態として、取得部1001は具体的には、第1のUEの第1のサービング基地局によって送付された第1のタイミングアドバンスを受信する、すなわち、第1のサービング基地局から第1のタイミングアドバンスを取得することもできる。あるいは、取得部1001は具体的には、第1のサービング基地局によって送付され、第1のタイミングアドバンスを決定するのに使用される少なくとも1つのタイミングオフセットを受信し、少なくとも1つのタイミングオフセットに従って第1のタイミングアドバンスを決定することもできる。第1のタイミングアドバンスは、少なくとも1つのタイミングオフセットに従って決定部1002によって決定される。このことは本発明の本実施形態では限定されないことを理解すべきである。
【０１１２】
任意選択で、別の実施形態として、決定部1002はさらに、参照時刻、第2のタイミングアドバンス、およびデータフレーム構成に従って、第1のUEがデータフレーム構成内のものである第1の送信サブフレームを送信する時刻を決定することもでき、第2のタイミングアドバンスは、第1のUEが第1の送信サブフレームを送信するためのタイミングアドバンスを表す。任意選択で、第2のタイミングアドバンスの値を、第1のUEと第1のサービング基地局との間の第1のタイミングオフセットとすることもできる。
【０１１３】
任意選択で、別の実施形態として、取得部1001は具体的には、ネットワーク側のデバイス（例えば、第1のサービング基地局）からデータフレーム構成を取得することもできる。すなわち、データフレーム構成は第1のサービング基地局によって第1のUEへ送付される。あるいは、取得部1001は具体的には、使用されるべきデータフレーム構成に関して第2のUEと事前折衝することもできる。例えば、第1のUEと第2のUEの一方のUEがデータフレーム構成を決定し、そのデータフレーム構成を他方のUEへ送信する。
【０１１４】
任意選択で、別の実施形態として、取得部1001によって取得されるデータフレーム構成は、送信から受信までの少なくとも1つのGPおよび受信から送信までの少なくとも1つのGPを含む場合もあり、あるいは、データフレーム構成は、送信から受信までのただ1つのGPを含む場合もあり、あるいは、データフレーム構成は、GPを含まない場合もあり、以下同様である。本発明の本実施形態で使用されるデータフレーム構成の形態は限定されないことを理解すべきである。具体例については、前述の図4から図7の実施形態を参照することができ、ここではこれ以上詳細を繰り返さない。
【０１１５】
データフレーム構成は、送信から受信までの少なくとも1つのGPおよび受信から送信までの少なくとも1つのGPを含む場合もあり、あるいは、データフレーム構成は、送信から受信までのただ1つのGPを含む場合もあり、あるいは、データフレーム構成は、GPを含まない場合もあることを理解すべきである。本発明の本実施形態で使用されるデータフレーム構成の形態は限定されないことを理解すべきである。
【０１１６】
任意選択で、第1のUEおよび第2のUEはデータフレーム構成におけるGPの設定を決定するために折衝することもできる。具体的には、決定部1002はさらに、デバイスツーデバイス（D2D）通信を行うUEがデータフレーム構成内のものである第1の受信サブフレームを受信する時刻、UEがデータフレーム構成内のものである第1の送信サブフレームを送信する時刻、およびデータフレーム構成に従って、第1の時刻および第2の時刻を決定し、第1の時刻および第2の時刻に従って、第1のサブフレームと第2のサブフレームとの間にガード期間を設定することができる。第1のサブフレームおよび第2のサブフレームはデータフレーム構成において連続して隣り合っており、第1のサブフレームが受信サブフレームであり、第2のサブフレームが送信サブフレームである場合には、第1の時刻はUEが第1のサブフレームを受信するときの終了時刻（「停止時刻」ともいう）を表し、第2の時刻はUEが第2のサブフレームを送信するときの開始時刻を表し、または第1のサブフレームが送信サブフレームであり、第2のサブフレームが受信サブフレームである場合には、第1の時刻はUEが第1のサブフレームを送信するときの終了時刻を表し、第2の時刻はUEが第2のサブフレームを受信するときの開始時刻を表す。
【０１１７】
言い換えると、決定部1002はさらに、受信のタイミングアドバンス、送信のタイミングアドバンス、およびデータフレーム構成に従ってGPを設定することもできる。例えば、GPは、第1のタイミングアドバンス、第2のタイミングアドバンス、およびデータフレーム構成に従って設定される。具体的には、第1の時刻と第2の時刻との差が第1の閾値より大きい場合に、データ構成において、第1のサブフレームと第2のサブフレームとの間にガード期間が含まれないことが設定され、または、第1の時刻と第2の時刻との差が第1の閾値以下である場合に、データ構成において、第1のサブフレームと第2のサブフレームとの間に少なくとも1つのガード期間が含まれることが設定される。
【０１１８】
したがって、データフレーム構成においてGPを設定すべきかどうかは、データフレーム構成内の2つの連続して隣り合うサブフレームに従って、すなわち、受信サブフレームの受信終了時刻および送信サブフレームの送信開始時刻、または送信サブフレームの送信終了時刻および受信サブフレームの受信開始時刻に従って決定される。このようにして、シンボル間の干渉が回避され、リソースを有効に利用することができる。
【０１１９】
図11は、本発明の一実施形態によるデバイスの構造ブロック図である。デバイス1100は、決定部1101と設定部1102とを含む。
【０１２０】
決定部1101は、デバイスツーデバイス（D2D）通信を行うUEがデータフレーム構成内のものである第1の受信サブフレームを受信する時刻、UEがデータフレーム構成内のものである第1の送信サブフレームを送信する時刻、およびデータフレーム構成に従って、第1の時刻および第2の時刻を決定する。
【０１２１】
設定部1102は、決定部1101によって決定される第1の時刻および第2の時刻に従って第1のサブフレームと第2のサブフレームとの間にガード期間を設定する。第1のサブフレームおよび第2のサブフレームはデータフレーム構成において連続して隣り合っており、第1のサブフレームが受信サブフレームであり、第2のサブフレームが送信サブフレームである場合には、第1の時刻はUEが第1のサブフレームを受信するときの終了時刻（「停止時刻」ともいう）を表し、第2の時刻はUEが第2のサブフレームを送信するときの開始時刻を表し、または第1のサブフレームが送信サブフレームであり、第2のサブフレームが受信サブフレームである場合には、第1の時刻はUEが第1のサブフレームを送信するときの終了時刻を表し、第2の時刻はUEが第2のサブフレームを受信するときの開始時刻を表す。
【０１２２】
本発明の本実施形態においては、データフレーム構成においてGPを設定すべきかどうかは、データフレーム構成内の2つの連続して隣り合うサブフレームに従って、すなわち、受信サブフレームの受信終了時刻および送信サブフレームの送信開始時刻、または送信サブフレームの送信終了時刻および受信サブフレームの受信開始時刻に従って決定される。このようにして、シンボル間の干渉が回避され、リソースを有効に利用することができる。
【０１２３】
第1のサブフレームが受信サブフレームであり、第2のサブフレームが送信サブフレームである場合には、第1の受信サブフレームは、第1のサブフレームと同じである場合も異なる場合もあり、データフレーム構成において、第1の受信サブフレームと第1のサブフレームとの間には特定のサブフレーム遅延が生じ、したがって、第1のサブフレームを受信するための終了時刻は、第1の受信サブフレームの受信時刻およびサブフレーム遅延に従って決定することができることに留意すべきである。同様に、第2のサブフレームを送信するための開始時刻も、第1の送信サブフレームの送信時刻およびサブフレーム遅延に従って決定することができる。
【０１２４】
それに対応して、第2のサブフレームが受信サブフレームであり、第1のサブフレームが送信サブフレームである場合には、第1の受信サブフレームは、第2のサブフレームと同じである場合も異なる場合もあり、データフレーム構成において、第1の受信サブフレームと第2のサブフレームとの間には特定のサブフレーム遅延が生じ、したがって、第2のサブフレームを受信するための開始時刻は、第1の受信サブフレームの受信時刻およびサブフレーム遅延に従って決定することができる。同様に、第1のサブフレームを送信するための終了時刻も、第1の送信サブフレームの送信時刻およびサブフレーム遅延に従って決定することができる。
【０１２５】
デバイス1100は図8および図9の方法に関与するステップを実施することができ、反復を回避するために、これ以上詳細を繰り返さない。
【０１２６】
任意選択で、一実施形態として、設定部1102は具体的には、第1の時刻と第2の時刻との差が第1の閾値より大きい場合に、データ構成において、第1のフレームと第2のサブフレームとの間にガード期間が含まれないことを設定することができ、または、設定部1102は具体的には、第1の時刻と第2の時刻との差が第1の閾値以下である場合に、データ構成において、第1のサブフレームと第2のサブフレームとの間に少なくとも1つのガード期間が含まれることを設定することができる。
【０１２７】
任意選択で、別の実施形態として、デバイス1300を、ネットワーク側のデバイスまたはユーザ機器とすることもできる。すなわち、データフレーム構成におけるGPを、ネットワーク側のデバイス（例えば、第1のUEのサービング基地局や基地局コントローラ）によって設定することができ、また、データフレーム構成におけるGPを、第1のUEおよび第2のUEによる事前折衝を通じて設定することもできる。このことは本発明の本実施形態では限定されないことを理解すべきである。
【０１２８】
本発明の一実施形態は、前述の方法実施形態におけるステップおよび方法を実施するための装置実施形態をさらに提供する。図12は、別の実施形態による第1のユーザ機器の構造ブロック図である。本実施形態において、デバイス1200は、プロセッサ1201と、メモリ1202と、送受信機1203とを含む。プロセッサ1201はデバイス1200の動作を制御する。プロセッサ1201をCPU（Central Processing Unit、中央処理装置）と呼ぶこともできる。メモリ1202は、読取り専用メモリおよびランダム・アクセス・メモリを含み、プロセッサ1201に命令およびデータを提供することができる。メモリ1202の一部が、不揮発性ランダム・アクセス・メモリ（NVRAM）も含んでいてもよい。プロセッサ1201、メモリ1202、および送受信機1203は、バスシステム1210を用いて相互に結合されている。バスシステム1210は、データバスに加えて、電源バス、制御バス、および状況信号バスをさらに含む。しかし、説明を明確にするために、図ではすべてのバスがバスシステム1210として記されている。
【０１２９】
本発明の前述の実施形態において開示された方法は、デバイス1200において使用することができる。プロセッサ1201は集積回路チップとすることができ、信号処理能力を有する。一実施プロセスにおいて、前述の方法の各ステップは、ハードウェアの形態の集積論理回路を用いて、またはプロセッサ1201においてソフトウェアの形態の命令を用いて完了することができる。
【０１３０】
プロセッサ1201は、参照時刻、第1のタイミングアドバンス、およびデータフレーム構成を取得する。第1のタイミングアドバンスは、送受信機1203がデータフレーム構成内のものである第1の受信サブフレームを受信するためのタイミングアドバンスを表し、第1の受信サブフレームは第2のUEによって送信される。
【０１３１】
プロセッサ1201はさらに、取得された参照時刻、第1のタイミングアドバンス、およびデータフレーム構成に従って、第1の受信サブフレームを受信する時刻を決定する。
【０１３２】
本発明の本実施形態においては、第1のUEが、参照時刻、第1のタイミングアドバンス、およびデータフレーム構成に従って、データフレーム構成内のものである第1の受信サブフレームを受信する時刻を決定し、第1の受信サブフレームは第2のUEによって送信され、第1のタイミングアドバンスは、第1のUEがデータフレーム構成内のものである第1の受信サブフレームを受信するためのタイミングアドバンスを表す。したがって、第1のUEが第2のUEによって送信される第1の受信サブフレームを受信する時刻は第1のタイミングアドバンスを用いて調整され、そのため、第1のUEはデータフレームのより正確なタイミングを有し、シンボル間の干渉を回避することができる。
【０１３３】
第1のUE1200は、図1から図7の方法の、第1のUEが関与するステップを実施することができ、反復を回避するために、これ以上詳細を繰り返さない。
【０１３４】
任意選択で、一実施形態として、図1のシナリオに示すように、第1のUEの第1のサービング基地局が第2のUEの第2のサービング基地局と同じである場合には、プロセッサ1201によって取得される第1のタイミングアドバンスは、第1のUEと第1のサービング基地局との間の第1のタイミングオフセット、第2のUEと第2のサービング基地局との間の第2のタイミングオフセット、および第1のUEと第2のUEとの間の第3のタイミングオフセットの各タイミングオフセットのうちの少なくとも1つに従って決定することもできる。例えば、プロセッサ1201によって取得される第1のタイミングアドバンスは、第1のタイミングオフセットとすることもでき、複数のタイミングオフセットの組み合わせとすることもできる。
【０１３５】
任意選択で、プロセッサ1201によって取得される参照時刻は、第1のサービング基地局がデータフレームを送信する時刻、第1のUEが第1のサービング基地局によって送信されたデータフレームを受信する時刻、および第2のUEが第1のサービング基地局によって送信されたデータフレームを受信する時刻の各種の時刻のうちの少なくとも1つに従って決定することもできる。
【０１３６】
あるいは、図2のシナリオに示すように、第1のUEの第1のサービング基地局が第2のUEの第2のサービング基地局と異なる場合には、プロセッサ1201によって取得される第1のタイミングアドバンスは、第1のUEと第1のサービング基地局との間の第1のタイミングオフセット、第2のUEと第2のサービング基地局との間の第2のタイミングオフセット、第1のUEと第2のUEとの間の第3のタイミングオフセット、および第1のサービング基地局と第2のサービング基地局との間の第4のタイミングオフセットの各タイミングオフセットのうちの少なくとも1つに従って決定することもできる。
【０１３７】
任意選択で、プロセッサ1201によって取得される参照時刻は、第1のサービング基地局がデータフレームを送信する時刻、第2のサービング基地局がデータフレームを送信する時刻、第1のUEが第1のサービング基地局によって送信されたデータフレームを受信する時刻、第1のUEが第2のサービング基地局によって送信されたデータフレームを受信する時刻、第2のUEが第1のサービング基地局によって送信されたデータフレームを受信する時刻、および第2のUEが第2のサービング基地局によって送信されたデータフレームを受信する時刻の各種の時刻のうちの少なくとも1つに従って決定することもできる。
【０１３８】
具体的には、プロセッサ1201は具体的には、第1の受信サブフレームを受信する時刻tを、t＝t0−t1＋tsubframe、であり、式中、t0は、参照時刻であり、第1のサービング基地局が第1のUEへダウンリンク・データ・フレームを送信する時刻であり、t1は、第1のタイミングアドバンスであり、第1のタイミングオフセット、第2のタイミングオフセット、または第3のタイミングオフセットのうちの1つであり、tsubframeは、第1の受信サブフレームと、データフレーム構成内のものである第1のサブフレームとの間の遅延を表すものとして決定することができる。
【０１３９】
あるいは、プロセッサ1201は具体的には、第1の受信サブフレームを受信する時刻tを、t＝t0−t1／2＋tsubframe、であり、式中、t0は、参照時刻であり、第1のサービング基地局が第1のUEへダウンリンク・データ・フレームを送信する時刻であり、t1は、第1のタイミングオフセット、第2のタイミングオフセット、または第3のタイミングオフセットのうちの1つであり、t1／2は、第1のタイミングアドバンスであり、tsubframeは、第1の受信サブフレームと、データフレーム構成内のものである第1のサブフレームとの間の遅延を表すものとして決定することもできる。
【０１４０】
あるいは、プロセッサ1201は具体的には、第1の受信サブフレームを受信する時刻tを、t＝t0−（t1−t2−t3）＋tsubframe、であり、式中、t0は、参照時刻であり、第1のサービング基地局が第1のUEへダウンリンク・データ・フレームを送信する時刻であり、（t1−t2−t3）は、第1のタイミングアドバンスであり、t1は、第1のタイミングオフセットであり、t2は、第2のタイミングオフセットであり、t3は、第3のタイミングオフセットであり、tsubframeは、第1の受信サブフレームと、データフレーム構成内のものである第1のサブフレームとの間の遅延を表すものとして決定することもできる。
【０１４１】
図2に示すシナリオでは、プロセッサ1201は具体的には、第1の受信サブフレームを受信する時刻tを、t＝t0−（t1＋t4）＋tsubframe、であり、式中、t0は、参照時刻であり、第1のサービング基地局が第1のUEへダウンリンク・データ・フレームを送信する時刻であり、（t1＋t4）は、第1のタイミングアドバンスであり、t1は、第1のタイミングオフセット、第2のタイミングオフセット、または第3のタイミングオフセットのうちの1つであり、t4は、第4のタイミングオフセットであり、tsubframeは、第1の受信サブフレームと、データフレーム構成内のものである第1のサブフレームとの間の遅延を表すものとして決定することもできる。
【０１４２】
あるいは、プロセッサ1201は具体的には、第1の受信サブフレームを受信する時刻tを、t＝t0−（t1／2＋t4）＋tsubframe、であり、式中、t0は、参照時刻であり、第1のサービング基地局が第1のUEへダウンリンク・データ・フレームを送信する時刻であり、（t1／2＋t4）は、第1のタイミングアドバンスであり、t1は、第1のタイミングオフセット、第2のタイミングオフセット、または第3のタイミングオフセットのうちの1つであり、t4は、第4のタイミングオフセットであり、tsubframeは、第1の受信サブフレームと、データフレーム構成内のものである第1のサブフレームとの間の遅延を表すものとして決定することもできる。
【０１４３】
第1のUEが第1の受信サブフレームを受信する時刻tを決定するのに用いる前述の式（1）から式（5）において、参照時刻の選択および第1のタイミングアドバンスの例は単なる例示にすぎず、本発明の範囲を限定するためのものではないことを理解すべきである。
【０１４４】
タイミングオフセットを用いて決定されることは、ここではタイミングオフセットと完全に等しいことを意味するものではないことに留意すべきである。例えば、第1のタイミングアドバンスは第1のタイミングオフセットを用いて決定され、第1のタイミングオフセットはTA1であるものと仮定する。その場合、第1のタイミングアドバンスはTA1とすることもでき、TA1／2とすることもでき、以下同様である。別の例として、第1のタイミングアドバンスは第1のタイミングオフセットおよび第2のタイミングオフセットの組み合わせを用いて決定され、第1のタイミングオフセットはTA1であり、第2のタイミングオフセットはTA2であるものと仮定する。その場合、第1のタイミングアドバンスは、（TA1＋TA2）／2などとすることができる。実際のネットワークにおいては、タイミングオフセットは伝送遅延に関連している。通常の場合には、タイミングオフセットは伝送遅延の2倍の長さであるとみなすことができる。例えば、UEと基地局との間のタイミングオフセットは、UEと基地局との間の伝送遅延の2倍の長さとすることができる。
【０１４５】
前述の解決策を用いることにより、第1のタイミングアドバンスはタイミングオフセットを用いて決定され、第1のUEが第2のUEによって送信された第1の受信サブフレームを受信する時刻は調整され、そのため、第1のUEはデータフレームのより正確なタイミングを有し、シンボル間の干渉を回避することができる。
【０１４６】
任意選択で、別の実施形態として、プロセッサ1201は具体的には送受信機1203を用いて、第1のサービング基地局によって送付された第1のタイミングアドバンスを受信する、すなわち、第1のサービング基地局から第1のタイミングアドバンスを取得することもできる。あるいは、取得部1001は具体的には、送受信機1203を用いて、第1のサービング基地局によって送付され、第1のタイミングアドバンスを決定するのに使用される少なくとも1つのタイミングオフセットを受信し、少なくとも1つのタイミングオフセットに従って第1のタイミングアドバンスを決定することもできる。第1のタイミングアドバンスは、少なくとも1つのタイミングオフセットに従ってプロセッサ1201によって決定される。このことは本発明の本実施形態では限定されないことを理解すべきである。
【０１４７】
任意選択で、別の実施形態として、プロセッサ1201はさらに、参照時刻、第2のタイミングアドバンス、およびデータフレーム構成に従って、第1のUEがデータフレーム構成内のものである第1の送信サブフレームを送信する時刻を決定することもでき、第2のタイミングアドバンスは、送受信機1203が第1の送信サブフレームを送信するためのタイミングアドバンスを表す。任意選択で、第2のタイミングアドバンスの値を、第1のUEと第1のサービング基地局との間の第1のタイミングオフセットとすることもできる。
【０１４８】
任意選択で、別の実施形態として、プロセッサ1201は具体的には、ネットワーク側のデバイス（例えば、第1のサービング基地局）からデータフレーム構成を取得することもできる。すなわち、データフレーム構成は第1のサービング基地局によって第1のUEへ送付される。あるいは、プロセッサ1201は具体的には、使用されるべきデータフレーム構成に関して第2のUEと事前折衝することもできる。例えば、第1のUEと第2のUEの一方のUEがデータフレーム構成を決定し、そのデータフレーム構成を他方のUEへ送信する。
【０１４９】
任意選択で、別の実施形態として、プロセッサ1201によって取得されるデータフレーム構成は、送信から受信までの少なくとも1つのGPおよび受信から送信までの少なくとも1つのGPを含む場合もあり、あるいは、データフレーム構成は、送信から受信までのただ1つのGPを含む場合もあり、あるいは、データフレーム構成は、GPを含まない場合もあり、以下同様である。本発明の本実施形態で使用されるデータフレーム構成の形態は限定されないことを理解すべきである。具体例については、前述の図4から図7の実施形態を参照することができ、ここではこれ以上詳細を繰り返さない。
【０１５０】
データフレーム構成は、送信から受信までの少なくとも1つのGPおよび受信から送信までの少なくとも1つのGPを含む場合もあり、あるいは、データフレーム構成は、送信から受信までのただ1つのGPを含む場合もあり、あるいは、データフレーム構成は、GPを含まない場合もあることを理解すべきである。本発明の本実施形態で使用されるデータフレーム構成の形態は限定されないことを理解すべきである。
【０１５１】
任意選択で、第1のUEおよび第2のUEはデータフレーム構成におけるGPの設定を決定するために折衝することもできる。具体的には、プロセッサ1201はさらに、デバイスツーデバイス（D2D）通信を行うUEがデータフレーム構成内のものである第1の受信サブフレームを受信する時刻、UEがデータフレーム構成内のものである第1の送信サブフレームを送信する時刻、およびデータフレーム構成に従って、第1の時刻および第2の時刻を決定し、第1の時刻および第2の時刻に従って、第1のサブフレームと第2のサブフレームとの間にガード期間を設定することができる。第1のサブフレームおよび第2のサブフレームはデータフレーム構成において連続して隣り合っており、第1のサブフレームが受信サブフレームであり、第2のサブフレームが送信サブフレームである場合には、第1の時刻はUEが第1のサブフレームを受信するときの終了時刻（「停止時刻」ともいう）を表し、第2の時刻はUEが第2のサブフレームを送信するときの開始時刻を表し、または第1のサブフレームが送信サブフレームであり、第2のサブフレームが受信サブフレームである場合には、第1の時刻はUEが第1のサブフレームを送信するときの終了時刻を表し、第2の時刻はUEが第2のサブフレームを受信するときの開始時刻を表す。
【０１５２】
言い換えると、プロセッサ1201はさらに、受信のタイミングアドバンス、送信のタイミングアドバンス、およびデータフレーム構成に従ってGPを設定することもできる。例えば、GPは、第1のタイミングアドバンス、第2のタイミングアドバンス、およびデータフレーム構成に従って設定される。具体的には、第1の時刻と第2の時刻との差が第1の閾値より大きい場合に、データ構成において、第1のフレームと第2のサブフレームとの間にガード期間が含まれないことが設定され、または、第1の時刻と第2の時刻との差が第1の閾値以下である場合に、データ構成において、第1のサブフレームと第2のサブフレームとの間に少なくとも1つのガード期間が含まれることが設定される。
【０１５３】
したがって、データフレーム構成においてGPを設定すべきかどうかは、データフレーム構成内の2つの連続して隣り合うサブフレームに従って、すなわち、受信サブフレームの受信終了時刻および送信サブフレームの送信開始時刻、または送信サブフレームの送信終了時刻および受信サブフレームの受信開始時刻に従って決定される。このようにして、シンボル間の干渉が回避され、リソースを有効に利用することができる。
【０１５４】
図13は、本発明の別の実施形態によるデバイスの構造ブロック図である。ネットワーク管理サーバ1300は、入力デバイス1301と、出力デバイス1304と、プロセッサ1302と、メモリ1303とを含むことができる。
【０１５５】
メモリ1303は、読取り専用メモリおよびランダム・アクセス・メモリを含み、プロセッサ1302に命令およびデータを提供することができる。メモリ1303の一部が、不揮発性ランダム・アクセス・メモリ（NVRAM）を含んでいてもよい。
【０１５６】
メモリ1303は、以下の要素、実行可能モジュールもしくはデータ構造、またはそれらのサブセット、またはそれらの拡張セットを記憶する。
動作命令：様々な動作命令を含み、様々な動作を実施するのに使用される。
オペレーティングシステム：様々なシステムプログラムを含み、様々な基本サービスを実施し、ハードウェアベースのタスクを処理するのに使用される。
【０１５７】
プロセッサ1302はネットワーク管理サーバ1300の動作を制御する。プロセッサ1302をCPUと呼ぶこともできる。メモリ1303は、読取り専用メモリおよびランダム・アクセス・メモリを含み、プロセッサ1302に命令およびデータを提供することができる。メモリ1303の一部が、不揮発性ランダム・アクセス・メモリ（NVRAM）を含んでいてもよい。具体的な適用に際して、ユーザ機器1300の構成要素はバスシステム1305を用いて相互に結合される。バスシステム1305は、データバスに加えて、電源バス、制御バス、状況信号バスなどをさらに含むことができる。しかし、説明を明確にするために、図ではすべてのバスがバスシステム1305として記されている。
【０１５８】
本発明の前述の実施形態において開示される方法は、プロセッサプロセッサ1302において使用することもでき、プロセッサ1302を用いて実施することもできる。プロセッサ1302は集積回路チップとすることができ、信号処理能力を有する。一実施プロセスにおいて、前述の方法の各ステップは、ハードウェアの形態の集積論理回路、またはプロセッサ1302においてソフトウェアの形態の命令を用いて完了することができる。
【０１５９】
本発明の本実施形態においては、プロセッサ1302は、以下の動作を実施するためにメモリ1303に記憶された動作命令を呼び出す（動作命令はオペレーティングシステムにおいて記憶することができる）。
デバイスツーデバイス（D2D）通信を行うUEがデータフレーム構成内のものである第1の受信サブフレームを受信する時刻、UEがデータフレーム構成内のものである第1の送信サブフレームを送信する時刻、および入力デバイス1301によって入力されるデータフレーム構成に従って、第1の時刻および第2の時刻を決定する動作、および第1の時刻および第2の時刻に従って第1のサブフレームと第2のサブフレームとの間にガード期間を設定する動作。第1のサブフレームおよび第2のサブフレームはデータフレーム構成において連続して隣り合っており、第1のサブフレームが受信サブフレームであり、第2のサブフレームが送信サブフレームである場合に、第1の時刻はUEが第1のサブフレームを受信するときの終了時刻（「停止時刻」ともいう）を表し、第2の時刻はUEが第2のサブフレームを送信するときの開始時刻を表し、または第1のサブフレームが送信サブフレームであり、第2のサブフレームが受信サブフレームである場合に、第1の時刻はUEが第1のサブフレームを送信するときの終了時刻を表し、第2の時刻はUEが第2のサブフレームを受信するときの開始時刻を表す。
【０１６０】
本発明の本実施形態においては、データフレーム構成においてGPを設定すべきかどうかは、データフレーム構成内の2つの連続して隣り合うサブフレームに従って、すなわち、受信サブフレームの受信終了時刻および送信サブフレームの送信開始時刻、または送信サブフレームの送信終了時刻および受信サブフレームの受信開始時刻に従って決定される。このようにして、シンボル間の干渉が回避され、リソースを有効に利用することができる。
【０１６１】
第1のサブフレームが受信サブフレームであり、第2のサブフレームが送信サブフレームである場合には、第1の受信サブフレームは、第1のサブフレームと同じである場合も異なる場合もあり、データフレーム構成において、第1の受信サブフレームと第1のサブフレームとの間には特定のサブフレーム遅延が生じ、したがって、第1のサブフレームを受信するための終了時刻は、第1の受信サブフレームの受信時刻およびサブフレーム遅延に従って決定することができることに留意すべきである。同様に、第2のサブフレームを送信するための開始時刻も、第1の送信サブフレームの送信時刻およびサブフレーム遅延に従って決定することができる。
【０１６２】
それに対応して、第2のサブフレームが受信サブフレームであり、第1のサブフレームが送信サブフレームである場合には、第1の受信サブフレームは、第2のサブフレームと同じである場合も異なる場合もあり、データフレーム構成において、第1の受信サブフレームと第2のサブフレームとの間には特定のサブフレーム遅延が生じ、したがって、第2のサブフレームを受信するための開始時刻は、第1の受信サブフレームの受信時刻およびサブフレーム遅延に従って決定することができる。同様に、第1のサブフレームを送信するための終了時刻も、第1の送信サブフレームの送信時刻およびサブフレーム遅延に従って決定することができる。
【０１６３】
デバイス1300は図8および図9の方法に関与するステップを実施することができ、反復を回避するために、これ以上詳細を繰り返さない。
【０１６４】
任意選択で、一実施形態として、プロセッサ1302は具体的には、第1の時刻と第2の時刻との差が第1の閾値より大きい場合に、データ構成において、第1のフレームと第2のサブフレームとの間にガード期間が含まれないことを設定することができ、または、プロセッサ1302は具体的には、第1の時刻と第2の時刻との差が第1の閾値以下である場合に、データ構成において、第1のサブフレームと第2のサブフレームとの間に少なくとも1つのガード期間が含まれることを設定することができる。
【０１６５】
任意選択で、別の実施形態として、デバイス1300を、ネットワーク側のデバイスまたはユーザ機器とすることもできる。すなわち、データフレーム構成におけるGPを、ネットワーク側のデバイス（例えば、第1のUEのサービング基地局や基地局コントローラ）によって設定することができ、また、データフレーム構成におけるGPを、第1のUEおよび第2のUEによる事前折衝を通じて設定することもできる。このことは本発明の本実施形態では限定されないことを理解すべきである。
【０１６６】
本明細書で開示される実施形態において記述される例と組み合わせて、各ユニットおよびアルゴリズムステップを電子ハードウェアによって、またはコンピュータソフトウェアと電子ハードウェアの組み合わせによって実現することができることを、当業者は理解するであろう。各機能を果たすのがハードウェアか、それともソフトウェアかは、技術的解決策の個々の用途および設計上の制約条件に依存する。当業者は、様々な方法を使用して個々の用途ごとに記述された機能を実現することができるが、そうした実現態様は本発明の範囲を超えるものとみなすべきではない。
【０１６７】
説明を簡便にするために、前述のシステム、装置、およびユニットの詳細な作動プロセスについては、前述の方法実施形態における対応するプロセスを参照することができることを当業者は明確に理解することができ、ここでは詳細を再度述べない。
【０１６８】
本出願において提供されるいくつかの実施形態においては、開示のシステム、装置、および方法を他のやり方で実現することもできることを理解すべきである。例えば、説明された装置実施形態は単なる例示にすぎない。例えば、ユニット分割は単なる論理的機能分割にすぎず、実際の実装に際しては他の分割も可能である。例えば、複数のユニットまたはコンポーネントが組み合わされ、または統合されて別のシステムになる場合もあり、いくつかの特徴が無視され、または実行されない場合もある。加えて、図示された、または論じられた相互結合または直接結合または通信接続を、いくつかのインターフェースを用いて実現することもできる。装置間またはユニット間の間接結合または通信接続は、電子的形態、機械的形態、または他の形態として実現することができる。
【０１６９】
別々の部品として記述されたユニットは物理的に分離していてもそうでなくてもよく、ユニットとして図示された部品は、物理的ユニットであってもそうでなくてもよく、1つの位置に位置していてもよく、複数のネットワークユニット上に分散されていてもよい。ユニットの一部または全部を、各実施形態の解決策の目的を達成するための実際の必要に従って選択することもできる。
【０１７０】
加えて、本発明の実施形態における機能ユニットを1つの処理ユニットへ統合することもでき、ユニットの各々が物理的に独立して存在していてもよく、または2つ以上のユニットを1つのユニットへ統合することもできる。
【０１７１】
各機能がソフトウェア機能ユニットの形態で実現され、独立した製品として販売され、または使用される場合に、それらの機能は、コンピュータ可読記憶媒体に記憶することができる。そうした理解に基づき、本発明の技術的解決策を本質的に、または先行技術に寄与する部分を、または技術的解決策の一部を、ソフトウェア製品の形態で実現することができる。コンピュータソフトウェア製品は記憶媒体に記憶され、（パーソナルコンピュータ、サーバ、ネットワークデバイスなどとすることができる）コンピュータデバイスに、本発明の実施形態において記述されている方法のステップの全部または一部を実行するよう命令するためのいくつかの命令を含む。前述の記憶媒体は、USBフラッシュドライブ、取り外し可能ハードディスク、読取り専用メモリ（ROM、Read-Only Memory）、ランダム・アクセス・メモリ（RAM、Random Access Memory）、磁気ディスク、光ディスクといった、プログラムコードを記憶することができる任意の媒体を含む。
【０１７２】
以上の説明は、単に、本発明の具体的実装態様であるにすぎず、本発明の保護範囲を限定するためのものではない。本発明で開示される技術範囲内で当業者によって容易に考案されるいかなる変形も置換も、本発明の保護範囲内に含まれるものとする。したがって、本発明の保護範囲は、特許請求の範囲の保護範囲に従うべきものとする。
【符号の説明】
【０１７３】
101  基地局
102  UE
103  UE
201  基地局
202  基地局
203  UE
204  UE
1000  第1のUE
1001  取得部
1002  決定部
1100  デバイス
1101  決定部
1102  設定部
1200  デバイス
1201  プロセッサ
1202  メモリ
1203  送受信機
1210  バスシステム
1300  ネットワーク管理サーバ
1301  入力デバイス
1302  プロセッサ
1303  メモリ
1304  出力デバイス
1305  バスシステム
【図１】
2016529833.tif 000003
【図２】
2016529833.tif 000004
【図３】
2016529833.tif 000005
【図４】
2016529833.tif 000006
【図５】
2016529833.tif 000007
【図６】
2016529833.tif 000008
【図７】
2016529833.tif 000009
【図８】
2016529833.tif 000010
【図９】
2016529833.tif 000011
【図１０】
2016529833.tif 000012
【図１１】
2016529833.tif 000013
【図１２】
2016529833.tif 000014
【図１３】
2016529833.tif 000015
【手続補正書】
【提出日】平成28年2月26日(2016.2.26)
【手続補正１】
【補正対象書類名】明細書
【補正対象項目名】全文
【補正方法】変更
【補正の内容】
【発明の詳細な説明】
【技術分野】
【０００１】
本発明の実施形態は通信技術の分野に関し、詳細には、D2D（Device to Device、デバイスツーデバイス）通信のための方法および装置に関する。
【背景技術】
【０００２】
基地局とユーザ機器との間の伝送遅延のために、基地局がダウンリンク情報を送信する時刻とUE（英語の正式名：User Equipment、中国語の正式名：ユーザ機器）が基地局によって送信されたがダウンリンク情報を受信する時刻との間にラグが生じ、またUEがアップリンク情報を送信する時刻と基地局がUEによって送信されたアップリンク情報を受信する時刻との間にもラグが生じる。したがって、シンボル間の干渉を引き起こすことを回避するように、物理層の設計において、データフレームのタイミング（すなわち、UEがデータフレームを受信し、または送信するためのタイミング）、データフレーム構成などが設計される必要がある。
【０００３】
例えば、LTE  TDD（英語の正式名：Time Division Duplex、中国語の正式名：時分割複信）システムにおいて、データフレームは特殊なサブフレームを含み、この特殊なサブフレームはGP（英語の正式名：Guard Period、中国語の正式名：ガード期間）を含み、ガード期間はダウンリンク・データ・フレームとアップリンク・データ・フレームとの間に設定される。UEは、基地局によって送信されるTA（英語の正式名：Timing Advance、中国語の正式名：タイミングアドバンス）に従って、アップリンク情報を先行して送信し、これはデータフレームにおいて設定されたGPを用いて実施される。このようにして、UEのアップリンク情報が基地局に到達する時刻を揃えることができ、基地局とユーザ機器との間には、アップリンクデータとダウンリンクデータの切り換えに使用されるガード期間が存在する。
【０００４】
しかし、先行技術の設計解決策は、D2D（英語の正式名：Device to Device、中国語の正式名：デバイスツーデバイス）通信に直接適用することができない。D2D通信は、システムの制御下でのUE間の直接通信を可能にする技術である。そうした通信シナリオでは、基地局とUEとの間にタイミングオフセットが存在するのみならず、UE間にもタイミングオフセットが存在する。D2D通信サービス、例えば、LTEシステムにおけるUE間の近接サービス（英語の正式名：Device to Device Proximity Service、英語の略称：D2D  ProSe）サービスにおいては、タイミングオフセットとデータフレームのタイミングとの間にオフセットが存在し、それによってシンボル間の干渉を生じる。
【発明の概要】
【課題を解決するための手段】
【０００５】
本発明の実施形態は、シンボル間の干渉を回避することのできるデバイスツーデバイス通信のための方法および装置を提供する。
【０００６】
第1の態様によれば、デバイスツーデバイス通信のための方法が提供される。本方法は、第1のユーザ機器が、参照時刻、第1のタイミングアドバンス、およびデータフレーム構成を取得するステップであって、第1のタイミングアドバンスは、第1のユーザ機器がデータフレーム構成内のものである第1の受信サブフレームを受信するためのタイミングアドバンスを表し、第1の受信サブフレームは第2のユーザ機器によって送信されるものである、取得するステップと、第1のユーザ機器が、参照時刻、第1のタイミングアドバンス、およびデータフレーム構成に従って、第1の受信サブフレームを受信する時刻を決定するステップと、を含む。
【０００７】
第1の態様に関連して、別の可能な実施態様においては、第1のユーザ機器の第1のサービング基地局が第2のユーザ機器の第2のサービング基地局と同じであり、第1のタイミングアドバンスは、第1のユーザ機器と第1のサービング基地局との間の第1のタイミングオフセット、第2のユーザ機器と第2のサービング基地局との間の第2のタイミングオフセット、および第1のユーザ機器と第2のユーザ機器との間の第3のタイミングオフセットの各タイミングオフセットのうちの少なくとも1つに従って決定される。
【０００８】
第1の態様および第1の態様の前述の実施態様における任意の実施態様に関連して、別の実施態様においては、参照時刻は、以下の種類の時刻のうちの少なくとも1つに従って決定される。参照時刻は、第1のサービング基地局がデータフレームを送信する時刻、第2のサービング基地局がデータフレームを送信する時刻、第1のユーザ機器が第1のサービング基地局によって送信されたデータフレームを受信する時刻、および第2のユーザ機器が第2のサービング基地局によって送信されたデータフレームを受信する時刻の各種の時刻のうちの少なくとも1つに従って決定される。
【０００９】
第1の態様および第1の態様の前述の実施態様における任意の実施態様に関連して、別の実施態様においては、第1のユーザ機器が、参照時刻、第1のタイミングアドバンス、およびデータフレーム構成に従って、第1の受信サブフレームを受信する時刻を決定するステップは、第1のユーザ機器が第1の受信サブフレームを受信する時刻tを、
t＝t0−t1＋tsubframe
であり、式中、t0は、参照時刻であり、第1のユーザ機器が第1のサービング基地局によって送信されたデータフレームを受信する時刻であり、t1は、第1のタイミングアドバンスであり、第1のタイミングオフセット、第2のタイミングオフセット、または第3のタイミングオフセットのうちの1つであり、tsubframeは、第1の受信サブフレームと、データフレーム構成内のものである第1のサブフレームとの間の遅延を表すものとして決定するステップ、または
第1のユーザ機器が第1の受信サブフレームを受信する時刻tを、
t＝t0−t1／2＋tsubframe
であり、式中、t0は、参照時刻であり、第1のユーザ機器が第1のサービング基地局によって送信されたデータフレームを受信する時刻であり、t1は、第1のタイミングオフセット、第2のタイミングオフセット、または第3のタイミングオフセットのうちの1つであり、t1／2は、第1のタイミングアドバンスであり、tsubframeは、第1の受信サブフレームと、データフレーム構成内のものである第1のサブフレームとの間の遅延を表すものとして決定するステップ、を含む。
【００１０】
第1の態様および第1の態様の前述の実施態様における任意の実施態様に関連して、別の実施態様においては、第1のユーザ機器の第1のサービング基地局が第2のユーザ機器の第2のサービング基地局と異なり、
第1のタイミングアドバンスは、第1のユーザ機器と第1のサービング基地局との間の第1のタイミングオフセット、第2のユーザ機器と第2のサービング基地局との間の第2のタイミングオフセット、第1のユーザ機器と第2のユーザ機器との間の第3のタイミングオフセット、および第1のサービング基地局と第2のサービング基地局との間の第4のタイミングオフセットの各タイミングオフセットのうちの少なくとも1つに従って決定される。
【００１１】
第1の態様および第1の態様の前述の実施態様における任意の実施態様に関連して、別の実施態様においては、参照時刻は、第1のサービング基地局がデータフレームを送信する時刻、第2のサービング基地局がデータフレームを送信する時刻、第1のユーザ機器が第1のサービング基地局によって送信されたデータフレームを受信する時刻、第1のユーザ機器が第2のサービング基地局によって送信されたデータフレームを受信する時刻、第2のユーザ機器が第1のサービング基地局によって送信されたデータフレームを受信する時刻、および第2のユーザ機器が第2のサービング基地局によって送信されたデータフレームを受信する時刻の各種の時刻のうちの少なくとも1つに従って決定される。
【００１２】
第1の態様および第1の態様の前述の実施態様における任意の実施態様に関連して、別の実施態様においては、第1のユーザ機器が、参照時刻、第1のタイミングアドバンス、およびデータフレーム構成に従って、第1のユーザ機器が第1の受信サブフレームを受信する時刻を決定するステップは、
第1のユーザ機器が第1の受信サブフレームを受信する時刻Tを、
t＝t0−（t1＋t4）＋tsubframe
であり、式中、t0は、参照時刻であり、第1のユーザ機器が第1のサービング基地局によって送信されたデータフレームを受信する時刻であり、（t1＋t4）は、第1のタイミングアドバンスであり、t1は、第1のタイミングオフセット、第2のタイミングオフセット、または第3のタイミングオフセットのうちの1つであり、t4は、第4のタイミングオフセットであり、tsubframeは、第1の受信サブフレームと、データフレーム構成内のものである第1のサブフレームとの間の遅延を表すものとして決定するステップ、または
第1のユーザ機器が第1の受信サブフレームを受信する時刻tを、
t＝t0−（t1／2＋t4）＋tsubframe
であり、式中、t0は、参照時刻であり、第1のユーザ機器が第1のサービング基地局によって送信されたデータフレームを受信する時刻であり、（t1／2＋t4）は、第1のタイミングアドバンスであり、t1は、第1のタイミングオフセット、第2のタイミングオフセット、または第3のタイミングオフセットのうちの1つであり、t4は、第4のタイミングオフセットであり、tsubframeは、第1の受信サブフレームと、データフレーム構成内のものである第1のサブフレームとの間の遅延を表すものとして決定するステップ、を含む。
【００１３】
第1の態様および第1の態様の前述の実施態様のうちの任意の実施態様に関連して、別の実施態様においては、第1のユーザ機器は第1のユーザ機器の第1のサービング基地局によって送付された第1のタイミングアドバンスを受信し、または第1のユーザ機器は、第1のユーザ機器の第1のサービング基地局によって送付され、第1のタイミングアドバンスを決定するのに使用される少なくとも1つのタイミングオフセットを受信し、少なくとも1つのタイミングオフセットに従って第1のタイミングアドバンスを決定する。
【００１４】
第1の態様および第1の態様の前述の実施態様における任意の実施態様に関連して、別の実施態様においては、データフレーム構成は、送信から受信までの少なくとも1つのガード期間および受信から送信までの少なくとも1つのガード期間を含む。
【００１５】
第1の態様および第1の態様の前述の実施態様における任意の実施態様に関連して、別の実施態様においては、データフレーム構成は、第1のユーザ機器の第1のサービング基地局によって第1のユーザ機器へ送付され、またはデータフレーム構成は、第1のユーザ機器および第2のユーザ機器による事前折衝を通じて決定される。
【００１６】
第1の態様および第1の態様の前述の実施態様における任意の実施態様に関連して、別の実施態様においては、第1のユーザ機器は、参照時刻、第2のタイミングアドバンス、およびデータフレーム構成に従って、データフレーム構成内のものである第1の送信サブフレームを送信する時刻を決定し、第2のタイミングアドバンスは、第1のユーザ機器が第1の送信サブフレームを送信するためのタイミングアドバンスを表す。
【００１７】
第1の態様および第1の態様の前述の実施態様における任意の実施態様に関連して、別の実施態様においては、第2のタイミングアドバンスは、第1のユーザ機器と第1のサービング基地局との間の第1のタイミングオフセットである。
【００１８】
第2の態様によれば、デバイスツーデバイス通信のための方法が提供される。本方法は、デバイスツーデバイス（D2D）通信を行うユーザ機器がデータフレーム構成内のものである第1の受信サブフレームを受信する時刻、ユーザ機器がデータフレーム構成内のものである第1の送信サブフレームを送信する時刻、およびデータフレーム構成に従って、第1の時刻および第2の時刻を決定するステップと、第1の時刻および第2の時刻に従って第1のサブフレームと第2のサブフレームとの間にガード期間を設定するステップと、を含み、第1のサブフレームおよび第2のサブフレームはデータフレーム構成において連続して隣り合っており、第1のサブフレームが受信サブフレームであり、第2のサブフレームが送信サブフレームである場合には、第1の時刻はユーザ機器が第1のサブフレームを受信するときの終了時刻を表し、第2の時刻はユーザ機器が第2のサブフレームを送信するときの開始時刻を表し、または第1のサブフレームが送信サブフレームであり、第2のサブフレームが受信サブフレームである場合には、第1の時刻はユーザ機器が第1のサブフレームを送信するときの終了時刻を表し、第2の時刻はユーザ機器が第2のサブフレームを受信するときの開始時刻を表す。
【００１９】
第2の態様に関連して、別の可能な実施態様においては、第1の時刻および第2の時刻に従って第1のサブフレームと第2のサブフレームとの間にガード期間を設定するステップは、第1の時刻と第2の時刻との差が第1の閾値より大きい場合に、データ構成において、第1のサブフレームと第2のサブフレームとの間にガード期間が含まれないことを設定するステップ、または第1の時刻と第2の時刻との差が第1の閾値以下である場合に、データ構成において、第1のサブフレームと第2のサブフレームとの間に少なくとも1つのガード期間が含まれることを設定するステップ、を含む。
【００２０】
第2の態様および第2の態様の前述の実施態様における任意の実施態様に関連して、別の実施態様においては、本方法は、ネットワーク側のデバイスまたはユーザ機器によって実行される。
【００２１】
第3の態様によれば、第1のユーザ機器が提供される。第1のユーザ機器は、参照時刻、第1のタイミングアドバンス、およびデータフレーム構成を取得する取得部であって、第1のタイミングアドバンスは、第1のユーザ機器がデータフレーム構成内のものである第1の受信サブフレームを受信するためのタイミングアドバンスを表し、第1の受信サブフレームは第2のユーザ機器によって送信されるものである、取得部と、取得部によって取得される参照時刻、第1のタイミングアドバンス、およびデータフレーム構成に従って、第1の受信サブフレームを受信する時刻を決定する決定部と、を含む。
【００２２】
第3の態様に関連して、別の可能な実施態様においては、第1のユーザ機器の第1のサービング基地局が第2のユーザ機器の第2のサービング基地局と同じであり、取得部によって取得される第1のタイミングアドバンスは、第1のユーザ機器と第1の基地局との間の第1のタイミングオフセット、第2のユーザ機器と第2の基地局との間の第2のタイミングオフセット、および第1のユーザ機器と第2のユーザ機器との間の第3のタイミングオフセットの各タイミングオフセットのうちの少なくとも1つに従って決定される。
【００２３】
第3の態様および第3の態様の前述の実施態様における任意の実施態様に関連して、別の実施態様においては、取得部によって取得される参照時刻は、第1のサービング基地局がデータフレームを送信する時刻、第2のサービング基地局がデータフレームを送信する時刻、第1のユーザ機器が第1のサービング基地局によって送信されたデータフレームを受信する時刻、および第2のユーザ機器が第2のサービング基地局によって送信されたデータフレームを受信する時刻の各種の時刻のうちの少なくとも1つに従って決定される。
【００２４】
第3の態様および第3の態様の前述の実施態様における任意の実施態様に関連して、別の実施態様においては、決定部は具体的には、第1のユーザ機器が第1の受信サブフレームを受信する時刻tを、
t＝t0−t1＋tsubframe
であり、式中、t0は、参照時刻であり、第1のユーザ機器が第1のサービング基地局によって送信されたデータフレームを受信する時刻であり、t1は、第1のタイミングアドバンスであり、第1のタイミングオフセット、第2のタイミングオフセット、または第3のタイミングオフセットのうちの1つであり、tsubframeは、第1の受信サブフレームと、データフレーム構成内のものである第1のサブフレームとの間の遅延を表すものとして決定し、または
決定部は具体的には、第1のユーザ機器が第1の受信サブフレームを受信する時刻tを、
t＝t0−t1／2＋tsubframe
であり、式中、t0は、参照時刻であり、第1のユーザ機器が第1のサービング基地局によって送信されたデータフレームを受信する時刻であり、t1は、第1のタイミングオフセット、第2のタイミングオフセット、または第3のタイミングオフセットのうちの1つであり、t1／2は、第1のタイミングアドバンスであり、tsubframeは、第1の受信サブフレームと、データフレーム構成内のものである第1のサブフレームとの間の遅延を表すものとして決定する。
【００２５】
第3の態様および第3の態様の前述の実施態様における任意の実施態様に関連して、別の実施態様においては、第1のユーザ機器の第1のサービング基地局が第2のユーザ機器の第2のサービング基地局と異なり、取得部によって取得される第1のタイミングアドバンスは、第1のユーザ機器と第1のサービング基地局との間の第1のタイミングオフセット、第2のユーザ機器と第2のサービング基地局との間の第2のタイミングオフセット、第1のユーザ機器と第2のユーザ機器との間の第3のタイミングオフセット、および第1のサービング基地局と第2のサービング基地局との間の第4のタイミングオフセットの各タイミングオフセットのうちの少なくとも1つに従って決定される。
【００２６】
第3の態様および第3の態様の前述の実施態様における任意の実施態様に関連して、別の実施態様においては、第1のユーザ機器の第1のサービング基地局が第2のユーザ機器の第2のサービング基地局と異なり、取得部によって取得される参照時刻は、第1のサービング基地局がデータフレームを送信する時刻、第2のサービング基地局がデータフレームを送信する時刻、第1のユーザ機器が第1のサービング基地局によって送信されたデータフレームを受信する時刻、第1のユーザ機器が第2のサービング基地局によって送信されたデータフレームを受信する時刻、第2のユーザ機器が第1のサービング基地局によって送信されたデータフレームを受信する時刻、および第2のユーザ機器が第2のサービング基地局によって送信されたデータフレームを受信する時刻の各種の時刻のうちの少なくとも1つに従って決定される。
【００２７】
第3の態様および第3の態様の前述の実施態様における任意の実施態様に関連して、別の実施態様においては、決定部は具体的には、第1のユーザ機器が第1の受信サブフレームを受信する時刻tを、
t＝t0−（t1＋t4）＋tsubframe
であり、式中、t0は、参照時刻であり、第1のユーザ機器が第1のサービング基地局によって送信されたデータフレームを受信する時刻であり、（t1＋t4）は、第1のタイミングアドバンスであり、t1は、第1のタイミングオフセット、第2のタイミングオフセット、または第3のタイミングオフセットのうちの1つであり、t4は、第4のタイミングオフセットであり、tsubframeは、第1の受信サブフレームと、データフレーム構成内のものである第1のサブフレームとの間の遅延を表すものとして決定し、または
決定部は具体的には、第1の受信サブフレームを受信する時刻tを、
t＝t0−（t1／2＋t4）＋tsubframe
であり、式中、t0は、参照時刻であり、第1のユーザ機器が第1のサービング基地局によって送信されたデータフレームを受信する時刻であり、（t1／2＋t4）は、第1のタイミングアドバンスであり、t1は、第1のタイミングオフセット、第2のタイミングオフセット、または第3のタイミングオフセットのうちの1つであり、t4は、第4のタイミングオフセットであり、tsubframeは、第1の受信サブフレームと、データフレーム構成内のものである第1のサブフレームとの間の遅延を表すものとして決定する。
【００２８】
第3の態様および第3の態様の前述の実施態様における任意の実施態様に関連して、別の実施態様においては、取得部は具体的には、第1のユーザ機器の第1のサービング基地局によって送付された第1のタイミングアドバンスを受信し、または取得部は具体的には、第1のユーザ機器の第1のサービング基地局によって送付され、第1のタイミングアドバンスを決定するのに使用される少なくとも1つのタイミングオフセットを受信し、少なくとも1つのタイミングオフセットに従って第1のタイミングアドバンスを決定する。
【００２９】
第3の態様および第3の態様の前述の実施態様における任意の実施態様に関連して、別の実施態様においては、取得部によって取得されるデータフレーム構成は、送信から受信までの少なくとも1つのガード期間および受信から送信までの少なくとも1つのガード期間を含む。
【００３０】
第3の態様および第3の態様の前述の実施態様における任意の実施態様に関連して、別の実施態様においては、取得部によって取得されるデータフレーム構成は、第1のユーザ機器の第1のサービング基地局によって第1のユーザ機器へ送付され、またはデータフレーム構成は、第1のユーザ機器および第2のユーザ機器による事前折衝を通じて決定される。
【００３１】
第3の態様および第3の態様の前述の実施態様における任意の実施態様に関連して、別の実施態様においては、決定部はさらに、参照時刻、第2のタイミングアドバンス、およびデータフレーム構成に従って、データフレーム構成内のものである第1の送信サブフレームを送信する時刻を決定し、第2のタイミングアドバンスは、第1のユーザ機器が第1の送信サブフレームを送信するためのタイミングアドバンスを表す。
【００３２】
第4の態様によれば、デバイスが提供される。本デバイスは、デバイスツーデバイス（D2D）通信を行うユーザ機器がデータフレーム構成内のものである第1の受信サブフレームを受信する時刻、ユーザ機器がデータフレーム構成内のものである第1の送信サブフレームを送信する時刻、およびデータフレーム構成に従って、第1の時刻および第2の時刻を決定する決定部と、決定部によって決定される第1の時刻および第2の時刻に従って第1のサブフレームと第2のサブフレームとの間にガード期間を設定する設定部と、を含み、第1のサブフレームおよび第2のサブフレームはデータフレーム構成において連続して隣り合っており、第1のサブフレームが受信サブフレームであり、第2のサブフレームが送信サブフレームである場合には、第1の時刻はユーザ機器が第1のサブフレームを受信するときの終了時刻を表し、第2の時刻はユーザ機器が第2のサブフレームを送信するときの開始時刻を表し、または第1のサブフレームが送信サブフレームであり、第2のサブフレームが受信サブフレームである場合には、第1の時刻はユーザ機器が第1のサブフレームを送信するときの終了時刻を表し、第2の時刻はユーザ機器が第2のサブフレームを受信するときの開始時刻を表す。
【００３３】
第4の態様に関連して、別の可能な実施態様においては、設定部は具体的には、第1の時刻と第2の時刻との差が第1の閾値より大きい場合に、データ構成において、第1のサブフレームと第2のサブフレームとの間にガード期間が含まれないことを設定し、または設定部は具体的には、第1の時刻と第2の時刻との差が第1の閾値以下である場合に、データ構成において、第1のサブフレームと第2のサブフレームとの間に少なくとも1つのガード期間が含まれることを設定する。
【００３４】
第4の態様および第4の態様の前述の実施態様における任意の実施態様に関連して、別の実施態様においては、本デバイスは、ネットワーク側のデバイスまたはユーザ機器である。
【００３５】
本発明の各実施形態で提供される方法およびデバイスは、シンボル間の干渉を回避することができる。
【００３６】
本発明の実施形態における技術的解決策をより明確に説明するために、以下で、これらの実施形態を説明するのに必要な添付の図面について簡単に述べる。明らかに、以下の説明の添付の図面は、単に、本発明のいくつかの実施形態を示すにすぎず、当業者は、これら添付の図面から難なく他の図面をさらに導出することができる。
【図面の簡単な説明】
【００３７】
【図１】本発明の一実施形態に適用可能なD2D通信ネットワークのシナリオの概略図である。
【図２】本発明の一実施形態に適用可能なD2D通信ネットワークの別のシナリオの概略図である。
【図３】本発明の一実施形態によるデバイスツーデバイス通信のための方法の流れ図である。
【図４】本発明の一実施形態によるデータフレーム構成の概略図である。
【図５】本発明の別の実施形態によるデータフレーム構成の概略図である。
【図６】本発明の別の実施形態によるデータフレーム構成の概略図である。
【図７】本発明の別の実施形態によるデータフレーム構成の概略図である。
【図８】本発明の一実施形態によるデバイスツーデバイス通信のための方法の流れ図である。
【図９】本発明の一実施形態によるデータフレーム構成の概略図である。
【図１０】本発明の一実施形態による第1のユーザ機器の構造ブロック図である。
【図１１】本発明の一実施形態によるデバイスの構造ブロック図である。
【図１２】本発明の別の実施形態による第1のユーザ機器の構造ブロック図である。
【図１３】本発明の別の実施形態によるデバイスの構造ブロック図である。
【発明を実施するための形態】
【００３８】
以下で、本発明の実施形態における添付の図面に関連して、本発明の実施形態における技術的解決策を明確に、十分に説明する。明らかに、説明される実施形態は本発明の実施形態の全部ではなく一部にすぎない。本発明の実施形態に基づいて当業者によって難なく得られる他のすべての実施形態は、本発明の保護範囲内に含まれるものとする。
【００３９】
本発明の実施形態における技術的解決策は様々な通信システム、例えば、GSM(登録商標)（英語の正式名：Global System for Mobile Communications、中国語の正式名：モバイル通信用グローバルシステム）、CDMA（英語の正式名：Code Division Multiple Access、中国語の正式名：符号分割多元接続）、WCDMA(登録商標)（英語の正式名：Wideband Code Division Multiple Access、中国語の正式名：広帯域符号分割多元接続）、GPRS（英語の正式名：General Packet Radio Service、中国語の正式名：汎用パケット無線サービス）、LTE（英語の正式名：Long Term Evolution、中国語の正式名：ロング・ターム・エボルーション）、LTE  FDD（英語の正式名：Frequency Division Duplex、中国語の正式名：周波数分割複信）、LTE  TDD（英語の正式名：Time Division Duplex、中国語の正式名：時分割複信）、およびUMTS（英語の正式名：Universal Mobile Telecommunications System、中国語の正式名：ユニバーサル移動電話システム）に適用可能であることを理解すべきである。
【００４０】
本発明の実施形態においては、ユーザ機器（UE）を、端末（Terminal）、MS（英語の正式名：Mobile Station、中国語の正式名：移動局）、移動端末（Mobile Terminal）などと呼ぶことがある。ユーザ機器は、RAN（英語の正式名：Radio Access Network、中国語の正式名：無線アクセスネットワーク）を介して1つまたは複数のコアネットワークと通信することができる。例えば、ユーザ機器は、携帯電話（もしくは「セルラー」電話と呼ばれる）、移動端末を有するコンピュータ、またはMTC（英語の正式名：Machine Type Communication、中国語の正式名：マシン・タイプ・コミュニケーション）端末とすることができる。例えば、ユーザ機器は、携帯型モバイル装置、ポケットサイズのモバイル装置、ハンドヘルド型モバイル装置、コンピュータ内蔵型モバイル装置、または車載式モバイル装置とすることもでき、無線アクセスネットワークとオーディオおよび／またはデータをやりとりする。
【００４１】
本発明の実施形態においては、例えば、基地局は、GSMまたはCDMAにおけるBTS（英語の正式名：Base Transceiver Station、中国語の正式名：基地局）とすることもでき、またWCDMAにおけるNB（英語の正式名：NodeB、中国語の正式名：基地局）とすることもでき、さらに、LTEにおけるeNodeB（英語の正式名：Evolved NodeB、中国語の正式名：進化型NodeB）とすることもでき、これについて本発明では限定されない。
【００４２】
基地局コントローラは、GSMまたはCDMAにおけるBSCとすることもでき、WCDMAにおけるRNCとすることもでき、さらに、LTEでeNodeBにおいて組み合わせることもできる。
【００４３】
図1および図2は、本発明の実施形態に適用可能なD2D通信ネットワークのシナリオの概略図である。図1には1台の基地局と2台のUE、すなわち、UE102およびUE103が記載されている。基地局101はUE102およびUE103のサービング基地局である。UE102およびUE103はD2D通信を行うことができ、このことは単に説明上の都合にすぎない。図1のネットワークシステムは、本発明を実施することができるシナリオであり、単に、本発明の実施形態をより明確に説明するために示されているにすぎず、本発明の実施形態の適用範囲を限定するためのものではないことに留意すべきである。例えば、本発明の実施形態は、例として、図2に示されている別のシナリオに適用可能とすることもできる。図2では、UE203のサービング基地局は基地局202であり、UE204のサービング基地局は基地局201であり、UE203とUE204とはD2D通信を行うことができる。
【００４４】
本発明の実施形態においては図1または図2のデバイスの台数が制限されないことを理解すべきである。例えば、より多くの台数のUEが含まれていてもよい。本発明の実施形態においては基地局のタイプが制限されず、基地局は、マクロ基地局とすることもでき、マイクロ基地局とすることもでき、さらにはピコセル基地局、フェムト基地局、中継局などとすることもできることをさらに理解すべきである。
【００４５】
図1に示すように、基地局とUEとの間の伝送遅延のために、UE102がアップリンク情報を送信する時刻と基地局101がUE102によって送信されたアップリンク情報を受信する時刻との間にはラグtが生じる。しかし、D2D通信では、基地局とUEとの間に伝送遅延が存在するのみならず、UE間にも伝送遅延が存在する。D2D通信を行う2台のUEが異なるサービングセルに属する場合には、基地局間にもタイミングオフセットが存在する。図2に示すように、タイミングオフセットt4が基地局201と基地局202との間に存在する。
【００４６】
本発明の実施形態は、シンボル間の干渉が回避されるように、D2D通信のための方法および装置を提供する。
【００４７】
図3は、本発明の一実施形態によるデバイスツーデバイス通信のための方法の流れ図である。図3の方法はUEによって実行される。
【００４８】
301：第1のUEが、参照時刻、第1のタイミングアドバンス、およびデータフレーム構成を取得する。第1のタイミングアドバンスは、第1のUEがデータフレーム構成内のものである第1の受信サブフレームを受信するためのタイミングアドバンスを表し、第1の受信サブフレームは第2のユーザ機器によって送信される。
【００４９】
302：第1のUEは、参照時刻、第1のタイミングアドバンス、およびデータフレーム構成に従って、第1の受信サブフレームを受信する時刻を決定する。
【００５０】
本発明の本実施形態においては、第1のUEが、参照時刻、第1のタイミングアドバンス、およびデータフレーム構成に従って、データフレーム構成内のものである第1の受信サブフレームを受信する時刻を決定し、第1の受信サブフレームは第2のUEによって送信され、第1のタイミングアドバンスは、第1のUEがデータフレーム構成内のものである第1の受信サブフレームを受信するためのタイミングアドバンスを表す。したがって、第1のUEが第2のUEによって送信される第1の受信サブフレームを受信する時刻が第1のタイミングアドバンスを用いて調整され、そのため、第1のUEはデータフレームのより正確なタイミングを有し、シンボル間の干渉を回避することができる。
【００５１】
任意選択で、一実施形態として、図1のシナリオに示すように、第1のUEの第1のサービング基地局が第2のUEの第2のサービング基地局と同じである場合には、第1のタイミングアドバンスは、1のUEと第1のサービング基地局との間の第1のタイミングオフセット、第2のUEと第2のサービング基地局との間の第2のタイミングオフセット、および第1のUEと第2のUEとの間の第3のタイミングオフセットの各タイミングオフセットのうちの少なくとも1つに従って決定することもできる。例えば、第1のタイミングアドバンスは、第1のタイミングオフセットとすることもでき、複数のタイミングオフセットの組み合わせとすることもできる。
【００５２】
任意選択で、参照時刻は、第1のサービング基地局がデータフレームを送信する時刻、第1のUEが第1のサービング基地局によって送信されたデータフレームを受信する時刻、および第2のUEが第1のサービング基地局によって送信されたデータフレームを受信する時刻の各種の時刻のうちの少なくとも1つに従って決定することもできる。
【００５３】
あるいは、図2のシナリオに示すように、第1のサービング基地局が第2のサービング基地局と異なる場合には、第1のタイミングアドバンスは、第1のUEと第1のサービング基地局との間の第1のタイミングオフセット、第2のUEと第2のサービング基地局との間の第2のタイミングオフセット、第1のUEと第2のUEとの間の第3のタイミングオフセット、および第1のサービング基地局と第2のサービング基地局との間の第4のタイミングオフセットの各タイミングオフセットのうちの少なくとも1つに従って決定することもできる。
【００５４】
任意選択で、参照時刻は、第1のサービング基地局がデータフレームを送信する時刻、第2のサービング基地局がデータフレームを送信する時刻、第1のUEが第1のサービング基地局によって送信されたデータフレームを受信する時刻、第1のUEが第2のサービング基地局によって送信されたデータフレームを受信する時刻、第2のUEが第1のサービング基地局によって送信されたデータフレームを受信する時刻、および第2のUEが第2のサービング基地局によって送信されたデータフレームを受信する時刻の各種の時刻のうちの少なくとも1つに従って決定することもできる。
【００５５】
具体的には、ステップ302で、第1の受信サブフレームを受信する時刻tは、
t＝t0−t1＋tsubframe  （1）
であり、式中、t0は、参照時刻であり、第1のサービング基地局が第1のUEへダウンリンク・データ・フレームを送信する時刻であり、t1は、第1のタイミングアドバンスであり、第1のタイミングオフセット、第2のタイミングオフセット、または第3のタイミングオフセットのうちの1つであり、tsubframeは、第1の受信サブフレームと、データフレーム構成内のものである第1のサブフレームとの間の遅延を表すものとして決定することができる。
【００５６】
あるいは、ステップ302で、第1の受信サブフレームを受信する時刻tは、
t＝t0−t1／2＋tsubframe  （2）
であり、式中、t0は、参照時刻であり、第1のサービング基地局が第1のUEへダウンリンク・データ・フレームを送信する時刻であり、t1は、第1のタイミングオフセット、第2のタイミングオフセット、または第3のタイミングオフセットのうちの1つであり、t1／2は、第1のタイミングアドバンスであり、tsubframeは、第1の受信サブフレームと、データフレーム構成内のものである第1のサブフレームとの間の遅延を表すものとして決定することができる。
【００５７】
あるいは、ステップ302で、第1の受信サブフレームを受信する時刻tは、
t＝t0−（t1−t2−t3）＋tsubframe  （3）
であり、式中、t0は、参照時刻であり、第1のサービング基地局が第1のUEへダウンリンク・データ・フレームを送信する時刻であり、（t1−t2−t3）は、第1のタイミングアドバンスであり、t1は、第1のタイミングオフセットであり、t2は、第2のタイミングオフセットであり、t3は、第3のタイミングオフセットであり、tsubframeは、第1の受信サブフレームと、データフレーム構成内のものである第1のサブフレームとの間の遅延を表すものとして決定することもできる。
【００５８】
図2のシナリオに示すように、ステップ302で、第1の受信サブフレームを受信する時刻tは、
t＝t0−（t1＋t4）＋tsubframe  （4）
であり、式中、t0は、参照時刻であり、第1のサービング基地局が第1のUEへダウンリンク・データ・フレームを送信する時刻であり、（t1＋t4）は、第1のタイミングアドバンスであり、t1は、第1のタイミングオフセット、第2のタイミングオフセット、または第3のタイミングオフセットのうちの1つであり、t4は、第4のタイミングオフセットであり、tsubframeは、第1の受信サブフレームと、データフレーム構成内のものである第1のサブフレームとの間の遅延を表すものとして決定することもできる。
【００５９】
あるいは、第1の受信サブフレームを受信する時刻tは、
t＝t0−（t1／2＋t4）＋tsubframe  （5）
であり、式中、t0は、参照時刻であり、第1のサービング基地局が第1のUEへダウンリンク・データ・フレームを送信する時刻であり、（t1／2＋t4）は、第1のタイミングアドバンスであり、t1は、第1のタイミングオフセット、第2のタイミングオフセット、または第3のタイミングオフセットのうちの1つであり、t4は、第4のタイミングオフセットであり、tsubframeは、第1の受信サブフレームと、データフレーム構成内のものである第1のサブフレームとの間の遅延を表すものとして決定することもできる。
【００６０】
第1のUEが第1の受信サブフレームを受信する時刻tを決定するのに用いる前述の式（1）から式（5）において、参照時刻の選択および第1のタイミングアドバンスの例は単なる例示にすぎず、本発明の範囲を限定するためのものではないことを理解すべきである。
【００６１】
タイミングオフセットを用いて決定されることは、ここではタイミングオフセットと完全に等しいことを意味するものではないことに留意すべきである。例えば、第1のタイミングアドバンスは第1のタイミングオフセットを用いて決定され、第1のタイミングオフセットはTA1であるものと仮定する。その場合、第1のタイミングアドバンスはTA1とすることもでき、TA1／2とすることもでき、以下同様である。別の例として、第1のタイミングアドバンスは第1のタイミングオフセットおよび第2のタイミングオフセットの組み合わせを用いて決定され、第1のタイミングオフセットはTA1であり、第2のタイミングオフセットはTA2であるものと仮定する。その場合、第1のタイミングアドバンスは、（TA1＋TA2）／2などとすることができる。実際のネットワークにおいては、タイミングオフセットは伝送遅延に関連している。通常の場合には、タイミングオフセットは伝送遅延の2倍の長さであるとみなすことができる。例えば、UEと基地局との間のタイミングオフセットは、UEと基地局との間の伝送遅延の2倍の長さとすることができる。
【００６２】
前述の解決策を用いることにより、第1のタイミングアドバンスはタイミングオフセットを用いて決定され、第1のUEが第2のUEによって送信された第1の受信サブフレームを受信する時刻は調整され、そのため、第1のUEはデータフレームのより正確なタイミングを有し、シンボル間の干渉を回避することができる。
【００６３】
任意選択で、第1のタイミングアドバンスの決定が第1のUEのサービング基地局によって行われてもよい。すなわち、ステップ301で、第1のUEは第1のUEのサービング基地局から第1のタイミングアドバンスを取得することができる。当然ながら、第1のUEは、第1のUEのサービング基地局から、第1のタイミングアドバンスを決定するのに使用される少なくとも1つのタイミングオフセットを受信することもでき、第1のUEは、その少なくとも1つのタイミングオフセットに従って第1のタイミングアドバンスを決定する。このことは本発明の本実施形態では限定されないことを理解すべきである。
【００６４】
任意選択で、別の実施形態として、第1のUEは、参照時刻、第2のタイミングアドバンス、およびデータフレーム構成に従って、第1のUEがデータフレーム構成内のものである第1の送信サブフレームを送信する時刻を決定し、第2のタイミングアドバンスは、第1のUEが第1の送信サブフレームを送信するためのタイミングアドバンスを表す。任意選択で、第2のタイミングアドバンスの値を、第1のUEと第1のUEのサービング基地局との間の第1のタイミングオフセットとすることもできる。
【００６５】
任意選択で、別の実施形態として、ステップ301で、第1のUEは、ネットワーク側のデバイス（例えば、第1のサービング基地局）からデータフレーム構成を取得することもできる。すなわち、データフレーム構成はネットワーク側のデバイスによって第1のUEへ送付される。あるいは、第1のUEは、使用されるべきデータフレーム構成に関して第2のUEと事前折衝することもできる。例えば、第1のUEと第2のUEの一方のUEがデータフレーム構成を決定し、そのデータフレーム構成を他方のUEへ送信する。
【００６６】
任意選択で、別の実施形態として、データフレーム構成は、送信から受信までの少なくとも1つのGPおよび受信から送信までの少なくとも1つのGPを含む場合もあり、あるいは、データフレーム構成は、送信から受信までのただ1つのGPを含む場合もあり、あるいは、データフレーム構成は、GPを含まない場合もあり、以下同様である。本発明の本実施形態で使用されるデータフレーム構成の形態は限定されないことを理解すべきである。
【００６７】
具体的には、図4に示すように、D2D通信における第1のUEのデータフレーム構成は10個の伝送サブフレームを含む。10個の伝送サブフレームは、順次に、4個の送信サブフレームT、1個の送信から受信への変換サブフレームT’、4個の受信サブフレームR、および1個の受信から送信への変換サブフレームR’を含むを順次に含む。送信から受信への変換サブフレームT’は、順次に、送信部分、GP（送信から受信までのGPともいう）、および受信部分を含む。受信から送信への変換サブフレームR’は、順次に、受信部分、GP（受信から送信までのGPともいう）、および送信部分を含む。変換サブフレームは別の形態とすることもできる。図5に示すように、変換サブフレームT’は、順次に、送信部分およびGP（送信から受信までのGPともいう）を含み、変換サブフレームR’は、順次に、受信部分およびGP（受信から送信までのGPともいう）を含む。それに対応して、第2のUEについて、第2のUEのデータフレーム構成は、順次に、4個の受信サブフレームR、1個の受信から送信への変換サブフレームR’、4個の送信サブフレームT、および1個の送信から受信への変換サブフレームT’を含む。
【００６８】
当然ながら、第1のUEのデータフレーム構成は、順次に、4個の受信サブフレームR、1個の受信から送信への変換サブフレームR’、4個の送信サブフレームT、および1個の送信から受信への変換サブフレームT’を含むこともでき、第2のUEのデータフレーム構成は、順次に、4個の送信サブフレームT、1個の送信から受信への変換サブフレームT’、4個の受信サブフレームR、および1個の受信から送信への変換サブフレームR’を含むこともできる。
【００６９】
このことは本発明の本実施形態では限定されないことを理解すべきである。データフレーム構成内のものである送信サブフレーム、受信サブフレーム、および変換サブフレーム（すなわちGP）の数量および位置（順序）は本発明の本実施形態では限定されないことにもさらに留意すべきである。例えば、データフレーム構成は、例として図6に示すことができる。
【００７０】
任意選択で、第1の時刻および第2の時刻を、デバイスツーデバイス（D2D）通信を行うUEがデータフレーム構成内のものである第1の受信サブフレームを受信する時刻、UEがデータフレーム構成内のものである第1の送信サブフレームを送信する時刻、およびデータフレーム構成に従って決定することもでき、ガード期間が、第1の時刻および第2の時刻に従って、第1のサブフレームと第2のサブフレームとの間に設定される。第1のサブフレームおよび第2のサブフレームはデータフレーム構成において連続して隣り合っており、第1のサブフレームが受信サブフレームであり、第2のサブフレームが送信サブフレームである場合には、第1の時刻はUEが第1のサブフレームを受信するときの終了時刻（「停止時刻」ともいう）を表し、第2の時刻はUEが第2のサブフレームを送信するときの開始時刻を表し、または第1のサブフレームが送信サブフレームであり、第2のサブフレームが受信サブフレームである場合には、第1の時刻はUEが第1のサブフレームを送信するときの終了時刻を表し、第2の時刻はUEが第2のサブフレームを受信するときの開始時刻を表す。
【００７１】
言い換えると、GPを、受信のタイミングアドバンス、送信のタイミングアドバンス、およびデータフレーム構成に従って設定することもできる。例えば、GPは、第1のタイミングアドバンス、第2のタイミングアドバンス、およびデータフレーム構成に従って設定される。
【００７２】
具体的には、第1の時刻と第2の時刻との差が第1の閾値より大きい場合に、データ構成において、第1のサブフレームと第2のサブフレームとの間にガード期間が含まれないことが設定され、または、第1の時刻と第2の時刻との差が第1の閾値以下である場合に、データ構成において、第1のサブフレームと第2のサブフレームとの間に少なくとも1つのガード期間が含まれることが設定される。
【００７３】
任意選択で、データフレーム構成内のGPは、ネットワーク側のデバイス（例えば、第1のサービング基地局）によって設定することもできる。当然ながら、データフレーム構成内のGPは、第1のUEと第2のUEによる事前折衝を通じて設定することもできる。このことは本発明の本実施形態では限定されないことを理解すべきである。同様に、参照時刻の選択も、ネットワーク側のデバイスによって第1のUEへ送付することもでき、また、第1のUEと第2のUEによる事前折衝を通じて決定することもできる。
【００７４】
したがって、データフレーム構成においてGPを設定すべきかどうかは、データフレーム構成内の2つの連続して隣り合うサブフレームに従って、すなわち、受信サブフレームの受信終了時刻および送信サブフレームの送信開始時刻、または送信サブフレームの送信終了時刻および受信サブフレームの受信開始時刻に従って決定される。このようにして、シンボル間の干渉が回避され、リソースを有効に利用することができる。
【００７５】
本発明の本実施形態を、以下で具体例に関連して詳細に説明する。
【００７６】
D2D通信を行う2台のUEはUE1およびUE2である。UE1およびUE2はどちらも、参照時刻、データフレーム構成、および第1のタイミングアドバンス（受信のタイミングアドバンス）を取得し、任意選択で、第2のタイミングアドバンス（送信のタイミングアドバンス）をさらに取得する。データフレームのタイミングを決定するのに使用される情報を取得するやり方については、前述の説明を参照することができ、ここではこれ以上詳細を繰り返さない。D2D通信のデータフレーム構成について、一例として図7を用いると、UE1のデータフレーム構成は10個の伝送サブフレームを含み、これら10個の伝送サブフレームは、順次に、4個の送信サブフレームT、1個の送信から受信への変換サブフレームT’、4個の受信サブフレームR、および1個の受信から送信への変換サブフレームR’を含み、それに対応して、UE2のデータフレーム構成は、順次に、4個の受信サブフレームR、1個の受信から送信への変換サブフレームR’、4個の送信サブフレームT、および1個の送信から受信への変換サブフレームT’を含む。
【００７７】
参照時刻はT0であり、UE1の受信のタイミングアドバンスと送信のタイミングアドバンスはどちらもΔt11であり、任意選択で、Δt11はタイミングオフセットを用いて決定することもできるものと仮定する。例えば、Δt11は、UE1とUE1のサービング基地局との間のタイミングオフセットとすることもできる。UE2の送信のタイミングアドバンスはΔt21であり、UE2の受信のタイミングアドバンスは（Δt21−Δt22）である。任意選択で、UE2のサービング基地局がUE2へΔt21およびΔt22を送信することもでき、その場合UE2は受信のタイミングアドバンスを決定し、また当然ながら、Δt21および（Δt21−Δt22）をUE2へ直接送信することもできる。任意選択で、Δt21およびΔt22を、タイミングオフセットに従って決定することもできる。具体的には、タイミングオフセットに従ってタイミングアドバンスを決定するやり方については、前述の説明を参照することができ、ここではこれ以上詳細を繰り返さない。
【００７８】
UE1について、UE1がデータフレーム構成内のものである第1の送信サブフレームをUE2へ送信する時刻は、ts1＝T0−Δt11である。データフレーム構成内の第1の受信サブフレームとデータフレーム構成内の第1のサブフレームとの間の遅延はΔt’であり、Δt’は5サブフレームの遅延である。UE1がUE2によって送信された第1の受信サブフレームを受信する時刻は、tr1＝T0−Δt11＋Δt’である。UE2について、UE2が、UE1によって送信される、データフレーム構成内のものである第1の送信サブフレームを受信する時刻は、tr2＝T0−（Δt21−Δt22）である。UE2がデータフレーム構成内のものである第1の受信サブフレームをUE1へ送信する時刻は、ts2＝T0−Δt21＋Δt’である。したがって、データフレームのタイミングがタイミングアドバンスに従って調整され、そのため、UEはD2D通信を行うときにサブフレームを正しく送受信することができ、シンボル間の干渉を回避することができる。
【００７９】
前述の例は単に当業者が本発明の実施形態をより良く理解するのを助けるためのものにすぎず、本発明の範囲を限定するためのものではないことに留意すべきである。タイミングアドバンスの値は正であっても負であってよく、本発明の実施形態においては限定されない。
【００８０】
図8は、本発明の一実施形態によるデバイスツーデバイス通信のための方法の流れ図である。
【００８１】
801：デバイスツーデバイス（D2D）通信を行うUEがデータフレーム構成内のものである第1の受信サブフレームを受信する時刻、UEがデータフレーム構成内のものである第1の送信サブフレームを送信する時刻、およびデータフレーム構成に従って、第1の時刻および第2の時刻を決定する。
【００８２】
802：第1の時刻および第2の時刻に従って第1のサブフレームと第2のサブフレームとの間にガード期間を設定する。第1のサブフレームおよび第2のサブフレームはデータフレーム構成において連続して隣り合っており、第1のサブフレームが受信サブフレームであり、第2のサブフレームが送信サブフレームである場合には、第1の時刻はUEが第1のサブフレームを受信するという終了時刻（「停止時刻」ともいう）を表し、第2の時刻はUEが第2のサブフレームを送信するときの開始時刻を表し、または第1のサブフレームが送信サブフレームであり、第2のサブフレームが受信サブフレームである場合には、第1の時刻はUEが第1のサブフレームを送信するときの終了時刻を表し、第2の時刻はUEが第2のサブフレームを受信するときの開始時刻を表す。
【００８３】
本発明の本実施形態においては、データフレーム構成においてGPを設定すべきかどうかは、データフレーム構成内の2つの連続して隣り合うサブフレームに従って、すなわち、受信サブフレームの受信終了時刻および送信サブフレームの送信開始時刻、または送信サブフレームの送信終了時刻および受信サブフレームの受信開始時刻に従って決定される。このようにして、シンボル間の干渉が回避され、リソースを有効に利用することができる。
【００８４】
ステップ801で、第1のサブフレームが受信サブフレームであり、第2のサブフレームが送信サブフレームである場合には、第1の受信サブフレームは、第1のサブフレームと同じである場合も異なる場合もあり、データフレーム構成において、第1の受信サブフレームと第1のサブフレームとの間には特定のサブフレーム遅延が生じる。したがって、第1のサブフレームを受信するための終了時刻は、第1の受信サブフレームの受信時刻およびサブフレーム遅延に従って決定することができることに留意すべきである。同様に、第2のサブフレームを送信するための開始時刻も、第1の送信サブフレームの送信時刻およびサブフレーム遅延に従って決定することができる。
【００８５】
それに対応して、第2のサブフレームが受信サブフレームであり、第1のサブフレームが送信サブフレームである場合には、第1の受信サブフレームは、第2のサブフレームと同じである場合も異なる場合もあり、データフレーム構成において、第1の受信サブフレームと第2のサブフレームとの間には特定のサブフレーム遅延が生じ、したがって、第2のサブフレームを受信するための開始時刻は、第1の受信サブフレームの受信時刻およびサブフレーム遅延に従って決定することができる。同様に、第1のサブフレームを送信するための終了時刻も、第1の送信サブフレームの送信時刻およびサブフレーム遅延に従って決定することができる。
【００８６】
任意選択で、一実施形態として、ステップ802で、第1の時刻と第2の時刻との差が第1の閾値より大きい場合には、データ構成において、第1のフレームと第2のサブフレームとの間にガード期間が含まれないことが設定され、または、第1の時刻と第2の時刻との差が第1の閾値以下である場合には、データ構成において、第1のサブフレームと第2のサブフレームとの間に少なくとも1つのガード期間が含まれることが設定される。
【００８７】
任意選択で、別の実施形態として、図8の方法は、ネットワーク側のデバイスまたはユーザ機器によって実行することもできる。データフレーム構成内のGPは、ネットワーク側のデバイス（例えば、第1のUEの第1のサービング基地局）によって設定することができる。当然ながら、データフレーム構成内のGPは、第1のUEと第2のUEによる事前折衝を通じて設定することもできる。このことは本発明の本実施形態では限定されないことを理解すべきである。
【００８８】
本発明の本実施形態を、以下で図9の例に関連して詳細に説明する。
【００８９】
D2D通信のデータフレーム構成は、順次に、5個の送信サブフレームおよび5個の受信サブフレームを含むものと仮定する。
【００９０】
UE1について、図9に示すデータフレーム構成は、順次に、TTTRRRRRTTを含む。それに対応して、UE2について、図9に示すデータフレーム構成は、順次に、RRRTTTTTRRを含む。UE2から見ると、受信から送信への変換（すなわち、第1のサブフレームは受信サブフレームであり第2のサブフレームは送信サブフレームである）について、図9では、t’1はUE2の受信の終了時刻であり、t’’1はUE2の送信の開始時刻であり、Δt1はt’1とt’’1との差である。送信から受信への変換（すなわち、第2のサブフレームは受信サブフレームであり第1のサブフレームは送信サブフレームである）について、図9では、t’2はUE2の受信の開始時刻であり、t’’2はUE2の送信の終了時刻であり、Δt2はt’2とt’’2との差である。受信から送信への変換時間および送信から受信への変換時間がどちらも20μSであると仮定すると、tx1＝20μSおよびtx2＝20μSと設定することができる。得られたΔt1が0．5msである、すなわち、受信から送信までの差Δt1が受信から送信までの変換時間tx1よりもはるかに大きい場合、受信から送信までの変換時間は設定される必要がない。送信から受信までの変換のプロセスについては、UE2の受信の開始時刻t’2は、UE2の送信の終了時刻t’’2よりもずっと早い。すなわち、Δt2≦tx2であり、Δt2は負の値である。この場合には、少なくとも0．5ms＋20μsのガード期間が必要とされる。すなわち、送信の終了時刻t’’2が受信の開始時刻t’2よりも早くなり、終了時刻t’’2と開始時刻t’2との間の間隔が変換時間より大きくなるように保護区間を提供するために8個のOFDM（Orthogonal Frequency Division Multiplexing、直交周波数分割多重）シンボルが必要とされる。
【００９１】
例として、Δt1＞tx1であり、Δt2≦tx2であるときには、D2D通信では、UE1のデータフレーム構成の形態をTTTTTRRRRR’とすることができ、Δt1＞tx1であり、Δt2≦tx2であるときには、UE1のデータフレーム構成の形態をTTTTTRRRRR’とすることができる。Δt1≦tx1であり、Δt2≦tx2であるときには、データフレーム構成は送信から受信までのガード期間および受信から送信までのガード期間を提供する必要があり、UE1のデータフレーム構成の形態をTTTTT’RRRRR’とすることができる。Δt1＞tx1であり、Δt2＞tx2であるときには、UE1のデータフレーム構成の形態をTTTTTRRRRRとすることができる。すなわち、データフレーム構成においてガード期間を設定する必要がない。このようにして、リソースの無駄を低減することができる。
【００９２】
tx1はtx2と同じであっても異なっていてもよく、Δt1の値およびΔt2の値は正であっても負であってもよく、これらは、本発明の本実施形態において限定されないことを理解すべきである。前述の例は単なる例示にすぎず、本発明の範囲を限定するためのものではないことにさらに留意すべきである。
【００９３】
前述の解決策を用いることにより、データフレーム構成においてガード期間が適正に設定され、それによって、リソース利用が有効に改善される。
【００９４】
図10は、本発明の一実施形態による第1のUEの構造ブロック図である。第1のUE1000は、取得部1001と決定部1002とを含む。
【００９５】
取得部1001は、参照時刻、第1のタイミングアドバンス、およびデータフレーム構成を取得する。第1のタイミングアドバンスは、第1のUEがデータフレーム構成内のものである第1の受信サブフレームを受信するためのタイミングアドバンスを表し、第1の受信サブフレームは第2のUEによって送信される。
【００９６】
決定部1002は、取得部1001によって取得される参照時刻、第1のタイミングアドバンス、およびデータフレーム構成に従って、第1の受信サブフレームを受信する時刻を決定する。
【００９７】
本発明の本実施形態においては、第1のUEが、参照時刻、第1のタイミングアドバンス、およびデータフレーム構成に従って、データフレーム構成内のものである第1の受信サブフレームを受信する時刻を決定し、第1の受信サブフレームは第2のUEによって送信され、第1のタイミングアドバンスは、第1のUEがデータフレーム構成内のものである第1の受信サブフレームを受信するためのタイミングアドバンスを表す。したがって、第1のUEが第2のUEによって送信される第1の受信サブフレームを受信する時刻は第1のタイミングアドバンスを用いて調整され、そのため、第1のUEはデータフレームのより正確なタイミングを有し、シンボル間の干渉を回避することができる。
【００９８】
第1のUE1000は、図1から図7の方法の、第1のUEが関与するステップを実施することができ、反復を回避するために、これ以上詳細を繰り返さない。
【００９９】
任意選択で、一実施形態として、図1のシナリオに示すように、第1のUEの第1のサービング基地局が第2のUEの第2のサービング基地局と同じである場合には、取得部1001によって取得される第1のタイミングアドバンスは、第1のUEと第1のサービング基地局との間の第1のタイミングオフセット、第2のUEと第2のサービング基地局との間の第2のタイミングオフセット、および第1のUEと第2のUEとの間の第3のタイミングオフセットの各タイミングオフセットのうちの少なくとも1つに従って決定することもできる。例えば、取得部1001によって取得される第1のタイミングアドバンスは、第1のタイミングオフセットとすることもでき、複数のタイミングオフセットの組み合わせとすることもできる。
【０１００】
任意選択で、取得部1001によって取得される参照時刻は、第1のサービング基地局がデータフレームを送信する時刻、第1のUEが第1のサービング基地局によって送信されたデータフレームを受信する時刻、および第2のUEが第1のサービング基地局によって送信されたデータフレームを受信する時刻の各種の時刻のうちの少なくとも1つに従って決定することもできる。
【０１０１】
あるいは、図2のシナリオに示すように、第1のUEの第1のサービング基地局が第2のUEの第2のサービング基地局と異なる場合には、取得部1001によって取得される第1のタイミングアドバンスは、第1のUEと第1のサービング基地局との間の第1のタイミングオフセット、第2のUEと第2のサービング基地局との間の第2のタイミングオフセット、第1のUEと第2のUEとの間の第3のタイミングオフセット、および第1のサービング基地局と第2のサービング基地局との間の第4のタイミングオフセットの各種の時刻のうちの少なくとも1つに従って決定することもできる。
【０１０２】
任意選択で、取得部1001によって取得される参照時刻は、第1のサービング基地局がデータフレームを送信する時刻、第2のサービング基地局がデータフレームを送信する時刻、第1のUEが第1のサービング基地局によって送信されたデータフレームを受信する時刻、第1のUEが第2のサービング基地局によって送信されたデータフレームを受信する時刻、第2のUEが第1のサービング基地局によって送信されたデータフレームを受信する時刻、および第2のUEが第2のサービング基地局によって送信されたデータフレームを受信する時刻の各種の時刻のうちの少なくとも1つに従って決定することもできる。
【０１０３】
具体的には、決定部1002は具体的には、第1の受信サブフレームを受信する時刻tを、t＝t0−t1＋tsubframe、であり、式中、t0は、参照時刻であり、第1のサービング基地局が第1のUEへダウンリンク・データ・フレームを送信する時刻であり、t1は、第1のタイミングアドバンスであり、第1のタイミングオフセット、第2のタイミングオフセット、または第3のタイミングオフセットのうちの1つであり、tsubframeは、第1の受信サブフレームと、データフレーム構成内のものである第1のサブフレームとの間の遅延を表すものとして決定することができる。
【０１０４】
あるいは、決定部1002は具体的には、第1の受信サブフレームを受信する時刻tを、t＝t0−t1／2＋tsubframe、であり、式中、t0は、参照時刻であり、第1のサービング基地局が第1のUEへダウンリンク・データ・フレームを送信する時刻であり、t1は、第1のタイミングオフセット、第2のタイミングオフセット、または第3のタイミングオフセットのうちの1つであり、t1／2は、第1のタイミングアドバンスであり、tsubframeは、第1の受信サブフレームと、データフレーム構成内のものである第1のサブフレームとの間の遅延を表すものとして決定することもできる。
【０１０５】
あるいは、決定部1002は具体的には、第1の受信サブフレームを受信する時刻tを、t＝t0−（t1−t2−t3）＋tsubframe、であり、式中、t0は、参照時刻であり、第1のサービング基地局が第1のUEへダウンリンク・データ・フレームを送信する時刻であり、（t1−t2−t3）は、第1のタイミングアドバンスであり、t1は、第1のタイミングオフセットであり、t2は、第2のタイミングオフセットであり、t3は、第3のタイミングオフセットであり、tsubframeは、第1の受信サブフレームと、データフレーム構成内のものである第1のサブフレームとの間の遅延を表すものとして決定することもできる。
【０１０６】
図2に示すシナリオでは、決定部1002は具体的には、第1の受信サブフレームを受信する時刻tを、t＝t0−（t1＋t4）＋tsubframe、であり、式中、t0は、参照時刻であり、第1のサービング基地局が第1のUEへダウンリンク・データ・フレームを送信する時刻であり、（t1＋t4）は、第1のタイミングアドバンスであり、t1は、第1のタイミングオフセット、第2のタイミングオフセット、または第3のタイミングオフセットのうちの1つであり、t4は、第4のタイミングオフセットであり、tsubframeは、第1の受信サブフレームと、データフレーム構成内のものである第1のサブフレームとの間の遅延を表すものとして決定することもできる。
【０１０７】
あるいは、決定部1002は具体的には、第1の受信サブフレームを受信する時刻tを、t＝t0−（t1／2＋t4）＋tsubframe、であり、式中、t0は、参照時刻であり、第1のサービング基地局が第1のUEへダウンリンク・データ・フレームを送信する時刻であり、（t1／2＋t4）は、第1のタイミングアドバンスであり、t1は、第1のタイミングオフセット、第2のタイミングオフセット、または第3のタイミングオフセットのうちの1つであり、t4は、第4のタイミングオフセットであり、tsubframeは、第1の受信サブフレームと、データフレーム構成内のものである第1のサブフレームとの間の遅延を表すものとして決定することもできる。
【０１０８】
第1のUEが第1の受信サブフレームを受信する時刻tを決定するのに用いる前述の式（1）から式（5）において、参照時刻の選択および第1のタイミングアドバンスの例は単なる例示にすぎず、本発明の範囲を限定するためのものではないことを理解すべきである。
【０１０９】
タイミングオフセットを用いて決定されることは、ここではタイミングオフセットと完全に等しいことを意味するものではないことに留意すべきである。例えば、第1のタイミングアドバンスは第1のタイミングオフセットを用いて決定され、第1のタイミングオフセットはTA1であるものと仮定する。その場合、第1のタイミングアドバンスはTA1とすることもでき、TA1／2とすることもでき、以下同様である。別の例として、第1のタイミングアドバンスは第1のタイミングオフセットおよび第2のタイミングオフセットの組み合わせを用いて決定され、第1のタイミングオフセットはTA1であり、第2のタイミングオフセットはTA2であるものと仮定する。その場合、第1のタイミングアドバンスは、（TA1＋TA2）／2などとすることができる。実際のネットワークにおいては、タイミングオフセットは伝送遅延に関連している。通常の場合には、タイミングオフセットは伝送遅延の2倍の長さであるとみなすことができる。例えば、UEと基地局との間のタイミングオフセットは、UEと基地局との間の伝送遅延の2倍の長さとすることができる。
【０１１０】
前述の解決策を用いることにより、第1のタイミングアドバンスはタイミングオフセットを用いて決定され、第1のUEが第2のUEによって送信された第1の受信サブフレームを受信する時刻は調整され、そのため、第1のUEはデータフレームのより正確なタイミングを有し、シンボル間の干渉を回避することができる。
【０１１１】
任意選択で、別の実施形態として、取得部1001は具体的には、第1のUEの第1のサービング基地局によって送付された第1のタイミングアドバンスを受信する、すなわち、第1のサービング基地局から第1のタイミングアドバンスを取得することもできる。あるいは、取得部1001は具体的には、第1のサービング基地局によって送付され、第1のタイミングアドバンスを決定するのに使用される少なくとも1つのタイミングオフセットを受信し、少なくとも1つのタイミングオフセットに従って第1のタイミングアドバンスを決定することもできる。第1のタイミングアドバンスは、少なくとも1つのタイミングオフセットに従って決定部1002によって決定される。このことは本発明の本実施形態では限定されないことを理解すべきである。
【０１１２】
任意選択で、別の実施形態として、決定部1002はさらに、参照時刻、第2のタイミングアドバンス、およびデータフレーム構成に従って、第1のUEがデータフレーム構成内のものである第1の送信サブフレームを送信する時刻を決定することもでき、第2のタイミングアドバンスは、第1のUEが第1の送信サブフレームを送信するためのタイミングアドバンスを表す。任意選択で、第2のタイミングアドバンスの値を、第1のUEと第1のサービング基地局との間の第1のタイミングオフセットとすることもできる。
【０１１３】
任意選択で、別の実施形態として、取得部1001は具体的には、ネットワーク側のデバイス（例えば、第1のサービング基地局）からデータフレーム構成を取得することもできる。すなわち、データフレーム構成は第1のサービング基地局によって第1のUEへ送付される。あるいは、取得部1001は具体的には、使用されるべきデータフレーム構成に関して第2のUEと事前折衝することもできる。例えば、第1のUEと第2のUEの一方のUEがデータフレーム構成を決定し、そのデータフレーム構成を他方のUEへ送信する。
【０１１４】
任意選択で、別の実施形態として、取得部1001によって取得されるデータフレーム構成は、送信から受信までの少なくとも1つのGPおよび受信から送信までの少なくとも1つのGPを含む場合もあり、あるいは、データフレーム構成は、送信から受信までのただ1つのGPを含む場合もあり、あるいは、データフレーム構成は、GPを含まない場合もあり、以下同様である。本発明の本実施形態で使用されるデータフレーム構成の形態は限定されないことを理解すべきである。具体例については、前述の図4から図7の実施形態を参照することができ、ここではこれ以上詳細を繰り返さない。
【０１１５】
データフレーム構成は、送信から受信までの少なくとも1つのGPおよび受信から送信までの少なくとも1つのGPを含む場合もあり、あるいは、データフレーム構成は、送信から受信までのただ1つのGPを含む場合もあり、あるいは、データフレーム構成は、GPを含まない場合もあることを理解すべきである。本発明の本実施形態で使用されるデータフレーム構成の形態は限定されないことを理解すべきである。
【０１１６】
任意選択で、第1のUEおよび第2のUEはデータフレーム構成におけるGPの設定を決定するために折衝することもできる。具体的には、決定部1002はさらに、デバイスツーデバイス（D2D）通信を行うUEがデータフレーム構成内のものである第1の受信サブフレームを受信する時刻、UEがデータフレーム構成内のものである第1の送信サブフレームを送信する時刻、およびデータフレーム構成に従って、第1の時刻および第2の時刻を決定し、第1の時刻および第2の時刻に従って、第1のサブフレームと第2のサブフレームとの間にガード期間を設定することができる。第1のサブフレームおよび第2のサブフレームはデータフレーム構成において連続して隣り合っており、第1のサブフレームが受信サブフレームであり、第2のサブフレームが送信サブフレームである場合には、第1の時刻はUEが第1のサブフレームを受信するときの終了時刻（「停止時刻」ともいう）を表し、第2の時刻はUEが第2のサブフレームを送信するときの開始時刻を表し、または第1のサブフレームが送信サブフレームであり、第2のサブフレームが受信サブフレームである場合には、第1の時刻はUEが第1のサブフレームを送信するときの終了時刻を表し、第2の時刻はUEが第2のサブフレームを受信するときの開始時刻を表す。
【０１１７】
言い換えると、決定部1002はさらに、受信のタイミングアドバンス、送信のタイミングアドバンス、およびデータフレーム構成に従ってGPを設定することもできる。例えば、GPは、第1のタイミングアドバンス、第2のタイミングアドバンス、およびデータフレーム構成に従って設定される。具体的には、第1の時刻と第2の時刻との差が第1の閾値より大きい場合に、データ構成において、第1のサブフレームと第2のサブフレームとの間にガード期間が含まれないことが設定され、または、第1の時刻と第2の時刻との差が第1の閾値以下である場合に、データ構成において、第1のサブフレームと第2のサブフレームとの間に少なくとも1つのガード期間が含まれることが設定される。
【０１１８】
したがって、データフレーム構成においてGPを設定すべきかどうかは、データフレーム構成内の2つの連続して隣り合うサブフレームに従って、すなわち、受信サブフレームの受信終了時刻および送信サブフレームの送信開始時刻、または送信サブフレームの送信終了時刻および受信サブフレームの受信開始時刻に従って決定される。このようにして、シンボル間の干渉が回避され、リソースを有効に利用することができる。
【０１１９】
図11は、本発明の一実施形態によるデバイスの構造ブロック図である。デバイス1100は、決定部1101と設定部1102とを含む。
【０１２０】
決定部1101は、デバイスツーデバイス（D2D）通信を行うUEがデータフレーム構成内のものである第1の受信サブフレームを受信する時刻、UEがデータフレーム構成内のものである第1の送信サブフレームを送信する時刻、およびデータフレーム構成に従って、第1の時刻および第2の時刻を決定する。
【０１２１】
設定部1102は、決定部1101によって決定される第1の時刻および第2の時刻に従って第1のサブフレームと第2のサブフレームとの間にガード期間を設定する。第1のサブフレームおよび第2のサブフレームはデータフレーム構成において連続して隣り合っており、第1のサブフレームが受信サブフレームであり、第2のサブフレームが送信サブフレームである場合には、第1の時刻はUEが第1のサブフレームを受信するときの終了時刻（「停止時刻」ともいう）を表し、第2の時刻はUEが第2のサブフレームを送信するときの開始時刻を表し、または第1のサブフレームが送信サブフレームであり、第2のサブフレームが受信サブフレームである場合には、第1の時刻はUEが第1のサブフレームを送信するときの終了時刻を表し、第2の時刻はUEが第2のサブフレームを受信するときの開始時刻を表す。
【０１２２】
本発明の本実施形態においては、データフレーム構成においてGPを設定すべきかどうかは、データフレーム構成内の2つの連続して隣り合うサブフレームに従って、すなわち、受信サブフレームの受信終了時刻および送信サブフレームの送信開始時刻、または送信サブフレームの送信終了時刻および受信サブフレームの受信開始時刻に従って決定される。このようにして、シンボル間の干渉が回避され、リソースを有効に利用することができる。
【０１２３】
第1のサブフレームが受信サブフレームであり、第2のサブフレームが送信サブフレームである場合には、第1の受信サブフレームは、第1のサブフレームと同じである場合も異なる場合もあり、データフレーム構成において、第1の受信サブフレームと第1のサブフレームとの間には特定のサブフレーム遅延が生じ、したがって、第1のサブフレームを受信するための終了時刻は、第1の受信サブフレームの受信時刻およびサブフレーム遅延に従って決定することができることに留意すべきである。同様に、第2のサブフレームを送信するための開始時刻も、第1の送信サブフレームの送信時刻およびサブフレーム遅延に従って決定することができる。
【０１２４】
それに対応して、第2のサブフレームが受信サブフレームであり、第1のサブフレームが送信サブフレームである場合には、第1の受信サブフレームは、第2のサブフレームと同じである場合も異なる場合もあり、データフレーム構成において、第1の受信サブフレームと第2のサブフレームとの間には特定のサブフレーム遅延が生じ、したがって、第2のサブフレームを受信するための開始時刻は、第1の受信サブフレームの受信時刻およびサブフレーム遅延に従って決定することができる。同様に、第1のサブフレームを送信するための終了時刻も、第1の送信サブフレームの送信時刻およびサブフレーム遅延に従って決定することができる。
【０１２５】
デバイス1100は図8および図9の方法に関与するステップを実施することができ、反復を回避するために、これ以上詳細を繰り返さない。
【０１２６】
任意選択で、一実施形態として、設定部1102は具体的には、第1の時刻と第2の時刻との差が第1の閾値より大きい場合に、データ構成において、第1のフレームと第2のサブフレームとの間にガード期間が含まれないことを設定することができ、または、設定部1102は具体的には、第1の時刻と第2の時刻との差が第1の閾値以下である場合に、データ構成において、第1のサブフレームと第2のサブフレームとの間に少なくとも1つのガード期間が含まれることを設定することができる。
【０１２７】
任意選択で、別の実施形態として、デバイス1100を、ネットワーク側のデバイスまたはユーザ機器とすることもできる。すなわち、データフレーム構成におけるGPを、ネットワーク側のデバイス（例えば、第1のUEのサービング基地局や基地局コントローラ）によって設定することができ、また、データフレーム構成におけるGPを、第1のUEおよび第2のUEによる事前折衝を通じて設定することもできる。このことは本発明の本実施形態では限定されないことを理解すべきである。
【０１２８】
本発明の一実施形態は、前述の方法実施形態におけるステップおよび方法を実施するための装置実施形態をさらに提供する。図12は、別の実施形態による第1のユーザ機器の構造ブロック図である。本実施形態において、デバイス1200は、プロセッサ1201と、メモリ1202と、送受信機1203とを含む。プロセッサ1201はデバイス1200の動作を制御する。プロセッサ1201をCPU（Central Processing Unit、中央処理装置）と呼ぶこともできる。メモリ1202は、読取り専用メモリおよびランダム・アクセス・メモリを含み、プロセッサ1201に命令およびデータを提供することができる。メモリ1202の一部が、不揮発性ランダム・アクセス・メモリ（NVRAM）も含んでいてもよい。プロセッサ1201、メモリ1202、および送受信機1203は、バスシステム1210を用いて相互に結合されている。バスシステム1210は、データバスに加えて、電源バス、制御バス、および状況信号バスをさらに含む。しかし、説明を明確にするために、図ではすべてのバスがバスシステム1210として記されている。
【０１２９】
本発明の前述の実施形態において開示された方法は、デバイス1200において使用することができる。プロセッサ1201は集積回路チップとすることができ、信号処理能力を有する。一実施プロセスにおいて、前述の方法の各ステップは、ハードウェアの形態の集積論理回路を用いて、またはプロセッサ1201においてソフトウェアの形態の命令を用いて完了することができる。
【０１３０】
プロセッサ1201は、参照時刻、第1のタイミングアドバンス、およびデータフレーム構成を取得する。第1のタイミングアドバンスは、送受信機1203がデータフレーム構成内のものである第1の受信サブフレームを受信するためのタイミングアドバンスを表し、第1の受信サブフレームは第2のUEによって送信される。
【０１３１】
プロセッサ1201はさらに、取得された参照時刻、第1のタイミングアドバンス、およびデータフレーム構成に従って、第1の受信サブフレームを受信する時刻を決定する。
【０１３２】
本発明の本実施形態においては、第1のUEが、参照時刻、第1のタイミングアドバンス、およびデータフレーム構成に従って、データフレーム構成内のものである第1の受信サブフレームを受信する時刻を決定し、第1の受信サブフレームは第2のUEによって送信され、第1のタイミングアドバンスは、第1のUEがデータフレーム構成内のものである第1の受信サブフレームを受信するためのタイミングアドバンスを表す。したがって、第1のUEが第2のUEによって送信される第1の受信サブフレームを受信する時刻は第1のタイミングアドバンスを用いて調整され、そのため、第1のUEはデータフレームのより正確なタイミングを有し、シンボル間の干渉を回避することができる。
【０１３３】
第1のUE1200は、図1から図7の方法の、第1のUEが関与するステップを実施することができ、反復を回避するために、これ以上詳細を繰り返さない。
【０１３４】
任意選択で、一実施形態として、図1のシナリオに示すように、第1のUEの第1のサービング基地局が第2のUEの第2のサービング基地局と同じである場合には、プロセッサ1201によって取得される第1のタイミングアドバンスは、第1のUEと第1のサービング基地局との間の第1のタイミングオフセット、第2のUEと第2のサービング基地局との間の第2のタイミングオフセット、および第1のUEと第2のUEとの間の第3のタイミングオフセットの各タイミングオフセットのうちの少なくとも1つに従って決定することもできる。例えば、プロセッサ1201によって取得される第1のタイミングアドバンスは、第1のタイミングオフセットとすることもでき、複数のタイミングオフセットの組み合わせとすることもできる。
【０１３５】
任意選択で、プロセッサ1201によって取得される参照時刻は、第1のサービング基地局がデータフレームを送信する時刻、第1のUEが第1のサービング基地局によって送信されたデータフレームを受信する時刻、および第2のUEが第1のサービング基地局によって送信されたデータフレームを受信する時刻の各種の時刻のうちの少なくとも1つに従って決定することもできる。
【０１３６】
あるいは、図2のシナリオに示すように、第1のUEの第1のサービング基地局が第2のUEの第2のサービング基地局と異なる場合には、プロセッサ1201によって取得される第1のタイミングアドバンスは、第1のUEと第1のサービング基地局との間の第1のタイミングオフセット、第2のUEと第2のサービング基地局との間の第2のタイミングオフセット、第1のUEと第2のUEとの間の第3のタイミングオフセット、および第1のサービング基地局と第2のサービング基地局との間の第4のタイミングオフセットの各タイミングオフセットのうちの少なくとも1つに従って決定することもできる。
【０１３７】
任意選択で、プロセッサ1201によって取得される参照時刻は、第1のサービング基地局がデータフレームを送信する時刻、第2のサービング基地局がデータフレームを送信する時刻、第1のUEが第1のサービング基地局によって送信されたデータフレームを受信する時刻、第1のUEが第2のサービング基地局によって送信されたデータフレームを受信する時刻、第2のUEが第1のサービング基地局によって送信されたデータフレームを受信する時刻、および第2のUEが第2のサービング基地局によって送信されたデータフレームを受信する時刻の各種の時刻のうちの少なくとも1つに従って決定することもできる。
【０１３８】
具体的には、プロセッサ1201は具体的には、第1の受信サブフレームを受信する時刻tを、t＝t0−t1＋tsubframe、であり、式中、t0は、参照時刻であり、第1のサービング基地局が第1のUEへダウンリンク・データ・フレームを送信する時刻であり、t1は、第1のタイミングアドバンスであり、第1のタイミングオフセット、第2のタイミングオフセット、または第3のタイミングオフセットのうちの1つであり、tsubframeは、第1の受信サブフレームと、データフレーム構成内のものである第1のサブフレームとの間の遅延を表すものとして決定することができる。
【０１３９】
あるいは、プロセッサ1201は具体的には、第1の受信サブフレームを受信する時刻tを、t＝t0−t1／2＋tsubframe、であり、式中、t0は、参照時刻であり、第1のサービング基地局が第1のUEへダウンリンク・データ・フレームを送信する時刻であり、t1は、第1のタイミングオフセット、第2のタイミングオフセット、または第3のタイミングオフセットのうちの1つであり、t1／2は、第1のタイミングアドバンスであり、tsubframeは、第1の受信サブフレームと、データフレーム構成内のものである第1のサブフレームとの間の遅延を表すものとして決定することもできる。
【０１４０】
あるいは、プロセッサ1201は具体的には、第1の受信サブフレームを受信する時刻tを、t＝t0−（t1−t2−t3）＋tsubframe、であり、式中、t0は、参照時刻であり、第1のサービング基地局が第1のUEへダウンリンク・データ・フレームを送信する時刻であり、（t1−t2−t3）は、第1のタイミングアドバンスであり、t1は、第1のタイミングオフセットであり、t2は、第2のタイミングオフセットであり、t3は、第3のタイミングオフセットであり、tsubframeは、第1の受信サブフレームと、データフレーム構成内のものである第1のサブフレームとの間の遅延を表すものとして決定することもできる。
【０１４１】
図2に示すシナリオでは、プロセッサ1201は具体的には、第1の受信サブフレームを受信する時刻tを、t＝t0−（t1＋t4）＋tsubframe、であり、式中、t0は、参照時刻であり、第1のサービング基地局が第1のUEへダウンリンク・データ・フレームを送信する時刻であり、（t1＋t4）は、第1のタイミングアドバンスであり、t1は、第1のタイミングオフセット、第2のタイミングオフセット、または第3のタイミングオフセットのうちの1つであり、t4は、第4のタイミングオフセットであり、tsubframeは、第1の受信サブフレームと、データフレーム構成内のものである第1のサブフレームとの間の遅延を表すものとして決定することもできる。
【０１４２】
あるいは、プロセッサ1201は具体的には、第1の受信サブフレームを受信する時刻tを、t＝t0−（t1／2＋t4）＋tsubframe、であり、式中、t0は、参照時刻であり、第1のサービング基地局が第1のUEへダウンリンク・データ・フレームを送信する時刻であり、（t1／2＋t4）は、第1のタイミングアドバンスであり、t1は、第1のタイミングオフセット、第2のタイミングオフセット、または第3のタイミングオフセットのうちの1つであり、t4は、第4のタイミングオフセットであり、tsubframeは、第1の受信サブフレームと、データフレーム構成内のものである第1のサブフレームとの間の遅延を表すものとして決定することもできる。
【０１４３】
第1のUEが第1の受信サブフレームを受信する時刻tを決定するのに用いる前述の式（1）から式（5）において、参照時刻の選択および第1のタイミングアドバンスの例は単なる例示にすぎず、本発明の範囲を限定するためのものではないことを理解すべきである。
【０１４４】
タイミングオフセットを用いて決定されることは、ここではタイミングオフセットと完全に等しいことを意味するものではないことに留意すべきである。例えば、第1のタイミングアドバンスは第1のタイミングオフセットを用いて決定され、第1のタイミングオフセットはTA1であるものと仮定する。その場合、第1のタイミングアドバンスはTA1とすることもでき、TA1／2とすることもでき、以下同様である。別の例として、第1のタイミングアドバンスは第1のタイミングオフセットおよび第2のタイミングオフセットの組み合わせを用いて決定され、第1のタイミングオフセットはTA1であり、第2のタイミングオフセットはTA2であるものと仮定する。その場合、第1のタイミングアドバンスは、（TA1＋TA2）／2などとすることができる。実際のネットワークにおいては、タイミングオフセットは伝送遅延に関連している。通常の場合には、タイミングオフセットは伝送遅延の2倍の長さであるとみなすことができる。例えば、UEと基地局との間のタイミングオフセットは、UEと基地局との間の伝送遅延の2倍の長さとすることができる。
【０１４５】
前述の解決策を用いることにより、第1のタイミングアドバンスはタイミングオフセットを用いて決定され、第1のUEが第2のUEによって送信された第1の受信サブフレームを受信する時刻は調整され、そのため、第1のUEはデータフレームのより正確なタイミングを有し、シンボル間の干渉を回避することができる。
【０１４６】
任意選択で、別の実施形態として、プロセッサ1201は具体的には送受信機1203を用いて、第1のサービング基地局によって送付された第1のタイミングアドバンスを受信する、すなわち、第1のサービング基地局から第1のタイミングアドバンスを取得することもできる。あるいは、プロセッサ1201は具体的には、送受信機1203を用いて、第1のサービング基地局によって送付され、第1のタイミングアドバンスを決定するのに使用される少なくとも1つのタイミングオフセットを受信し、少なくとも1つのタイミングオフセットに従って第1のタイミングアドバンスを決定することもできる。第1のタイミングアドバンスは、少なくとも1つのタイミングオフセットに従ってプロセッサ1201によって決定される。このことは本発明の本実施形態では限定されないことを理解すべきである。
【０１４７】
任意選択で、別の実施形態として、プロセッサ1201はさらに、参照時刻、第2のタイミングアドバンス、およびデータフレーム構成に従って、第1のUEがデータフレーム構成内のものである第1の送信サブフレームを送信する時刻を決定することもでき、第2のタイミングアドバンスは、送受信機1203が第1の送信サブフレームを送信するためのタイミングアドバンスを表す。任意選択で、第2のタイミングアドバンスの値を、第1のUEと第1のサービング基地局との間の第1のタイミングオフセットとすることもできる。
【０１４８】
任意選択で、別の実施形態として、プロセッサ1201は具体的には、ネットワーク側のデバイス（例えば、第1のサービング基地局）からデータフレーム構成を取得することもできる。すなわち、データフレーム構成は第1のサービング基地局によって第1のUEへ送付される。あるいは、プロセッサ1201は具体的には、使用されるべきデータフレーム構成に関して第2のUEと事前折衝することもできる。例えば、第1のUEと第2のUEの一方のUEがデータフレーム構成を決定し、そのデータフレーム構成を他方のUEへ送信する。
【０１４９】
任意選択で、別の実施形態として、プロセッサ1201によって取得されるデータフレーム構成は、送信から受信までの少なくとも1つのGPおよび受信から送信までの少なくとも1つのGPを含む場合もあり、あるいは、データフレーム構成は、送信から受信までのただ1つのGPを含む場合もあり、あるいは、データフレーム構成は、GPを含まない場合もあり、以下同様である。本発明の本実施形態で使用されるデータフレーム構成の形態は限定されないことを理解すべきである。具体例については、前述の図4から図7の実施形態を参照することができ、ここではこれ以上詳細を繰り返さない。
【０１５０】
データフレーム構成は、送信から受信までの少なくとも1つのGPおよび受信から送信までの少なくとも1つのGPを含む場合もあり、あるいは、データフレーム構成は、送信から受信までのただ1つのGPを含む場合もあり、あるいは、データフレーム構成は、GPを含まない場合もあることを理解すべきである。本発明の本実施形態で使用されるデータフレーム構成の形態は限定されないことを理解すべきである。
【０１５１】
任意選択で、第1のUEおよび第2のUEはデータフレーム構成におけるGPの設定を決定するために折衝することもできる。具体的には、プロセッサ1201はさらに、デバイスツーデバイス（D2D）通信を行うUEがデータフレーム構成内のものである第1の受信サブフレームを受信する時刻、UEがデータフレーム構成内のものである第1の送信サブフレームを送信する時刻、およびデータフレーム構成に従って、第1の時刻および第2の時刻を決定し、第1の時刻および第2の時刻に従って、第1のサブフレームと第2のサブフレームとの間にガード期間を設定することができる。第1のサブフレームおよび第2のサブフレームはデータフレーム構成において連続して隣り合っており、第1のサブフレームが受信サブフレームであり、第2のサブフレームが送信サブフレームである場合には、第1の時刻はUEが第1のサブフレームを受信するときの終了時刻（「停止時刻」ともいう）を表し、第2の時刻はUEが第2のサブフレームを送信するときの開始時刻を表し、または第1のサブフレームが送信サブフレームであり、第2のサブフレームが受信サブフレームである場合には、第1の時刻はUEが第1のサブフレームを送信するときの終了時刻を表し、第2の時刻はUEが第2のサブフレームを受信するときの開始時刻を表す。
【０１５２】
言い換えると、プロセッサ1201はさらに、受信のタイミングアドバンス、送信のタイミングアドバンス、およびデータフレーム構成に従ってGPを設定することもできる。例えば、GPは、第1のタイミングアドバンス、第2のタイミングアドバンス、およびデータフレーム構成に従って設定される。具体的には、第1の時刻と第2の時刻との差が第1の閾値より大きい場合に、データ構成において、第1のフレームと第2のサブフレームとの間にガード期間が含まれないことが設定され、または、第1の時刻と第2の時刻との差が第1の閾値以下である場合に、データ構成において、第1のサブフレームと第2のサブフレームとの間に少なくとも1つのガード期間が含まれることが設定される。
【０１５３】
したがって、データフレーム構成においてGPを設定すべきかどうかは、データフレーム構成内の2つの連続して隣り合うサブフレームに従って、すなわち、受信サブフレームの受信終了時刻および送信サブフレームの送信開始時刻、または送信サブフレームの送信終了時刻および受信サブフレームの受信開始時刻に従って決定される。このようにして、シンボル間の干渉が回避され、リソースを有効に利用することができる。
【０１５４】
図13は、本発明の別の実施形態によるデバイスの構造ブロック図である。ネットワーク管理サーバ1300は、入力デバイス1301と、出力デバイス1304と、プロセッサ1302と、メモリ1303とを含むことができる。
【０１５５】
メモリ1303は、読取り専用メモリおよびランダム・アクセス・メモリを含み、プロセッサ1302に命令およびデータを提供することができる。メモリ1303の一部が、不揮発性ランダム・アクセス・メモリ（NVRAM）を含んでいてもよい。
【０１５６】
メモリ1303は、以下の要素、実行可能モジュールもしくはデータ構造、またはそれらのサブセット、またはそれらの拡張セットを記憶する。
動作命令：様々な動作命令を含み、様々な動作を実施するのに使用される。
オペレーティングシステム：様々なシステムプログラムを含み、様々な基本サービスを実施し、ハードウェアベースのタスクを処理するのに使用される。
【０１５７】
プロセッサ1302はネットワーク管理サーバ1300の動作を制御する。プロセッサ1302をCPUと呼ぶこともできる。メモリ1303は、読取り専用メモリおよびランダム・アクセス・メモリを含み、プロセッサ1302に命令およびデータを提供することができる。メモリ1303の一部が、不揮発性ランダム・アクセス・メモリ（NVRAM）を含んでいてもよい。具体的な適用に際して、ネットワーク管理サーバ1300の構成要素はバスシステム1305を用いて相互に結合される。バスシステム1305は、データバスに加えて、電源バス、制御バス、状況信号バスなどをさらに含むことができる。しかし、説明を明確にするために、図ではすべてのバスがバスシステム1305として記されている。
【０１５８】
本発明の前述の実施形態において開示される方法は、プロセッサプロセッサ1302において使用することもでき、プロセッサ1302を用いて実施することもできる。プロセッサ1302は集積回路チップとすることができ、信号処理能力を有する。一実施プロセスにおいて、前述の方法の各ステップは、ハードウェアの形態の集積論理回路、またはプロセッサ1302においてソフトウェアの形態の命令を用いて完了することができる。
【０１５９】
本発明の本実施形態においては、プロセッサ1302は、以下の動作を実施するためにメモリ1303に記憶された動作命令を呼び出す（動作命令はオペレーティングシステムにおいて記憶することができる）。
デバイスツーデバイス（D2D）通信を行うUEがデータフレーム構成内のものである第1の受信サブフレームを受信する時刻、UEがデータフレーム構成内のものである第1の送信サブフレームを送信する時刻、および入力デバイス1301によって入力されるデータフレーム構成に従って、第1の時刻および第2の時刻を決定する動作、および第1の時刻および第2の時刻に従って第1のサブフレームと第2のサブフレームとの間にガード期間を設定する動作。第1のサブフレームおよび第2のサブフレームはデータフレーム構成において連続して隣り合っており、第1のサブフレームが受信サブフレームであり、第2のサブフレームが送信サブフレームである場合に、第1の時刻はUEが第1のサブフレームを受信するときの終了時刻（「停止時刻」ともいう）を表し、第2の時刻はUEが第2のサブフレームを送信するときの開始時刻を表し、または第1のサブフレームが送信サブフレームであり、第2のサブフレームが受信サブフレームである場合に、第1の時刻はUEが第1のサブフレームを送信するときの終了時刻を表し、第2の時刻はUEが第2のサブフレームを受信するときの開始時刻を表す。
【０１６０】
本発明の本実施形態においては、データフレーム構成においてGPを設定すべきかどうかは、データフレーム構成内の2つの連続して隣り合うサブフレームに従って、すなわち、受信サブフレームの受信終了時刻および送信サブフレームの送信開始時刻、または送信サブフレームの送信終了時刻および受信サブフレームの受信開始時刻に従って決定される。このようにして、シンボル間の干渉が回避され、リソースを有効に利用することができる。
【０１６１】
第1のサブフレームが受信サブフレームであり、第2のサブフレームが送信サブフレームである場合には、第1の受信サブフレームは、第1のサブフレームと同じである場合も異なる場合もあり、データフレーム構成において、第1の受信サブフレームと第1のサブフレームとの間には特定のサブフレーム遅延が生じ、したがって、第1のサブフレームを受信するための終了時刻は、第1の受信サブフレームの受信時刻およびサブフレーム遅延に従って決定することができることに留意すべきである。同様に、第2のサブフレームを送信するための開始時刻も、第1の送信サブフレームの送信時刻およびサブフレーム遅延に従って決定することができる。
【０１６２】
それに対応して、第2のサブフレームが受信サブフレームであり、第1のサブフレームが送信サブフレームである場合には、第1の受信サブフレームは、第2のサブフレームと同じである場合も異なる場合もあり、データフレーム構成において、第1の受信サブフレームと第2のサブフレームとの間には特定のサブフレーム遅延が生じ、したがって、第2のサブフレームを受信するための開始時刻は、第1の受信サブフレームの受信時刻およびサブフレーム遅延に従って決定することができる。同様に、第1のサブフレームを送信するための終了時刻も、第1の送信サブフレームの送信時刻およびサブフレーム遅延に従って決定することができる。
【０１６３】
デバイス1300は図8および図9の方法に関与するステップを実施することができ、反復を回避するために、これ以上詳細を繰り返さない。
【０１６４】
任意選択で、一実施形態として、プロセッサ1302は具体的には、第1の時刻と第2の時刻との差が第1の閾値より大きい場合に、データ構成において、第1のフレームと第2のサブフレームとの間にガード期間が含まれないことを設定することができ、または、プロセッサ1302は具体的には、第1の時刻と第2の時刻との差が第1の閾値以下である場合に、データ構成において、第1のサブフレームと第2のサブフレームとの間に少なくとも1つのガード期間が含まれることを設定することができる。
【０１６５】
任意選択で、別の実施形態として、デバイス1300を、ネットワーク側のデバイスまたはユーザ機器とすることもできる。すなわち、データフレーム構成におけるGPを、ネットワーク側のデバイス（例えば、第1のUEのサービング基地局や基地局コントローラ）によって設定することができ、また、データフレーム構成におけるGPを、第1のUEおよび第2のUEによる事前折衝を通じて設定することもできる。このことは本発明の本実施形態では限定されないことを理解すべきである。
【０１６６】
本明細書で開示される実施形態において記述される例と組み合わせて、各ユニットおよびアルゴリズムステップを電子ハードウェアによって、またはコンピュータソフトウェアと電子ハードウェアの組み合わせによって実現することができることを、当業者は理解するであろう。各機能を果たすのがハードウェアか、それともソフトウェアかは、技術的解決策の個々の用途および設計上の制約条件に依存する。当業者は、様々な方法を使用して個々の用途ごとに記述された機能を実現することができるが、そうした実現態様は本発明の範囲を超えるものとみなすべきではない。
【０１６７】
説明を簡便にするために、前述のシステム、装置、およびユニットの詳細な作動プロセスについては、前述の方法実施形態における対応するプロセスを参照することができることを当業者は明確に理解することができ、ここでは詳細を再度述べない。
【０１６８】
本出願において提供されるいくつかの実施形態においては、開示のシステム、装置、および方法を他のやり方で実現することもできることを理解すべきである。例えば、説明された装置実施形態は単なる例示にすぎない。例えば、ユニット分割は単なる論理的機能分割にすぎず、実際の実装に際しては他の分割も可能である。例えば、複数のユニットまたはコンポーネントが組み合わされ、または統合されて別のシステムになる場合もあり、いくつかの特徴が無視され、または実行されない場合もある。加えて、図示された、または論じられた相互結合または直接結合または通信接続を、いくつかのインターフェースを用いて実現することもできる。装置間またはユニット間の間接結合または通信接続は、電子的形態、機械的形態、または他の形態として実現することができる。
【０１６９】
別々の部品として記述されたユニットは物理的に分離していてもそうでなくてもよく、ユニットとして図示された部品は、物理的ユニットであってもそうでなくてもよく、1つの位置に位置していてもよく、複数のネットワークユニット上に分散されていてもよい。ユニットの一部または全部を、各実施形態の解決策の目的を達成するための実際の必要に従って選択することもできる。
【０１７０】
加えて、本発明の実施形態における機能ユニットを1つの処理ユニットへ統合することもでき、ユニットの各々が物理的に独立して存在していてもよく、または2つ以上のユニットを1つのユニットへ統合することもできる。
【０１７１】
各機能がソフトウェア機能ユニットの形態で実現され、独立した製品として販売され、または使用される場合に、それらの機能は、コンピュータ可読記憶媒体に記憶することができる。そうした理解に基づき、本発明の技術的解決策を本質的に、または先行技術に寄与する部分を、または技術的解決策の一部を、ソフトウェア製品の形態で実現することができる。コンピュータソフトウェア製品は記憶媒体に記憶され、（パーソナルコンピュータ、サーバ、ネットワークデバイスなどとすることができる）コンピュータデバイスに、本発明の実施形態において記述されている方法のステップの全部または一部を実行するよう命令するためのいくつかの命令を含む。前述の記憶媒体は、USBフラッシュドライブ、取り外し可能ハードディスク、読取り専用メモリ（ROM、Read-Only Memory）、ランダム・アクセス・メモリ（RAM、Random Access Memory）、磁気ディスク、光ディスクといった、プログラムコードを記憶することができる任意の媒体を含む。
【０１７２】
以上の説明は、単に、本発明の具体的実装態様であるにすぎず、本発明の保護範囲を限定するためのものではない。本発明で開示される技術範囲内で当業者によって容易に考案されるいかなる変形も置換も、本発明の保護範囲内に含まれるものとする。したがって、本発明の保護範囲は、特許請求の範囲の保護範囲に従うべきものとする。
【符号の説明】
【０１７３】
101  基地局
102  UE
103  UE
201  基地局
202  基地局
203  UE
204  UE
1000  第1のUE
1001  取得部
1002  決定部
1100  デバイス
1101  決定部
1102  設定部
1200  デバイス
1201  プロセッサ
1202  メモリ
1203  送受信機
1210  バスシステム
1300  ネットワーク管理サーバ
1301  入力デバイス
1302  プロセッサ
1303  メモリ
1304  出力デバイス
1305  バスシステム
【手続補正２】
【補正対象書類名】特許請求の範囲
【補正対象項目名】全文
【補正方法】変更
【補正の内容】
【特許請求の範囲】
【請求項１】
デバイスツーデバイス通信のための方法であって、
第1のユーザ機器が、参照時刻、第1のタイミングアドバンス、およびデータフレーム構成を取得するステップであって、前記第1のタイミングアドバンスは、前記第1のユーザ機器が前記データフレーム構成内のものである第1の受信サブフレームを受信するためのタイミングアドバンスを表し、前記第1の受信サブフレームは第2のユーザ機器によって送信されるものである、取得するステップと、
前記第1のユーザ機器が、前記参照時刻、前記第1のタイミングアドバンス、および前記データフレーム構成に従って、前記第1の受信サブフレームを受信する時刻を決定するステップと
を含む、方法。
【請求項２】
前記第1のユーザ機器の第1のサービング基地局が前記第2のユーザ機器の第2のサービング基地局と同じであり、
前記第1のタイミングアドバンスは、前記第1のユーザ機器と前記第1のサービング基地局との間の第1のタイミングオフセット、前記第2のユーザ機器と前記第2のサービング基地局との間の第2のタイミングオフセット、および前記第1のユーザ機器と前記第2のユーザ機器との間の第3のタイミングオフセットの各タイミングオフセットのうちの少なくとも1つに従って決定される、請求項1に記載の方法。
【請求項３】
前記参照時刻は、前記第1のサービング基地局がデータフレームを送信する時刻、前記第2のサービング基地局がデータフレームを送信する時刻、前記第1のユーザ機器が前記第1のサービング基地局によって送信されたデータフレームを受信する時刻、および前記第2のユーザ機器が前記第2のサービング基地局によって送信されたデータフレームを受信する時刻の各種の時刻のうちの少なくとも1つに従って決定される、
請求項2に記載の方法。
【請求項４】
前記第1のユーザ機器が、前記参照時刻、前記第1のタイミングアドバンス、および前記データフレーム構成に従って、前記第1の受信サブフレームを受信する時刻を決定する前記ステップは、
前記第1の受信サブフレームを受信する時刻tを、
t＝t0−t1＋tsubframe
であり、式中、t0は、前記参照時刻であり、前記第1のユーザ機器が前記第1のサービング基地局によって送信されたデータフレームを受信する時刻であり、t1は、前記第1のタイミングアドバンスであり、前記第1のタイミングオフセット、前記第2のタイミングオフセット、または前記第3のタイミングオフセットのうちの1つであり、tsubframeは、前記第1の受信サブフレームと、前記データフレーム構成内のものである第1のサブフレームとの間の遅延を表すものとして決定するステップ、または
前記第1の受信サブフレームを受信する時刻tを、
t＝t0−t1／2＋tsubframe
であり、式中、t0は、前記参照時刻であり、前記第1のユーザ機器が前記第1のサービング基地局によって送信されたデータフレームを受信する時刻であり、t1は、前記第1のタイミングオフセット、前記第2のタイミングオフセット、または前記第3のタイミングオフセットのうちの1つであり、t1／2は、前記第1のタイミングアドバンスであり、tsubframeは、前記第1の受信サブフレームと、前記データフレーム構成内のものである第1のサブフレームとの間の遅延を表すものとして決定するステップ
を含む、請求項2または3に記載の方法。
【請求項５】
前記第1のユーザ機器が、前記第1のタイミングアドバンスを取得する前記ステップは、
前記第1のユーザ機器が、前記第1のユーザ機器の第1のサービング基地局によって送付された前記第1のタイミングアドバンスを受信するステップ、または
前記第1のユーザ機器が、前記第1のユーザ機器の前記第1のサービング基地局によって送付され、前記第1のタイミングアドバンスを決定するのに使用される少なくとも1つのタイミングオフセットを受信し、前記少なくとも1つのタイミングオフセットに従って前記第1のタイミングアドバンスを決定するステップ
を含む、請求項1から4のいずれか一項に記載の方法。
【請求項６】
前記第1のユーザ機器が、前記参照時刻、第2のタイミングアドバンス、および前記データフレーム構成に従って、前記データフレーム構成内のものである第1の送信サブフレームを送信する時刻を決定するステップであって、前記第2のタイミングアドバンスは、前記第1のユーザ機器が前記第1の送信サブフレームを送信するためのタイミングアドバンスを表すものである、決定するステップ
をさらに含む、請求項1から5のいずれか一項に記載の方法。
【請求項７】
前記第2のタイミングアドバンスは、前記第1のユーザ機器と前記第1のユーザ機器の第1のサービング基地局との間の第1のタイミングオフセットである、請求項6に記載の方法。
【請求項８】
第1のユーザ機器であって、
参照時刻、第1のタイミングアドバンス、およびデータフレーム構成を取得する取得部であって、前記第1のタイミングアドバンスは、前記第1のユーザ機器が前記データフレーム構成内のものである第1の受信サブフレームを受信するためのタイミングアドバンスを表し、前記第1の受信サブフレームは第2のユーザ機器によって送信されるものである、取得部と、
前記取得部によって取得される前記参照時刻、前記第1のタイミングアドバンス、および前記データフレーム構成に従って、前記第1の受信サブフレームを受信する時刻を決定する決定部と
を含む、第1のユーザ機器。
【請求項９】
前記第1のユーザ機器の第1のサービング基地局が前記第2のユーザ機器の第2のサービング基地局と同じであり、前記取得部によって取得される前記第1のタイミングアドバンスは、
前記第1のユーザ機器と前記第1のサービング基地局との間の第1のタイミングオフセット、前記第2のユーザ機器と前記第2のサービング基地局との間の第2のタイミングオフセット、および前記第1のユーザ機器と前記第2のユーザ機器との間の第3のタイミングオフセット
の各タイミングオフセットのうちの少なくとも1つに従って決定される、請求項8に記載の第1のユーザ機器。
【請求項１０】
前記取得部によって取得される前記参照時刻は、前記第1のサービング基地局がデータフレームを送信する時刻、前記第2のサービング基地局がデータフレームを送信する時刻、前記第1のユーザ機器が前記第1のサービング基地局によって送信されたデータフレームを受信する時刻、および前記第2のユーザ機器が前記第2のサービング基地局によって送信されたデータフレームを受信する時刻の各種の時刻のうちの少なくとも1つに従って決定される、請求項9に記載の第1のユーザ機器。
【請求項１１】
前記決定部は具体的には、前記第1のユーザ機器が前記第1の受信サブフレームを受信する時刻tを、
t＝t0−t1＋tsubframe
であり、式中、t0は、前記参照時刻であり、前記第1のユーザ機器が前記第1のサービング基地局によって送信されたデータフレームを受信する時刻であり、t1は、前記第1のタイミングアドバンスであり、前記第1のタイミングオフセット、前記第2のタイミングオフセット、または前記第3のタイミングオフセットのうちの1つであり、tsubframeは、前記第1の受信サブフレームと、前記データフレーム構成内のものである第1のサブフレームとの間の遅延を表すものとして決定し、または
前記決定部は具体的には、前記第1のユーザ機器が前記第1の受信サブフレームを受信する時刻tを、
t＝t0−t1／2＋tsubframe
であり、式中、t0は、前記参照時刻であり、前記第1のユーザ機器が前記第1のサービング基地局によって送信されたデータフレームを受信する時刻であり、t1は、前記第1のタイミングオフセット、前記第2のタイミングオフセット、または前記第3のタイミングオフセットのうちの1つであり、t1／2は、前記第1のタイミングアドバンスであり、tsubframeは、前記第1の受信サブフレームと、前記データフレーム構成内のものである第1のサブフレームとの間の遅延を表すものとして決定する、
請求項9または10に記載の第1のユーザ機器。
【請求項１２】
前記取得部は具体的には、前記第1のユーザ機器の第1のサービング基地局によって送付された前記第1のタイミングアドバンスを受信し、または
前記取得部は具体的には、前記第1のユーザ機器の前記第1のサービング基地局によって送付され、前記第1のタイミングアドバンスを決定するのに使用される少なくとも1つのタイミングオフセットを受信し、前記少なくとも1つのタイミングオフセットに従って前記第1のタイミングアドバンスを決定する、
請求項8から11のいずれか一項に記載の第1のユーザ機器。
【請求項１３】
前記決定部はさらに、前記参照時刻、第2のタイミングアドバンス、および前記データフレーム構成に従って、前記データフレーム構成内のものである第1の送信サブフレームを送信する時刻を決定し、前記第2のタイミングアドバンスは、前記第1のユーザ機器が前記第1の送信サブフレームを送信するためのタイミングアドバンスを表すものである、
請求項8から12のいずれか一項に記載の第1のユーザ機器。
【国際調査報告】
2016529833.tif 000016
2016529833.tif 000017
2016529833.tif 000018
2016529833.tif 000019
2016529833.tif 000020
2016529833.tif 000021